(57)【特許請求の範囲】
【請求項１】
熱源側熱交換器（21）と利用側熱交換器とが設けられた冷媒回路（10）で冷媒を循環させて冷凍サイクルを行い、上記利用側熱交換器を通過した空気を室内へ供給して室内の顕熱負荷及び潜熱負荷を処理する空気調和装置であって、
上記冷媒回路（10）は、表面に吸着材が設けられた第１及び第２の吸着熱交換器（31,32）と、空気を冷媒と熱交換させる空気熱交換器（22）とを利用側熱交換器として備え、
更に、上記冷媒回路（10）は、空気熱交換器（22）が蒸発器になって熱源側熱交換器（21）が凝縮器になる状態と空気熱交換器（22）が凝縮器になって熱源側熱交換器（21）が蒸発器になる状態とを切り換えるために冷媒の流通経路を変更する一の四方切換弁と、第１の吸着熱交換器（31）が蒸発器になって第２の吸着熱交換器（32）が凝縮器になる状態と第１の吸着熱交換器（31）が凝縮器になって第２の吸着熱交換器（32）が蒸発器になる状態とをを切り換えるために冷媒の流通経路を変更する他の四方切換弁とを備え、
空気中の水分を蒸発器となっている上記吸着熱交換器（30,31,32）に吸着させる吸着動作と、凝縮器となっている上記吸着熱交換器（30,31,32）から水分を脱離させる再生動作とを交互に行い、上記吸着熱交換器（30,31,32）で除湿され又は加湿された空気を室内へ供給する一方、
上記空気熱交換器（22）で冷却されまたは加熱された空気を室内へ供給する空気調和装置。
【請求項２】
熱源側熱交換器（21）と利用側熱交換器とが設けられた冷媒回路（10）で冷媒を循環させて冷凍サイクルを行い、上記利用側熱交換器を通過した空気を室内へ供給して室内の顕熱負荷及び潜熱負荷を処理する空気調和装置であって、
上記冷媒回路（10）は、表面に吸着材が設けられた第１及び第２の吸着熱交換器（31,32）を利用側熱交換器として備え、
更に、上記冷媒回路（10）は、熱源側熱交換器（21）が凝縮器になる状態と熱源側熱交換器（21）が蒸発器になる状態とを切り換えるために冷媒の流通経路を変更する一の四方切換弁と、第１の吸着熱交換器（31）が蒸発器になって第２の吸着熱交換器（32）が凝縮器になる状態と第１の吸着熱交換器（31）が凝縮器になって第２の吸着熱交換器（32）が蒸発器になる状態とをを切り換えるために冷媒の流通経路を変更する他の四方切換弁とを備え、
空気中の水分を蒸発器となっている上記吸着熱交換器（30,31,32）に吸着させる吸着動作と、凝縮器となっている上記吸着熱交換器（30,31,32）から水分を脱離させる再生動作とを交互に行い、上記吸着熱交換器（30,31,32）で除湿され又は加湿された空気を室内へ供給する空気調和装置。
【請求項３】
熱源側熱交換器（21）と利用側熱交換器とが設けられた冷媒回路（10）で冷媒を循環させて冷凍サイクルを行い、上記利用側熱交換器を通過した空気を室内へ供給して室内の顕熱負荷及び潜熱負荷を処理する空気調和装置であって、
上記冷媒回路（10）は、表面に吸着材が設けられた吸着熱交換器（30,31,32）と、空気を冷媒と熱交換させる空気熱交換器（22）とを利用側熱交換器として備え、
更に、上記冷媒回路（10）は、空気熱交換器（22）が蒸発器になって熱源側熱交換器（21）が凝縮器になる状態と空気熱交換器（22）が凝縮器になって熱源側熱交換器（21）が蒸発器になる状態とを切り換えるために冷媒の流通経路を変更する一の四方切換弁と、吸着熱交換器（30,31,32）が凝縮器になる状態と吸着熱交換器（30,31,32）が蒸発器になる状態とをを切り換えるために冷媒の流通経路を変更する他の四方切換弁とを備え、
空気中の水分を蒸発器となっている上記吸着熱交換器（30,31,32）に吸着させる吸着動作と、凝縮器となっている上記吸着熱交換器（30,31,32）から水分を脱離させる再生動作とを交互に行い、上記吸着熱交換器（30,31,32）で除湿され又は加湿された空気を室内へ供給する一方、
上記空気熱交換器（22）で冷却されまたは加熱された空気を室内へ供給する空気調和装置。
【請求項４】
熱源側熱交換器（21）と利用側熱交換器とが設けられた冷媒回路（10）で冷媒を循環させて冷凍サイクルを行い、上記利用側熱交換器を通過した空気を室内へ供給して室内の顕熱負荷及び潜熱負荷を処理する空気調和装置であって、
上記冷媒回路（10）は、表面に吸着材が設けられた第１及び第２の吸着熱交換器（31,32）を利用側熱交換器として備え、第１の吸着熱交換器（31）が蒸発器となって第２の吸着熱交換器（32）が休止する動作と、第２の吸着熱交換器（32）が蒸発器となって第１の吸着熱交換器（31）が休止する動作とを交互に繰り返すように構成され、
蒸発器となっている吸着熱交換器（31,32）に空気中の水分を吸着させる吸着動作と、休止中の吸着熱交換器（31,32）へ空気を供給して該吸着熱交換器（31,32）から水分を脱離させる再生動作とを交互に行い、
蒸発器となっている上記吸着熱交換器（31,32）で除湿された空気、又は休止中の上記吸着熱交換器（31,32）で加湿された空気を室内へ供給して室内の潜熱負荷を処理する一方、
更に、上記冷媒回路（10）は、空気を冷媒と熱交換させる空気熱交換器（22）を利用側熱交換器として備え、該空気熱交換器（22）が蒸発器となって熱源側熱交換器（21）が凝縮器となる動作、又は該空気熱交換器（22）が凝縮器となって熱源側熱交換器（21）が蒸発器となる動作を行うように構成されており、
上記空気熱交換器（22）を通過した空気を室内へ供給して室内の顕熱負荷を処理する空気調和装置。
【請求項５】
熱源側熱交換器（21）と利用側熱交換器とが設けられた冷媒回路（10）で冷媒を循環させて冷凍サイクルを行い、上記利用側熱交換器を通過した空気を室内へ供給して室内の顕熱負荷及び潜熱負荷を処理する空気調和装置であって、
上記冷媒回路（10）は、表面に吸着材が設けられた第１及び第２の吸着熱交換器（31,32）を利用側熱交換器として備え、第１の吸着熱交換器（31）が凝縮器となって第２の吸着熱交換器（32）が休止する動作と、第２の吸着熱交換器（32）が凝縮器となって第１の吸着熱交換器（31）が休止する動作とを交互に繰り返すように構成され、
休止中の吸着熱交換器（31,32）に空気中の水分を吸着させる吸着動作と、凝縮器となっている吸着熱交換器（31,32）から水分を脱離させる再生動作とを交互に行い、
休止中の上記吸着熱交換器（31,32）で除湿された空気、又は凝縮器となっている上記吸着熱交換器（31,32）で加湿された空気を室内へ供給して室内の潜熱負荷を処理する一方、
更に、上記冷媒回路（10）は、空気を冷媒と熱交換させる空気熱交換器（22）を利用側熱交換器として備え、該空気熱交換器（22）が蒸発器となって熱源側熱交換器（21）が凝縮器となる動作、又は該空気熱交換器（22）が凝縮器となって熱源側熱交換器（21）が蒸発器となる動作を行うように構成されており、
上記空気熱交換器（22）を通過した空気を室内へ供給して室内の顕熱負荷を処理する空気調和装置。
【請求項６】
請求項１，３，４又は５に記載の空気調和装置において、
上記空気熱交換器（22）で冷却された空気と上記吸着熱交換器（30,31,32）で除湿された空気とを室内へ供給する除湿冷房運転と、上記空気熱交換器（22）で加熱された空気と上記吸着熱交換器（30,31,32）で加湿された空気とを室内へ供給する加湿暖房運転とが切り換え可能となっている空気調和装置。
【請求項７】
請求項２に記載の空気調和装置において、
冷媒回路（10）は、第１及び第２の吸着熱交換器（31,32）だけを利用側熱交換器として備えており、
蒸発器となっている上記吸着熱交換器（31,32）を通過した空気、又は凝縮器となっている上記吸着熱交換器（31,32）を通過した空気を室内へ供給して室内の顕熱負荷及び潜熱負荷を処理する空気調和装置。
【請求項８】
熱源側熱交換器（21）と利用側熱交換器とが設けられた冷媒回路（10）で冷媒を循環させて冷凍サイクルを行い、上記利用側熱交換器を通過した空気を室内へ供給して室内の顕熱負荷及び潜熱負荷を処理する空気調和装置であって、
上記冷媒回路（10）は、表面に吸着材が設けられた第１及び第２の吸着熱交換器（31,32）だけを利用側熱交換器として備え、第１の吸着熱交換器（31）が蒸発器となって第２の吸着熱交換器（32）が休止する動作と、第２の吸着熱交換器（32）が蒸発器となって第１の吸着熱交換器（31）が休止する動作とを交互に繰り返すように構成され、
蒸発器となっている吸着熱交換器（31,32）に空気中の水分を吸着させる吸着動作と、休止中の吸着熱交換器（31,32）へ空気を供給して該吸着熱交換器から水分を脱離させる再生動作とを交互に行い、
蒸発器となっている上記吸着熱交換器（31,32）を通過した空気を室内へ供給して室内の顕熱負荷及び潜熱負荷を処理する空気調和装置。
【請求項９】
熱源側熱交換器（21）と利用側熱交換器とが設けられた冷媒回路（10）で冷媒を循環させて冷凍サイクルを行い、上記利用側熱交換器を通過した空気を室内へ供給して室内の顕熱負荷及び潜熱負荷を処理する空気調和装置であって、
上記冷媒回路（10）は、表面に吸着材が設けられた第１及び第２の吸着熱交換器（31,32）だけを利用側熱交換器として備え、第１の吸着熱交換器（31）が凝縮器となって第２の吸着熱交換器（32）が休止する動作と、第２の吸着熱交換器（32）が凝縮器となって第１の吸着熱交換器（31）が休止する動作とを交互に繰り返すように構成され、
休止中の吸着熱交換器（31,32）に空気中の水分を吸着させる吸着動作と、凝縮器となっている吸着熱交換器（31,32）から水分を脱離させる再生動作とを交互に行い、
凝縮器となっている上記吸着熱交換器（31,32）を通過した空気を室内へ供給して室内の顕熱負荷及び潜熱負荷を処理する空気調和装置。
【請求項１０】
請求項７に記載の空気調和装置において、
蒸発器となっている上記吸着熱交換器（31,32）を通過した空気を室内へ供給する除湿冷房運転と、凝縮器となっている上記吸着熱交換器（31,32）を通過した空気を室内へ供給する加湿暖房運転とが切り換え可能となっている空気調和装置。
【請求項１１】
熱源側熱交換器（21）と利用側熱交換器とが設けられた冷媒回路（10）で冷媒を循環させて冷凍サイクルを行い、上記利用側熱交換器を通過した空気を室内へ供給して室内の顕熱負荷及び潜熱負荷を処理する空気調和装置であって、
上記冷媒回路（10）は、表面に吸着材が設けられた第１及び第２の吸着熱交換器（31,32）を利用側熱交換器として備え、
更に、上記冷媒回路（10）は、空気を冷媒と熱交換させる空気熱交換器（22）を利用側熱交換器として備え、該空気熱交換器（22）が蒸発器となって熱源側熱交換器（21）が凝縮器となる動作、又は該空気熱交換器（22）が凝縮器となって熱源側熱交換器（21）が蒸発器となる動作を行うように構成され、
上記冷媒回路（10）では、熱源側熱交換器（21）と開度可変の膨張弁（41）と空気熱交換器（22）とを直列に配置した第１回路（11）と、第１の吸着熱交換器（31）と開度可変の膨張弁（42）と第２の吸着熱交換器（32）とを直列に配置した第２回路（12）とが互いに並列接続されており、
空気中の水分を上記吸着熱交換器（30,31,32）に吸着させる吸着動作と上記吸着熱交換器（30,31,32）から水分を脱離させる再生動作とを交互に行う空気調和装置。
【請求項１２】
請求項１又は１１に記載の空気調和装置において、
冷媒回路（10）は、熱源側熱交換器（21）と空気熱交換器（22）のうち蒸発器となっている方での冷媒蒸発温度と、蒸発器となっている吸着熱交換器（30,31,32）での冷媒蒸発温度とを異なる値に設定可能となっている空気調和装置。
【請求項１３】
請求項１又は１１に記載の空気調和装置において、
冷媒回路（10）は、熱源側熱交換器（21）と空気熱交換器（22）のうち凝縮器となっている方での冷媒凝縮温度と、凝縮器となっている吸着熱交換器（30,31,32）での冷媒凝縮温度とを異なる値に設定可能となっている空気調和装置。
【発明の詳細な説明】
【技術分野】
【０００１】
本発明は、室内の顕熱負荷と潜熱負荷を処理する空気調和装置に関するものである。
【背景技術】
【０００２】
従来より、特許文献１に開示されているように、室内の冷房と除湿を行う空気調和装置が知られている。この空気調和装置は、熱源側の室外熱交換器と利用側の室内熱交換器とが設けられた冷媒回路を備え、冷媒回路で冷媒を循環させて冷凍サイクルを行う。そして、上記空気調和装置は、室内熱交換器における冷媒蒸発温度を室内空気の露点温度よりも低く設定し、室内空気中の水分を凝縮させることで室内の除湿を行っている。
【０００３】
一方、特許文献２に開示されているように、表面に吸着材が設けられた熱交換器を備えた除湿装置も知られている。この除湿装置は、吸着材の設けられた熱交換器を２つ備え、それらの一方で空気を除湿して他方を再生する動作を行う。その際、水分を吸着する方の熱交換器には冷却塔で冷却された水が供給され、再生される熱交換器には温排水が供給される。そして、上記除湿装置は、上述の動作によって除湿された空気を室内へ供給する。
【特許文献１】国際公開第０３／０２９７２８号パンフレット
【特許文献２】特開平７−２６５６４９号公報
【発明の開示】
【発明が解決しようとする課題】
【０００４】
上述のように、特許文献１に記載の空気調和装置では、室内熱交換器での冷媒蒸発温度を室内空気の露点温度よりも低く設定し、空気中の水分を凝縮させることで室内の潜熱負荷を処理している。つまり、室内熱交換器での冷媒蒸発温度が室内空気の露点温度よりも高くても顕熱負荷の処理は可能だが、潜熱負荷を処理するために室内熱交換器での冷媒蒸発温度を低い値に設定している。このため、冷凍サイクルの高低圧差が大きくなり、圧縮機への入力が嵩んで低いＣＯＰ（成績係数）しか得られないという問題がある。
【０００５】
また、特許文献２に記載の除湿装置では、冷却塔で冷却された冷却水、即ち室内温度に比べてさほど温度の低くない冷却水を熱交換器へ供給している。従って、この除湿装置では、室内の潜熱負荷は処理できても顕熱負荷を処理できないという問題があった。
【０００６】
本発明は、かかる点に鑑みてなされたものであり、その目的とするところは、室内の顕熱負荷と潜熱負荷の両方を処理可能で、しかも高いＣＯＰを得られる空気調和装置を提供することにある。
【課題を解決するための手段】
【０００７】
第１〜第５の各発明は、熱源側熱交換器（21）と利用側熱交換器とが設けられた冷媒回路（10）で冷媒を循環させて冷凍サイクルを行い、上記利用側熱交換器を通過した空気を室内へ供給して室内の顕熱負荷及び潜熱負荷を処理する空気調和装置を対象とする。
【０００８】
そして、第１の発明は、上記冷媒回路（10）は、表面に吸着材が設けられた第１及び第２の吸着熱交換器（31,32）と、空気を冷媒と熱交換させる空気熱交換器（22）とを利用側熱交換器として備え、更に、上記冷媒回路（10）は、空気熱交換器（22）が蒸発器になって熱源側熱交換器（21）が凝縮器になる状態と空気熱交換器（22）が凝縮器になって熱源側熱交換器（21）が蒸発器になる状態とを切り換えるために冷媒の流通経路を変更する一の四方切換弁と、第１の吸着熱交換器（31）が蒸発器になって第２の吸着熱交換器（32）が凝縮器になる状態と第１の吸着熱交換器（31）が凝縮器になって第２の吸着熱交換器（32）が蒸発器になる状態とをを切り換えるために冷媒の流通経路を変更する他の四方切換弁とを備え、空気中の水分を蒸発器となっている上記吸着熱交換器（30,31,32）に吸着させる吸着動作と、凝縮器となっている上記吸着熱交換器（30,31,32）から水分を脱離させる再生動作とを交互に行い、上記吸着熱交換器（30,31,32）で除湿され又は加湿された空気を室内へ供給する一方、上記空気熱交換器（22）で冷却されまたは加熱された空気を室内へ供給するものである。
【０００９】
また、第２の発明は、上記冷媒回路（10）は、表面に吸着材が設けられた第１及び第２の吸着熱交換器（31,32）を利用側熱交換器として備え、更に、上記冷媒回路（10）は、熱源側熱交換器（21）が凝縮器になる状態と熱源側熱交換器（21）が蒸発器になる状態とを切り換えるために冷媒の流通経路を変更する一の四方切換弁と、第１の吸着熱交換器（31）が蒸発器になって第２の吸着熱交換器（32）が凝縮器になる状態と第１の吸着熱交換器（31）が凝縮器になって第２の吸着熱交換器（32）が蒸発器になる状態とをを切り換えるために冷媒の流通経路を変更する他の四方切換弁とを備え、空気中の水分を蒸発器となっている上記吸着熱交換器（30,31,32）に吸着させる吸着動作と、凝縮器となっている上記吸着熱交換器（30,31,32）から水分を脱離させる再生動作とを交互に行い、上記吸着熱交換器（30,31,32）で除湿され又は加湿された空気を室内へ供給するものである。
【００１０】
また、第３の発明は、上記冷媒回路（10）は、表面に吸着材が設けられた吸着熱交換器（30,31,32）と、空気を冷媒と熱交換させる空気熱交換器（22）とを利用側熱交換器として備え、更に、上記冷媒回路（10）は、空気熱交換器（22）が蒸発器になって熱源側熱交換器（21）が凝縮器になる状態と空気熱交換器（22）が凝縮器になって熱源側熱交換器（21）が蒸発器になる状態とを切り換えるために冷媒の流通経路を変更する一の四方切換弁と、吸着熱交換器（30,31,32）が凝縮器になる状態と吸着熱交換器（30,31,32）が蒸発器になる状態とをを切り換えるために冷媒の流通経路を変更する他の四方切換弁とを備え、空気中の水分を蒸発器となっている上記吸着熱交換器（30,31,32）に吸着させる吸着動作と、凝縮器となっている上記吸着熱交換器（30,31,32）から水分を脱離させる再生動作とを交互に行い、上記吸着熱交換器（30,31,32）で除湿され又は加湿された空気を室内へ供給する一方、上記空気熱交換器（22）で冷却されまたは加熱された空気を室内へ供給するものである。
【００１１】
また、第４の発明は、冷媒回路（10）は、表面に吸着材が設けられた第１及び第２の吸着熱交換器（31,32）を利用側熱交換器として備え、第１の吸着熱交換器（31）が蒸発器となって第２の吸着熱交換器（32）が休止する動作と、第２の吸着熱交換器（32）が蒸発器となって第１の吸着熱交換器（31）が休止する動作とを交互に繰り返すように構成され、蒸発器となっている吸着熱交換器（31,32）に空気中の水分を吸着させる吸着動作と、休止中の吸着熱交換器（31,32）へ空気を供給して該吸着熱交換器（31,32）から水分を脱離させる再生動作とを交互に行い、蒸発器となっている上記吸着熱交換器（31,32）で除湿された空気、又は休止中の上記吸着熱交換器（31,32）で加湿された空気を室内へ供給して室内の潜熱負荷を処理する一方、更に、上記冷媒回路（10）は、空気を冷媒と熱交換させる空気熱交換器（22）を利用側熱交換器として備え、該空気熱交換器（22）が蒸発器となって熱源側熱交換器（21）が凝縮器となる動作、又は該空気熱交換器（22）が凝縮器となって熱源側熱交換器（21）が蒸発器となる動作を行うように構成されており、上記空気熱交換器（22）を通過した空気を室内へ供給して室内の顕熱負荷を処理するものである。
【００１２】
また、第５の発明は、冷媒回路（10）は、表面に吸着材が設けられた第１及び第２の吸着熱交換器（31,32）を利用側熱交換器として備え、第１の吸着熱交換器（31）が凝縮器となって第２の吸着熱交換器（32）が休止する動作と、第２の吸着熱交換器（32）が凝縮器となって第１の吸着熱交換器（31）が休止する動作とを交互に繰り返すように構成され、休止中の吸着熱交換器（31,32）に空気中の水分を吸着させる吸着動作と、凝縮器となっている吸着熱交換器（31,32）から水分を脱離させる再生動作とを交互に行い、休止中の上記吸着熱交換器（31,32）で除湿された空気、又は凝縮器となっている上記吸着熱交換器（31,32）で加湿された空気を室内へ供給して室内の潜熱負荷を処理する一方、更に、上記冷媒回路（10）は、空気を冷媒と熱交換させる空気熱交換器（22）を利用側熱交換器として備え、該空気熱交換器（22）が蒸発器となって熱源側熱交換器（21）が凝縮器となる動作、又は該空気熱交換器（22）が凝縮器となって熱源側熱交換器（21）が蒸発器となる動作を行うように構成されており、上記空気熱交換器（22）を通過した空気を室内へ供給して室内の顕熱負荷を処理するものである。
【００１３】
第６の発明は、上記第１，第３，第４又は第５の発明において、上記空気熱交換器（22）で冷却された空気と上記吸着熱交換器（30,31,32）で除湿された空気とを室内へ供給する除湿冷房運転と、上記空気熱交換器（22）で加熱された空気と上記吸着熱交換器（30,31,32）で加湿された空気とを室内へ供給する加湿暖房運転とが切り換え可能となっているものである。
【００１４】
第７の発明は、上記第２の発明において、冷媒回路（10）は、第１及び第２の吸着熱交換器（31,32）だけを利用側熱交換器として備えており、蒸発器となっている上記吸着熱交換器（31,32）を通過した空気、又は凝縮器となっている上記吸着熱交換器（31,32）を通過した空気を室内へ供給して室内の顕熱負荷及び潜熱負荷を処理するものである。
【００１５】
第８，第９の各発明は、熱源側熱交換器（21）と利用側熱交換器とが設けられた冷媒回路（10）で冷媒を循環させて冷凍サイクルを行い、上記利用側熱交換器を通過した空気を室内へ供給して室内の顕熱負荷及び潜熱負荷を処理する空気調和装置を対象とする。
【００１６】
そして、第８の発明は、上記冷媒回路（10）は、表面に吸着材が設けられた第１及び第２の吸着熱交換器（31,32）だけを利用側熱交換器として備え、第１の吸着熱交換器（31）が蒸発器となって第２の吸着熱交換器（32）が休止する動作と、第２の吸着熱交換器（32）が蒸発器となって第１の吸着熱交換器（31）が休止する動作とを交互に繰り返すように構成され、蒸発器となっている吸着熱交換器（31,32）に空気中の水分を吸着させる吸着動作と、休止中の吸着熱交換器（31,32）へ空気を供給して該吸着熱交換器から水分を脱離させる再生動作とを交互に行い、蒸発器となっている上記吸着熱交換器（31,32）を通過した空気を室内へ供給して室内の顕熱負荷及び潜熱負荷を処理するものである。
【００１７】
また、第９の発明は、上記冷媒回路（10）は、表面に吸着材が設けられた第１及び第２の吸着熱交換器（31,32）だけを利用側熱交換器として備え、第１の吸着熱交換器（31）が凝縮器となって第２の吸着熱交換器（32）が休止する動作と、第２の吸着熱交換器（32）が凝縮器となって第１の吸着熱交換器（31）が休止する動作とを交互に繰り返すように構成され、休止中の吸着熱交換器（31,32）に空気中の水分を吸着させる吸着動作と、凝縮器となっている吸着熱交換器（31,32）から水分を脱離させる再生動作とを交互に行い、凝縮器となっている上記吸着熱交換器（31,32）を通過した空気を室内へ供給して室内の顕熱負荷及び潜熱負荷を処理するものである。
【００１８】
第１０の発明は、上記第７の発明において、蒸発器となっている上記吸着熱交換器（31,32）を通過した空気を室内へ供給する除湿冷房運転と、凝縮器となっている上記吸着熱交換器（31,32）を通過した空気を室内へ供給する加湿暖房運転とが切り換え可能となっているものである。
【００１９】
第１１の発明は、熱源側熱交換器（21）と利用側熱交換器とが設けられた冷媒回路（10）で冷媒を循環させて冷凍サイクルを行い、上記利用側熱交換器を通過した空気を室内へ供給して室内の顕熱負荷及び潜熱負荷を処理する空気調和装置を対象とする。
そして、上記冷媒回路（10）は、表面に吸着材が設けられた第１及び第２の吸着熱交換器（31,32）を利用側熱交換器として備え、更に、上記冷媒回路（10）は、空気を冷媒と熱交換させる空気熱交換器（22）を利用側熱交換器として備え、該空気熱交換器（22）が蒸発器となって熱源側熱交換器（21）が凝縮器となる動作、又は該空気熱交換器（22）が凝縮器となって熱源側熱交換器（21）が蒸発器となる動作を行うように構成され、上記冷媒回路（10）では、熱源側熱交換器（21）と開度可変の膨張弁（41）と空気熱交換器（22）とを直列に配置した第１回路（11）と、第１の吸着熱交換器（31）と開度可変の膨張弁（42）と第２の吸着熱交換器（32）とを直列に配置した第２回路（12）とが互いに並列接続されており、空気中の水分を上記吸着熱交換器（30,31,32）に吸着させる吸着動作と上記吸着熱交換器（30,31,32）から水分を脱離させる再生動作とを交互に行うものである。
【００２０】
第１２の発明は、上記第１又は第１１の発明において、冷媒回路（10）は、熱源側熱交換器（21）と空気熱交換器（22）のうち蒸発器となっている方での冷媒蒸発温度と、蒸発器となっている吸着熱交換器（30,31,32）での冷媒蒸発温度とを異なる値に設定可能となっているものである。
【００２１】
第１３の発明は、上記第１又は第１１の発明において、  冷媒回路（10）は、熱源側熱交換器（21）と空気熱交換器（22）のうち凝縮器となっている方での冷媒凝縮温度と、凝縮器となっている吸着熱交換器（30,31,32）での冷媒凝縮温度とを異なる値に設定可能となっているものである。
【００２２】
−作用−
上記第１，第２，第３の発明では、空気調和装置の冷媒回路（10）に熱源側熱交換器（21）と利用側熱交換器とが設けられる。また、冷媒回路（10）には、１つ又は複数の吸着熱交換器（30,31,32）が利用側熱交換器として設けられる。この吸着熱交換器（30,31,32）を通過する空気は、その絶対湿度が吸着材との接触によって調節される。具体的に、吸着熱交換器（30,31,32）の吸着材に空気中の水分を吸着させれる吸着動作を行えば、空気が除湿される。一方、吸着熱交換器（30,31,32）の吸着材から水分を脱離させる再生動作を行えば、その脱離した水分によって空気が加湿される。空気調和装置は、冷媒回路（10）で冷媒を循環させて冷凍サイクルを行い、利用側熱交換器を通過した空気を室内へ供給して室内の顕熱負荷及び潜熱負荷を処理する。
【００２３】
上記第１，第２の発明では、第１の吸着熱交換器（31）と第２の吸着熱交換器（32）とが冷媒回路（10）に利用側熱交換器として設けられる。この発明の冷媒回路（10）は、第１及び第２の吸着熱交換器（31,32）の一方が蒸発器になって他方が凝縮器になる動作と他方が凝縮器になって一方が蒸発器になる動作とを交互に繰り返す。蒸発器となっている吸着熱交換器（31,32）では、通過する空気中の水分が吸着材に吸着され、その際に生じた吸着熱が冷媒に吸熱される。一方、凝縮器となっている吸着熱交換器（31,32）では、冷媒によって加熱された吸着材から水分が脱離し、通過する空気に吸着材から脱離した水分が付与される。そして、蒸発器となっている吸着熱交換器（31,32）を通過した空気を室内に供給すれば除湿された空気が室内へ連続して流入し、凝縮器となっている吸着熱交換器（31,32）を通過した空気を室内に供給すれば加湿された空気が室内へ連続して流入する。
【００２４】
上記第３の発明では、吸着熱交換器（30,31,32）と空気熱交換器（22）の両方が利用側熱交換器として冷媒回路（10）に設けられる。空気熱交換器（22）を通過する空気は、その温度が冷媒との熱交換によって調節される。つまり、空気熱交換器（22）が蒸発器となる動作を行えば空気が冷却され、空気熱交換器（22）が凝縮器となる動作を行えば空気が加熱される。この発明の空気調和装置は、空気熱交換器（22）で冷却され又は加熱された空気を室内へ供給し、それによって室内の顕熱負荷を処理する。
【００２５】
上記第４の発明では、第１の吸着熱交換器（31）と第２の吸着熱交換器（32）とが冷媒回路（10）に利用側熱交換器として設けられる。この発明の冷媒回路（10）は、第１及び第２の吸着熱交換器（31,32）の一方が蒸発器となって他方が休止する動作と他方が蒸発器となって一方が休止する動作とを交互に繰り返す。蒸発器となっている吸着熱交換器（31,32）では、通過する空気中の水分が吸着材に吸着され、その際に生じた吸着熱が冷媒に吸熱される。一方、冷媒が供給されない休止中の吸着熱交換器（31,32）では、通過する空気と接触した吸着材から水分が脱離する。そして、蒸発器となっている吸着熱交換器（31,32）を通過した空気を室内に供給すれば、除湿された空気が室内へ連続して流入する。また、休止中の吸着熱交換器（31,32）を通過した空気を室内に供給すれば、加湿された空気が室内へ連続して流入する。
【００２６】
上記第５の発明では、第１の吸着熱交換器（31）と第２の吸着熱交換器（32）とが冷媒回路（10）に利用側熱交換器として設けられる。この発明の冷媒回路（10）は、第１及び第２の吸着熱交換器（31,32）の一方が凝縮器となって他方が休止する動作と他方が凝縮器となって一方が休止する動作とを交互に繰り返す。冷媒が供給されない休止中の吸着熱交換器（31,32）では、通過する空気中の水分を吸着材が吸着する。一方、凝縮器となっている吸着熱交換器（31,32）では、冷媒によって加熱された吸着材から水分が脱離し、通過する空気に吸着材から脱離した水分が付与される。そして、凝縮器となっている吸着熱交換器（31,32）を通過した空気を室内に供給すれば、加湿された空気が室内へ連続して流入する。また、休止中の吸着熱交換器（31,32）を通過した空気を室内に供給すれば、除湿された空気が室内へ連続して流入する。
【００２７】
上記第６の発明では、空気調和装置において除湿冷房運転と加湿暖房運転の切り換えが可能となる。
【００２８】
上記第７の発明において、冷媒回路（10）に利用側熱交換器として設けられているのは、第１及び第２の吸着熱交換器（31,32）だけである。吸着熱交換器（31,32）が蒸発器となる動作を行えば、その吸着熱交換器（31,32）を通過する空気中の水分が吸着材に吸着され、その際に生じた吸着熱が冷媒に吸熱される。蒸発器となっている吸着熱交換器（31,32）では、通過する空気の除湿と冷却が行われる。一方、吸着熱交換器（31,32）が凝縮器となる動作を行えば、冷媒によって加熱された吸着材から水分が脱離し、該吸着熱交換器（31,32）を通過する空気に吸着材から脱離した水分が付与される。凝縮器となっている吸着熱交換器（31,32）では、通過する空気の加湿と加熱が行われる。この発明の空気調和装置は、吸着熱交換器（31,32）で除湿と冷却が施された空気、又は加湿と加熱が施された空気を室内へ供給し、それによって室内の顕熱負荷と潜熱負荷の両方を処理する。
【００２９】
上記第８の発明において、冷媒回路（10）は、第１及び第２の吸着熱交換器（31,32）の一方が蒸発器となって他方が休止する動作と他方が蒸発器となって一方が休止する動作とを交互に繰り返す。蒸発器となっている吸着熱交換器（31,32）では、通過する空気中の水分が吸着材に吸着され、その際に生じた吸着熱が冷媒に吸熱される。一方、冷媒が供給されない休止中の吸着熱交換器（31,32）では、通過する空気と接触した吸着材から水分が脱離する。そして、蒸発器となっている吸着熱交換器（31,32）を通過した空気を室内に供給すれば、除湿と冷却の施された空気が室内へ連続して流入する。
【００３０】
上記第９の発明において、冷媒回路（10）は、第１及び第２の吸着熱交換器（31,32）の一方が凝縮器となって他方が休止する動作と他方が凝縮器となって一方が休止する動作とを交互に繰り返す。冷媒が供給されない休止中の吸着熱交換器（31,32）では、通過する空気中の水分を吸着材が吸着する。一方、凝縮器となっている吸着熱交換器（31,32）では、冷媒によって加熱された吸着材から水分が脱離し、通過する空気に吸着材から脱離した水分が付与される。そして、凝縮器となっている吸着熱交換器（31,32）を通過した空気を室内に供給すれば、加湿と加熱の施された空気が室内へ連続して流入する。
【００３１】
上記第１０の発明では、空気調和装置において除湿冷房運転と加湿暖房運転の切り換えが可能となる。
【００３２】
上記第１１の発明において、冷媒回路（10）では、第１回路（11）と第２回路（12）とが互いに並列に接続される。第１回路（11）では、熱源側熱交換器（21）と開度可変の膨張弁（41）と空気熱交換器（22）とが順に配置される。第２回路（12）では、第１の吸着熱交換器（31）と開度可変の膨張弁（42）と第２の吸着熱交換器（32）とが順に配置される。第１回路（11）の膨張弁（41）及び第２回路（12）の膨張弁（42）についての開度調節を行えば、第１回路（11）における冷媒流量と、第２回路（12）における冷媒流量とが調節される。つまり、主に顕熱負荷の処理を行う空気熱交換器（22）での冷媒流量と、主に潜熱負荷の処理を行う吸着熱交換器（31,32）での冷媒流量とが個別に調節される。
【００３３】
上記第１２の発明において、冷媒回路（10）は、熱源側熱交換器（21）又は空気熱交換器（22）での冷媒蒸発温度と吸着熱交換器（30,31,32）での冷媒蒸発温度を異なる値に設定できるように構成される。つまり、この発明の冷媒回路（10）では、熱源側熱交換器（21）や空気熱交換器（22）と吸着熱交換器（30,31,32）とで導入される低圧冷媒の圧力を異なる値に設定できる。
【００３４】
上記第１３の発明において、冷媒回路（10）は、熱源側熱交換器（21）又は空気熱交換器（22）での冷媒蒸発温度と吸着熱交換器（30,31,32）での冷媒凝縮温度を異なる値に設定できるように構成される。つまり、この発明の冷媒回路（10）では、熱源側熱交換器（21）や空気熱交換器（22）と吸着熱交換器（30,31,32）とで導入される高圧冷媒の圧力を異なる値に設定できる。
【発明の効果】
【００３５】
本発明では、冷媒回路（10）に利用側熱交換器として吸着熱交換器（30,31,32）を設け、この吸着熱交換器（30,31,32）を通過させることによって空気の絶対湿度を調節している。つまり、従来のように空気中の水分を凝縮させて空気を除湿するのではなく、空気中の水分を吸着材に吸着させて空気を除湿している。従って、従来のように冷凍サイクルの冷媒蒸発温度を空気の露点温度よりも低く設定する必要が無く、冷媒蒸発温度を空気の露点温度以上に設定しても空気の除湿が可能となる。このため、本発明によれば、空気を除湿する場合も冷凍サイクルの冷媒蒸発温度を従来よりも高く設定することができ、冷凍サイクルの高低圧差を縮小することができる。この結果、冷媒の圧縮に要する動力を削減することが可能となり、冷凍サイクルのＣＯＰを向上させることができる。
【００３６】
また、本発明では、再生動作の対象である吸着熱交換器（30,31,32）から水分が脱離し、この吸着熱交換器（30,31,32）を通過する空気に脱離した水分が付与される。そして、吸着熱交換器（30,31,32）を通過する際に加湿された空気を室内へ供給すれば、室内の加湿が可能となる。つまり、空気中の水分を凝縮させる従来の空気調和装置では室内の除湿のみが可能で加湿を行うことができなかったが、本発明の空気調和装置では、吸着熱交換器（30,31,32）で加湿された空気を室内へ供給することで室内の加湿も可能である。
【００３７】
特に、上記第１及び第２の発明では、吸着動作の対象である吸着熱交換器（30,31,32）が蒸発器となる。このため、空気中の水分が吸着熱交換器（30,31,32）へ吸着される際の吸着熱を冷媒で奪うことができ、吸着熱交換器（30,31,32）が吸着する水分量を増大させることができる。また、この発明では、再生動作の対象である吸着熱交換器（30,31,32）が凝縮器となる。このため、吸着熱交換器（30,31,32）の吸着材を冷媒で充分に加熱することができ、吸着熱交換器（30,31,32）から脱離する水分量を増大させることができる。
【００３８】
更に、上記第１及び第２の発明によれば、第１及び第２の吸着熱交換器（31,32）を冷媒回路（10）に利用側熱交換器として設け、それらの一方についての吸着動作と他方についての再生動作とを並行して行っている。従って、この発明によれば、吸着動作の対象である吸着熱交換器（31,32）又は再生動作の対象である吸着熱交換器（31,32）を通過した空気を室内へ供給することで、除湿され又は加湿された空気を室内へ連続的に供給することが可能となる。
【００３９】
また、上記第１及び第３の発明では、冷媒回路（10）に空気熱交換器（22）が設けられ、この空気熱交換器（22）を通過することで空気の温度が調節される。このため、吸着熱交換器（30,31,32）では主として空気の絶対湿度を調節し、空気熱交換器（22）では主として空気の温度を調節すればよいこととなる。従って、この発明によれば、室内へ供給される空気の温度と絶対湿度を適切に調節することができ、室内の顕熱負荷及び潜熱負荷の処理を確実に行うことができる。
【００４０】
上記第４の発明では、吸着動作の対象である吸着熱交換器（31,32）が蒸発器となり、再生動作の対象である吸着熱交換器（31,32）に対する冷媒の供給が停止される。また、上記第５の発明では、吸着動作の対象である吸着熱交換器（31,32）に対する冷媒の供給が停止され、再生動作の対象である吸着熱交換器（31,32）が凝縮器となる。従って、これらの発明によれば、吸着熱交換器に対する冷媒の導入を断続するだけで吸着動作と再生動作の切り換えが可能となり、冷媒回路（10）の複雑化を抑制できる。
【００４１】
上記第７の発明では、利用側熱交換器として第１及び第２の吸着熱交換器（31,32）だけを冷媒回路（10）に設け、これら吸着熱交換器（31,32）を通過した空気を室内へ供給することで室内の顕熱負荷と潜熱負荷の両方を処理するようにしている。従って、この発明によれば、冷媒回路（10）に利用側熱交換器として設けられる熱交換器の種類を最小限に抑えることができ、冷媒回路（10）の複雑化を抑制できる。
【００４２】
上記第８の発明では、吸着動作の対象である吸着熱交換器（31,32）が蒸発器となり、再生動作の対象である吸着熱交換器（31,32）に対する冷媒の供給が停止される。また、上記第９の発明では、吸着動作の対象である吸着熱交換器（31,32）に対する冷媒の供給が停止され、再生動作の対象である吸着熱交換器（31,32）が凝縮器となる。従って、これらの発明によれば、吸着熱交換器（31,32）に対する冷媒の導入を断続するだけで吸着動作と再生動作の切り換えが可能となり、冷媒回路（10）の複雑化を抑制できる。
【００４３】
上記第１１の発明によれば、互いに並列接続された第１回路（11）と第２回路（12）における冷媒流量を、それぞれ個別に調節することができる。このため、空気熱交換器（22）での冷媒流量を室内の顕熱負荷に応じた値に適切に調節すると共に、吸着熱交換器（31,32）での冷媒流量を室内の潜熱負荷に応じた値に適切に調節することが可能となる。従って、この発明によれば、室内の顕熱負荷と潜熱負荷に対応して空気調和装置の運転状態を適切に制御することが可能となる。
【００４４】
上記第１２の発明では、熱源側熱交換器（21）や空気熱交換器（22）での冷媒蒸発温度と吸着熱交換器（30,31,32）での冷媒蒸発温度とを異なる値に設定可能としている。このため、主として顕熱負荷の処理能力に影響を及ぼす熱源側熱交換器（21）や空気熱交換器（22）における冷媒の吸熱量と、主として潜熱負荷の処理能力に影響を及ぼす吸着熱交換器（30,31,32）における冷媒の吸熱量とを、個別に設定することが可能となる。従って、この発明によれば、空気調和装置における顕熱負荷の処理能力と潜熱負荷の処理能力とをそれぞれ適切な値に設定することができる。
【００４５】
上記第１３の発明では、熱源側熱交換器（21）や空気熱交換器（22）での冷媒凝縮温度と吸着熱交換器（30,31,32）での冷媒凝縮温度とを異なる値に設定可能としている。このため、主として顕熱負荷の処理能力に影響を及ぼす熱源側熱交換器（21）や空気熱交換器（22）における冷媒の放熱量と、主として潜熱負荷の処理能力に影響を及ぼす吸着熱交換器（30,31,32）における冷媒の放熱量とを、個別に設定することが可能となる。従って、この発明によれば、空気調和装置における顕熱負荷の処理能力と潜熱負荷の処理能力とをそれぞれ適切な値に設定することができる。
【発明を実施するための最良の形態】
【００４６】
以下、本発明の実施形態を図面に基づいて詳細に説明する。
【００４７】
《参考技術１》
参考技術１について説明する。本参考技術の空気調和装置は、室内の顕熱負荷と潜熱負荷の両方を処理するものである。この空気調和装置は、冷媒回路（10）を備えており、この冷媒回路（10）で冷媒を循環させて蒸気圧縮冷凍サイクルを行う。
【００４８】
図１及び図２に示すように、上記冷媒回路（10）には、圧縮機（20）と四方切換弁（50）と電動膨張弁（40）とが１つずつ設けられている。また、冷媒回路（10）には、室外熱交換器（21）と室内熱交換器（22）と吸着熱交換器（30）とが１つずつ設けられている。この冷媒回路（10）では、室外熱交換器（21）が熱源側熱交換器を、室内熱交換器（22）及び吸着熱交換器（30）が利用側熱交換器をそれぞれ構成している。
【００４９】
上記冷媒回路（10）の構成について説明する。圧縮機（20）は、その吐出側が四方切換弁（50）の第１のポートに、その吸入側が四方切換弁（50）の第２のポートにそれぞれ接続されている。この冷媒回路（10）では、四方切換弁（50）の第３のポートから第４のポートへ向かって順に、室外熱交換器（21）と電動膨張弁（40）と吸着熱交換器（30）と室内熱交換器（22）とが配置されている。
【００５０】
また、冷媒回路（10）には、電磁弁（60）とキャピラリチューブ（43）とが設けられている。電磁弁（60）は、吸着熱交換器（30）と室内熱交換器（22）の間に設けられている。キャピラリチューブ（43）は、その一端が電磁弁（60）と吸着熱交換器（30）の間に、その他端が電磁弁（60）と室内熱交換器（22）の間にそれぞれ接続されている。
【００５１】
室外熱交換器（21）、室内熱交換器（22）、及び吸着熱交換器（30）は、何れも伝熱管と多数のフィンとで構成されたクロスフィン形のフィン・アンド・チューブ熱交換器である。このうち、吸着熱交換器（30）では、そのフィンの表面に吸着材が担持されている。この吸着材としては、ゼオライトやシリカゲル等が用いられる。一方、室外熱交換器（21）及び室内熱交換器（22）は、それぞれのフィンの表面に吸着材が担持されておらず、空気と冷媒の熱交換だけを行う。このように、室内熱交換器（22）は、空気と冷媒の熱交換だけを行う空気熱交換器を構成している。
【００５２】
上記四方切換弁（50）は、第１のポートと第３のポートが互いに連通して第２のポートと第４のポートが互いに連通する第１状態（図１に示す状態）と、第１のポートと第４のポートが互いに連通して第２のポートと第３ポートが互いに連通する第２状態（図２に示す状態）とに切り換わる。
【００５３】
−運転動作−
本参考技術の空気調和装置では、除湿冷房運転と加湿暖房運転とが行われる。
【００５４】
〈除湿冷房運転〉
除湿冷房運転中の動作について、図１を参照しながら説明する。
【００５５】
除湿冷房運転中には、四方切換弁（50）が第１状態に設定され、室外熱交換器（21）が凝縮器となって室内熱交換器（22）が蒸発器となる。また、吸着熱交換器（30）が蒸発器となる吸着動作と、吸着熱交換器（30）が凝縮器となる再生動作とが交互に繰り返される。
【００５６】
更に、除湿冷房運転中には、室外熱交換器（21）へ室外空気が供給され、室内熱交換器（22）及び吸着熱交換器（30）へ室内空気が供給される。そして、室内熱交換器（22）で冷却された空気が室内へ連続的に供給される一方、吸着熱交換器（30）で除湿された空気が室内へ間欠的に供給される。
【００５７】
吸着動作中は、図１(Ａ)に示すように、電磁弁（60）が開放され、電動膨張弁（40）の開度が適宜調節される。この状態で、圧縮機（20）から吐出された冷媒は、室外熱交換器（21）で凝縮した後に電動膨張弁（40）で減圧され、その後、吸着熱交換器（30）と室内熱交換器（22）を順に通過する間に蒸発し、圧縮機（20）へ吸入されて圧縮される。
【００５８】
この吸着動作中において、室外熱交換器（21）で冷媒から吸熱した室外空気が室外へ排出され、室内熱交換器（22）で冷却された室内空気が室内へ送り返される。また、吸着熱交換器（30）では、室内空気中の水分が吸着材に吸着されて室内空気が除湿され、その際に生じた吸着熱が冷媒に吸熱される。吸着熱交換器（30）で除湿された室内空気は、室内へ送り返される。
【００５９】
再生動作中は、図１(Ｂ)に示すように、電磁弁（60）が閉鎖され、電動膨張弁（40）が全開に設定される。この状態で、圧縮機（20）から吐出された冷媒は、室外熱交換器（21）と吸着熱交換器（30）を順に通過する間に凝縮し、その後、キャピラリチューブ（43）で減圧されてから室内熱交換器（22）で蒸発し、圧縮機（20）へ吸入されて圧縮される。
【００６０】
この再生動作中において、室外熱交換器（21）で冷媒から吸熱した室外空気が室外へ排出され、室内熱交換器（22）で冷却された室内空気が室内へ送り返される。また、吸着熱交換器（30）では、冷媒によって吸着材が加熱されて再生され、吸着材から脱離した水分が室内空気に付与される。吸着熱交換器（30）から脱離した水分は、室内空気と共に室外へ排出される。
【００６１】
〈加湿暖房運転〉
加湿暖房運転中の動作について、図２を参照しながら説明する。
【００６２】
加湿暖房運転中には、四方切換弁（50）が第２状態に設定され、室内熱交換器（22）が凝縮器となって室外熱交換器（21）が蒸発器となる。また、吸着熱交換器（30）が蒸発器となる吸着動作と、吸着熱交換器（30）が凝縮器となる再生動作とが交互に繰り返される。
【００６３】
更に、加湿暖房運転中には、室外熱交換器（21）へ室外空気が供給され、室内熱交換器（22）及び吸着熱交換器（30）へ室内空気が供給される。そして、室内熱交換器（22）で加熱された空気が室内へ連続的に供給される一方、吸着熱交換器（30）で加湿された空気が室内へ間欠的に供給される。
【００６４】
吸着動作中は、図２(Ａ)に示すように、電磁弁（60）が閉鎖され、電動膨張弁（40）が全開に設定される。この状態で、圧縮機（20）から吐出された冷媒は、室内熱交換器（22）で凝縮した後にキャピラリチューブ（43）で減圧され、その後、吸着熱交換器（30）と室外熱交換器（21）を順に通過する間に蒸発し、圧縮機（20）へ吸入されて圧縮される。
【００６５】
この吸着動作中において、室外熱交換器（21）で冷媒へ放熱した室外空気が室外へ排出され、室内熱交換器（22）で加熱された室内空気が室内へ送り返される。また、吸着熱交換器（30）では、室内空気中の水分が吸着材に吸着され、その際に生じた吸着熱が冷媒に吸熱される。吸着熱交換器（30）で水分を奪われた室内空気は、室外へ排出される。
【００６６】
再生動作中は、図２(Ｂ)に示すように、電磁弁（60）が開放され、電動膨張弁（40）の開度が適宜調節される。この状態で、圧縮機（20）から吐出された冷媒は、室内熱交換器（22）と吸着熱交換器（30）を順に通過する間に凝縮し、その後、電動膨張弁（40）で減圧されてから室外熱交換器（21）で蒸発し、圧縮機（20）へ吸入されて圧縮される。
【００６７】
この再生動作中において、室外熱交換器（21）で冷媒へ放熱した室外空気が室外へ排出され、室内熱交換器（22）で加熱された室内空気が室内へ送り返される。また、吸着熱交換器（30）では、冷媒によって吸着材が加熱されて再生され、吸着材から脱離した水分が室内空気に付与される。吸着熱交換器（30）で加湿された室内空気は、室内へ送り返される。
【００６８】
−参考技術１の効果−
本参考技術では、冷媒回路（10）に利用側熱交換器として吸着熱交換器（30）を設け、この吸着熱交換器（30）を通過させることによって空気の絶対湿度を調節している。つまり、従来のように空気中の水分を凝縮させて空気を除湿するのではなく、空気中の水分を吸着材に吸着させて空気を除湿している。このため、従来のように冷凍サイクルの冷媒蒸発温度を空気の露点温度よりも低く設定する必要が無く、冷媒蒸発温度を空気の露点温度以上に設定しても空気の除湿が可能となる。
【００６９】
従って、本参考技術によれば、空気を除湿する際に冷凍サイクルの冷媒蒸発温度を従来よりも高く設定することができ、冷凍サイクルの高低圧差を縮小することができる。この結果、圧縮機（20）の消費電力を削減することが可能となり、冷凍サイクルのＣＯＰを向上させることができる。
【００７０】
また、本参考技術では、再生動作の対象である吸着熱交換器（30）から水分が脱離し、この吸着熱交換器（30）を通過する空気に脱離した水分が付与される。そして、吸着熱交換器（30）を通過する際に加湿された空気を室内へ供給することで、室内の加湿が可能となる。つまり、空気中の水分を凝縮させる従来の空気調和装置では室内の除湿のみが可能で加湿を行うことができなかったが、本参考技術の空気調和装置では、吸着熱交換器（30）で加湿された空気を室内へ供給することで室内の加湿も可能となる。
【００７１】
《発明の実施形態１》
本発明の実施形態１について説明する。本実施形態の空気調和装置は、上記参考技術１の空気調和装置において冷媒回路（10）の構成を変更したものである。
【００７２】
図３及び図４に示すように、上記冷媒回路（10）には、圧縮機（20）と電動膨張弁（40）とが１つずつ設けられ、四方切換弁（51,52）が２つ設けられている。また、冷媒回路（10）には、室外熱交換器（21）と室内熱交換器（22）と吸着熱交換器（30）とが１つずつ設けられている。この冷媒回路（10）では、室外熱交換器（21）が熱源側熱交換器を、室内熱交換器（22）及び吸着熱交換器（30）が利用側熱交換器をそれぞれ構成している。室外熱交換器（21）、室内熱交換器（22）、及び吸着熱交換器（30）は、それぞれ上記参考技術１のものと同様に構成されている。
【００７３】
上記冷媒回路（10）の構成について説明する。圧縮機（20）は、その吐出側が第１四方切換弁（51）の第１のポートに、その吸入側が第１四方切換弁（51）の第２のポートにそれぞれ接続されている。第１四方切換弁（51）は、その第３のポートが第２四方切換弁（52）の第１のポートに、その第４のポートが吸着熱交換器（30）を介して第２四方切換弁（52）の第２のポートにぞれぞれ接続されている。この冷媒回路（10）では、第２四方切換弁（52）の第３のポートから第４のポートへ向かって順に、室外熱交換器（21）と電動膨張弁（40）と室内熱交換器（22）とが配置されている。
【００７４】
上記第１四方切換弁（51）は、第１のポートと第３のポートが互いに連通して第２のポートと第４のポートが互いに連通する第１状態（図３(Ａ)及び図４(Ａ)に示す状態）と、第１のポートと第４のポートが互いに連通して第２のポートと第３ポートが互いに連通する第２状態（図３(Ｂ)及び図４(Ｂ)に示す状態）とに切り換わる。一方、上記第２四方切換弁（52）は、第１のポートと第３のポートが互いに連通して第２のポートと第４のポートが互いに連通する第１状態（図３(Ａ)及び図４(Ｂ)に示す状態）と、第１のポートと第４のポートが互いに連通して第２のポートと第３ポートが互いに連通する第２状態（図３(Ｂ)及び図４(Ａ)に示す状態）とに切り換わる。
【００７５】
−運転動作−
本実施形態の空気調和装置では、除湿冷房運転と加湿暖房運転とが行われる。
【００７６】
〈除湿冷房運転〉
除湿冷房運転中の動作について、図３を参照しながら説明する。
【００７７】
除湿冷房運転中には、室外熱交換器（21）が凝縮器となって室内熱交換器（22）が蒸発器となる。また、吸着熱交換器（30）が蒸発器となる吸着動作と、吸着熱交換器（30）が凝縮器となる再生動作とが交互に繰り返される。
【００７８】
更に、除湿冷房運転中には、室外熱交換器（21）へ室外空気が供給され、室内熱交換器（22）及び吸着熱交換器（30）へ室内空気が供給される。そして、室内熱交換器（22）で冷却された空気が室内へ連続的に供給される一方、吸着熱交換器（30）で除湿された空気が室内へ間欠的に供給される。
【００７９】
吸着動作中は、図３(Ａ)に示すように、第１四方切換弁（51）及び第２四方切換弁（52）がそれぞれ第１状態に設定され、電動膨張弁（40）の開度が適宜調節される。この状態で、圧縮機（20）から吐出された冷媒は、室外熱交換器（21）で凝縮した後に電動膨張弁（40）で減圧され、その後、室内熱交換器（22）と吸着熱交換器（30）を順に通過する間に蒸発し、圧縮機（20）へ吸入されて圧縮される。
【００８０】
この吸着動作中において、室外熱交換器（21）で冷媒から吸熱した室外空気が室外へ排出され、室内熱交換器（22）で冷却された室内空気が室内へ送り返される。また、吸着熱交換器（30）では、室内空気中の水分が吸着材に吸着されて室内空気が除湿され、その際に生じた吸着熱が冷媒に吸熱される。吸着熱交換器（30）で除湿された室内空気は、室内へ送り返される。
【００８１】
再生動作中は、図３(Ｂ)に示すように、第１四方切換弁（51）及び第２四方切換弁（52）がそれぞれ第２状態に設定され、電動膨張弁（40）の開度が適宜調節される。この状態で、圧縮機（20）から吐出された冷媒は、吸着熱交換器（30）と室外熱交換器（21）を順に通過する間に凝縮し、その後、電動膨張弁（40）で減圧されてから室内熱交換器（22）で蒸発し、圧縮機（20）へ吸入されて圧縮される。
【００８２】
この再生動作中において、室外熱交換器（21）で冷媒から吸熱した室外空気が室外へ排出され、室内熱交換器（22）で冷却された室内空気が室内へ送り返される。また、吸着熱交換器（30）では、冷媒によって吸着材が加熱されて再生され、吸着材から脱離した水分が室内空気に付与される。吸着熱交換器（30）から脱離した水分は、室内空気と共に室外へ排出される。
【００８３】
〈加湿暖房運転〉
加湿暖房運転中の動作について、図４を参照しながら説明する。
【００８４】
加湿暖房運転中には、室内熱交換器（22）が凝縮器となって室外熱交換器（21）が蒸発器となる。また、吸着熱交換器（30）が蒸発器となる吸着動作と、吸着熱交換器（30）が凝縮器となる再生動作とが交互に繰り返される。
【００８５】
更に、加湿暖房運転中には、室外熱交換器（21）へ室外空気が供給され、室内熱交換器（22）及び吸着熱交換器（30）へ室内空気が供給される。そして、室内熱交換器（22）で加熱された空気が室内へ連続的に供給される一方、吸着熱交換器（30）で加湿された空気が室内へ間欠的に供給される。
【００８６】
吸着動作中は、図４(Ａ)に示すように、第１四方切換弁（51）が第１状態に、第２四方切換弁（52）が第２状態にそれぞれ設定され、電動膨張弁（40）の開度が適宜調節される。この状態で、圧縮機（20）から吐出された冷媒は、室内熱交換器（22）で凝縮した後に電動膨張弁（40）で減圧され、その後、室外熱交換器（21）と吸着熱交換器（30）を順に通過する間に蒸発し、圧縮機（20）へ吸入されて圧縮される。
【００８７】
この吸着動作中において、室外熱交換器（21）で冷媒へ放熱した室外空気が室外へ排出され、室内熱交換器（22）で加熱された室内空気が室内へ送り返される。また、吸着熱交換器（30）では、室内空気中の水分が吸着材に吸着されて、その際に生じた吸着熱が冷媒に吸熱される。吸着熱交換器（30）で水分を奪われた室内空気は、室外へ排出される。
【００８８】
再生動作中は、図２(Ｂ)に示すように、第１四方切換弁（51）が第２状態に、第２四方切換弁（52）が第１状態にそれぞれ設定され、電動膨張弁（40）の開度が適宜調節される。この状態で、圧縮機（20）から吐出された冷媒は、吸着熱交換器（30）と室内熱交換器（22）を順に通過する間に凝縮し、その後、電動膨張弁（40）で減圧されてから室外熱交換器（21）で蒸発し、圧縮機（20）へ吸入されて圧縮される。
【００８９】
この再生動作中において、室外熱交換器（21）で冷媒へ放熱した室外空気が室外へ排出され、室内熱交換器（22）で加熱された室内空気が室内へ送り返される。また、吸着熱交換器（30）では、冷媒によって吸着材が加熱されて再生され、吸着材から脱離した水分が室内空気に付与される。吸着熱交換器（30）で加湿された室内空気は、室内へ送り返される。
【００９０】
−実施形態１の効果−
本実施形態によれば、上記参考技術１で得られる効果に加え、次のような効果が得られる。つまり、本実施形態において、除湿冷房運転の第２動作と加湿暖房運転の第２動作では、圧縮機（20）から吐出された冷媒が最初に吸着熱交換器（30）へ導入される。このため、最も高温の冷媒を吸着熱交換器へ導入して吸着材の加熱に利用でき、吸着材の温度を充分に上昇させて吸着材の再生を確実に行うことができる。
【００９１】
《発明の実施形態２》
本発明の実施形態２について説明する。本実施形態の空気調和装置は、上記参考技術１の空気調和装置において冷媒回路（10）の構成を変更したものである。
【００９２】
図３及び図４に示すように、上記冷媒回路（10）には、圧縮機（20）と電動膨張弁（40）と四方切換弁（50）とが１つずつ設けられ、電磁弁（61,62）が２つ設けられている。また、冷媒回路（10）には、室外熱交換器（21）と室内熱交換器（22）と吸着熱交換器（30）とが１つずつ設けられている。この冷媒回路（10）では、室外熱交換器（21）が熱源側熱交換器を、室内熱交換器（22）及び吸着熱交換器（30）が利用側熱交換器をそれぞれ構成している。室外熱交換器（21）、室内熱交換器（22）、及び吸着熱交換器（30）は、それぞれ上記参考技術１のものと同様に構成されている。
【００９３】
上記冷媒回路（10）の構成について説明する。圧縮機（20）は、その吐出側が四方切換弁（50）の第１のポートに、その吸入側が四方切換弁（50）の第２のポートにそれぞれ接続されている。この冷媒回路（10）では、四方切換弁（50）の第３のポートから第４のポートへ向かって順に、室外熱交換器（21）と電動膨張弁（40）と第１電磁弁（61）と室内熱交換器（22）とが配置されている。吸着熱交換器（30）は、その一端が室内熱交換器（22）と四方切換弁（50）の間に、その他端が第２電磁弁（62）を介して電動膨張弁（40）と第１電磁弁（61）の間にそれぞれ接続されている。
【００９４】
上記四方切換弁（50）は、第１のポートと第３のポートが互いに連通して第２のポートと第４のポートが互いに連通する第１状態（図５に示す状態）と、第１のポートと第４のポートが互いに連通して第２のポートと第３ポートが互いに連通する第２状態（図６に示す状態）とに切り換わる。
【００９５】
−運転動作−
本実施形態の空気調和装置では、除湿冷房運転と加湿暖房運転とが行われる。
【００９６】
〈除湿冷房運転〉
除湿冷房運転中の動作について、図５を参照しながら説明する。
【００９７】
除湿冷房運転中には、四方切換弁（50）が第１状態に設定され、電動膨張弁（40）の開度が適宜調節されて、室外熱交換器（21）が凝縮器となる。また、吸着熱交換器（30）が蒸発器となって室内熱交換器（22）が休止する第１動作と、室内熱交換器（22）が蒸発器となって吸着熱交換器（30）が休止する第２動作とが交互に繰り返される。
【００９８】
更に、除湿冷房運転中には、室外熱交換器（21）へ室外空気が供給される。また、除湿冷房運転において、第１動作中には吸着熱交換器（30）だけに室内空気が供給され、第２動作中には吸着熱交換器（30）と室内熱交換器（22）の両方に室内空気が供給される。そして、吸着熱交換器（30）を通過した空気と室内熱交換器（22）を通過した空気とが交互に室内へ供給される。
【００９９】
第１動作では、吸着熱交換器（30）についての吸着動作が行われる。第１動作中は、図５(Ａ)に示すように、第１電磁弁（61）が閉鎖され、第２電磁弁（62）が開放される。この状態で、圧縮機（20）から吐出された冷媒は、室外熱交換器（21）で凝縮してから電動膨張弁（40）で減圧され、その後、吸着熱交換器（30）で蒸発してから圧縮機（20）へ吸入されて圧縮される。その際、室内熱交換器（22）への冷媒の流入は、第１電磁弁（61）によって遮断される。
【０１００】
この第１動作中において、室外熱交換器（21）で冷媒から吸熱した室外空気が室外へ排出される。吸着熱交換器（30）では、室内空気中の水分が吸着材に吸着されて室内空気が除湿され、その際に生じた吸着熱が冷媒に吸熱される。吸着熱交換器（30）で除湿された室内空気は、室内へ送り返される。
【０１０１】
第２動作では、吸着熱交換器（30）についての再生動作が行われる。第２動作中は、図５(Ｂ)に示すように、第１電磁弁（61）が開放され、第２電磁弁（62）が閉鎖される。この状態で、圧縮機（20）から吐出された冷媒は、室外熱交換器（21）で凝縮してから電動膨張弁（40）で減圧され、その後、室内熱交換器（22）で蒸発してから圧縮機（20）へ吸入されて圧縮される。その際、吸着熱交換器（30）への冷媒の流入は、第２電磁弁（62）によって遮断される。
【０１０２】
この第２動作中において、室外熱交換器（21）で冷媒から吸熱した室外空気が室外へ排出され、室内熱交換器（22）で冷却された室内空気が室内へ送り返される。吸着熱交換器（30）では、絶対湿度の比較的低い室内空気が吸着材と接触し、該吸着材から水分が脱離する。吸着熱交換器（30）から脱離した水分は、室内空気と共に室外へ排出される。
【０１０３】
〈加湿暖房運転〉
加湿暖房運転中の動作について、図６を参照しながら説明する。
【０１０４】
加湿暖房運転中には、四方切換弁（50）が第２状態に設定され、室外熱交換器（21）が蒸発器となる。また、吸着熱交換器（30）が凝縮器となって室内熱交換器（22）が休止する第１動作と、室内熱交換器（22）が凝縮器となって吸着熱交換器（30）が休止する第２動作とが交互に繰り返される。
【０１０５】
更に、加湿暖房運転中には、室外熱交換器（21）へ室外空気が供給される。また、加湿暖房運転において、第１動作中には吸着熱交換器（30）だけに室内空気が供給され、第２動作中には吸着熱交換器（30）と室内熱交換器（22）の両方に室内空気が供給される。そして、吸着熱交換器（30）を通過した空気と室内熱交換器（22）を通過した空気とが交互に室内へ供給される。
【０１０６】
第１動作では、吸着熱交換器（30）についての再生動作が行われる。第１動作中は、図６(Ａ)に示すように、第１電磁弁（61）が閉鎖され、第２電磁弁（62）が開放される。この状態で、圧縮機（20）から吐出された冷媒は、吸着熱交換器（30）で凝縮してから電動膨張弁（40）で減圧され、その後、室外熱交換器（21）で蒸発してから圧縮機（20）へ吸入されて圧縮される。その際、室内熱交換器（22）への冷媒の流入は、第１電磁弁（61）によって遮断される。
【０１０７】
この第１動作中において、室外熱交換器（21）で冷媒から吸熱した室外空気が室外へ排出される。吸着熱交換器（30）では、冷媒で加熱された吸着材から水分が脱離し、この脱離した水分が室内空気に付与される。吸着熱交換器（30）で加湿された室内空気は、室内へ送り返される。
【０１０８】
第２動作では、吸着熱交換器（30）についての吸着動作が行われる。第２動作中は、図６(Ｂ)に示すように、第１電磁弁（61）が開放され、第２電磁弁（62）が閉鎖される。この状態で、圧縮機（20）から吐出された冷媒は、室内熱交換器（22）で凝縮してから電動膨張弁（40）で減圧され、その後、室外熱交換器（21）で蒸発してから圧縮機（20）へ吸入されて圧縮される。その際、吸着熱交換器（30）への冷媒の流入は、第２電磁弁（62）によって遮断される。
【０１０９】
この第２動作中において、室外熱交換器（21）で冷媒から吸熱した室外空気が室外へ排出され、室内熱交換器（22）で加熱された室内空気が室内へ送り返される。吸着熱交換器（30）では、室内空気が吸着材と接触し、この室内空気中の水分が吸着材に吸着される。第１吸着熱交換器（31）で水分を奪われた室内空気は、室外へ排出される。
【０１１０】
−実施形態２の効果−
本実施形態によれば、上記参考技術１で得られる効果と同様の効果が得られる。
【０１１１】
《発明の実施形態３》
本発明の実施形態３について説明する。本実施形態の空気調和装置は、上記参考技術１の空気調和装置において冷媒回路（10）の構成を変更したものである。
【０１１２】
図７及び図８に示すように、上記冷媒回路（10）には、圧縮機（20）と電動膨張弁（40）とが１つずつ設けられ、四方切換弁（51,52）が２つ設けられている。また、冷媒回路（10）には、１つの室外熱交換器（21）と２つの吸着熱交換器（31,32）とが設けられている。この冷媒回路（10）では、室外熱交換器（21）が熱源側熱交換器を、第１及び第２吸着熱交換器（31,32）が利用側熱交換器をそれぞれ構成している。つまり、本実施形態の冷媒回路（10）に利用側熱交換器として設けられているのは、２つの吸着熱交換器（31,32）だけである。尚、室外熱交換器（21）、及び各吸着熱交換器（31,32）は、それぞれ上記参考技術１のものと同様に構成されている。
【０１１３】
上記冷媒回路（10）の構成について説明する。圧縮機（20）は、その吐出側が第１四方切換弁（51）の第１のポートに、その吸入側が第１四方切換弁（51）の第２のポートにそれぞれ接続されている。第１四方切換弁（51）は、その第３のポートが室外熱交換器（21）を介して第２四方切換弁（52）の第１のポートに、その第４のポートが第２四方切換弁（52）の第２のポートにぞれぞれ接続されている。この冷媒回路（10）では、第２四方切換弁（52）の第３のポートから第４のポートへ向かって順に、第１吸着熱交換器（31）と電動膨張弁（40）と第２吸着熱交換器（32）とが配置されている。
【０１１４】
上記第１四方切換弁（51）は、第１のポートと第３のポートが互いに連通して第２のポートと第４のポートが互いに連通する第１状態（図７に示す状態）と、第１のポートと第４のポートが互いに連通して第２のポートと第３ポートが互いに連通する第２状態（図８に示す状態）とに切り換わる。一方、上記第２四方切換弁（52）は、第１のポートと第３のポートが互いに連通して第２のポートと第４のポートが互いに連通する第１状態（図７(Ａ)及び図８(Ｂ)に示す状態）と、第１のポートと第４のポートが互いに連通して第２のポートと第３ポートが互いに連通する第２状態（図７(Ｂ)及び図８(Ａ)に示す状態）とに切り換わる。
【０１１５】
−運転動作−
本実施形態の空気調和装置では、除湿冷房運転と加湿暖房運転とが行われる。
【０１１６】
〈除湿冷房運転〉
除湿冷房運転中の動作について、図７を参照しながら説明する。
【０１１７】
除湿冷房運転中には、第１四方切換弁（51）が第１状態に設定されると共に電動膨張弁（40）の開度が適宜調節され、室外熱交換器（21）が凝縮器となる。また、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０１１８】
更に、除湿冷房運転中には、室外熱交換器（21）へ室外空気が供給され、第１及び第２吸着熱交換器（31,32）へ室内空気が供給される。そして、第１吸着熱交換器（31）を通過した空気と第２吸着熱交換器（32）を通過した空気とが交互に室内へ供給される。
【０１１９】
第１動作では、第１吸着熱交換器（31）についての再生動作と、第２吸着熱交換器（32）についての吸着動作とが並行して行われる。第１動作中は、図７(Ａ)に示すように、第２四方切換弁（52）が第１状態に設定される。この状態で、圧縮機（20）から吐出された冷媒は、室外熱交換器（21）と第１吸着熱交換器（31）を順に通過する間に凝縮し、その後、電動膨張弁（40）で減圧されてから第２吸着熱交換器（32）で蒸発し、圧縮機（20）へ吸入されて圧縮される。
【０１２０】
この第１動作中において、室外熱交換器（21）で冷媒から吸熱した室外空気が室外へ排出される。第１吸着熱交換器（31）では、冷媒で加熱された吸着材から水分が脱離し、この脱離した水分が空気に付与される。第１吸着熱交換器（31）から脱離した水分は、室内空気と共に室外へ排出される。第２吸着熱交換器（32）では、室内空気中の水分が吸着材に吸着されて室内空気が除湿され、その際に生じた吸着熱が冷媒に吸熱される。第２吸着熱交換器（32）で除湿された室内空気は、室内へ送り返される。
【０１２１】
また、この第１動作は、第１吸着熱交換器（31）の吸着材が飽和状態になった後も所定の時間に亘って継続される。その場合は、第１吸着熱交換器（31）で吸着熱が発生しないため、第１吸着熱交換器（31）で室内空気が冷却され、この冷却された室内空気が室内へ送り返される。
【０１２２】
第２動作では、第１吸着熱交換器（31）についての吸着動作と、第２吸着熱交換器（32）についての再生動作とが並行して行われる。第２動作中は、図７(Ｂ)に示すように、第２四方切換弁（52）が第２状態に設定される。この状態で、圧縮機（20）から吐出された冷媒は、室外熱交換器（21）と第２吸着熱交換器（32）を順に通過する間に凝縮し、その後、電動膨張弁（40）で減圧されてから第１吸着熱交換器（31）で蒸発し、圧縮機（20）へ吸入されて圧縮される。
【０１２３】
この第２動作中において、室外熱交換器（21）で冷媒から吸熱した室外空気が室外へ排出される。第１吸着熱交換器（31）では、室内空気中の水分が吸着材に吸着されて室内空気が除湿され、その際に生じた吸着熱が冷媒に吸熱される。第１吸着熱交換器（31）で除湿された室内空気は、室内へ送り返される。第２吸着熱交換器（32）では、冷媒で加熱された吸着材から水分が脱離し、この脱離した水分が空気に付与される。第２吸着熱交換器（32）から脱離した水分は、室内空気と共に室外へ排出される。
【０１２４】
また、この第２動作は、第２吸着熱交換器（32）の吸着材が飽和状態になった後も所定の時間に亘って継続される。その場合は、第２吸着熱交換器（32）で吸着熱が発生しないため、第２吸着熱交換器（32）で室内空気が冷却され、この冷却された室内空気が室内へ送り返される。
【０１２５】
〈加湿暖房運転〉
加湿暖房運転中の動作について、図８を参照しながら説明する。
【０１２６】
加湿暖房運転中には、第１四方切換弁（51）が第２状態に設定されると共に電動膨張弁（40）の開度が適宜調節され、室外熱交換器（21）が蒸発器となる。また、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０１２７】
更に、加湿暖房運転中には、室外熱交換器（21）へ室外空気が供給され、第１及び第２吸着熱交換器（31,32）へ室内空気が供給される。そして、室内熱交換器（22）で冷却された空気が室内へ連続的に供給される一方、第１吸着熱交換器（31）で除湿された空気と第２吸着熱交換器（32）で除湿された空気とが交互に室内へ供給される。
【０１２８】
第１動作では、第１吸着熱交換器（31）についての再生動作と、第２吸着熱交換器（32）についての吸着動作とが並行して行われる。第１動作中は、図８(Ａ)に示すように、第２四方切換弁（52）が第２状態に設定され。この状態で、圧縮機（20）から吐出された冷媒は、第１吸着熱交換器（31）で凝縮してから電動膨張弁（40）で減圧され、その後、第２吸着熱交換器（32）と室外熱交換器（21）を順に通過する間に蒸発し、圧縮機（20）へ吸入されて圧縮される。
【０１２９】
この第１動作中において、室外熱交換器（21）で冷媒へ放熱した室外空気が室外へ排出される。第１吸着熱交換器（31）では、冷媒で加熱された吸着材から水分が脱離し、この脱離した水分が空気に付与される。第１吸着熱交換器（31）で加湿された室内空気は、室内へ送り返される。第２吸着熱交換器（32）では、室内空気中の水分が吸着材に吸着されて室内空気が除湿され、その際に生じた吸着熱が冷媒に吸熱される。第２吸着熱交換器（32）で水分を奪われた室内空気は、室外へ排出される。
【０１３０】
また、この第１動作は、第１吸着熱交換器（31）の再生が完了した後も所定の時間に亘って継続される。その場合は、第１吸着熱交換器（31）からの水分の脱離は行われないため、第１吸着熱交換器（31）で室内空気が加熱され、この加熱された室内空気が室内へ送り返される。
【０１３１】
第２動作では、第１吸着熱交換器（31）についての吸着動作と、第２吸着熱交換器（32）についての再生動作とが並行して行われる。第２動作中は、図８(Ｂ)に示すように、第２四方切換弁（52）が第１状態に設定される。この状態で、圧縮機（20）から吐出された冷媒は、第２吸着熱交換器（32）で凝縮してから電動膨張弁（40）で減圧され、その後、第１吸着熱交換器（31）と室外熱交換器（21）を順に通過する間に蒸発し、圧縮機（20）へ吸入されて圧縮される。
【０１３２】
この第２動作中において、室外熱交換器（21）で冷媒へ放熱した室外空気が室外へ排出される。第１吸着熱交換器（31）では、室内空気中の水分が吸着材に吸着されて室内空気が除湿され、その際に生じた吸着熱が冷媒に吸熱される。第１吸着熱交換器（31）で水分を奪われた室内空気は、室外へ排出される。第２吸着熱交換器（32）では、冷媒で加熱された吸着材から水分が脱離し、この脱離した水分が空気に付与される。第２吸着熱交換器（32）で加湿された室内空気は、室内へ送り返される。
【０１３３】
また、この第２動作は、第２吸着熱交換器（32）の再生が完了した後も所定の時間に亘って継続される。その場合は、第２吸着熱交換器（32）からの水分の脱離は行われないため、第２吸着熱交換器（32）で室内空気が加熱され、この加熱された室内空気が室内へ送り返される。
【０１３４】
−実施形態３の効果−
本実施形態によれば、上記参考技術１で得られる効果に加え、次のような効果が得られる。つまり、本実施形態では、２つの吸着熱交換器（31,32）の一方についての吸着動作と他方についての再生動作とを同時に並行して行っている。従って、本実施形態によれば、吸着動作の対象である吸着熱交換器（31,32）又は再生動作の対象である吸着熱交換器（31,32）を通過した空気を室内へ供給することで、湿度や温度の調節調節された空気を室内へ連続的に供給することが可能となる。
【０１３５】
《参考技術２》
参考技術２について説明する。本参考技術の空気調和装置は、上記参考技術１の空気調和装置において冷媒回路（10）の構成を変更したものである。
【０１３６】
図９及び図１０に示すように、上記冷媒回路（10）には、１つの圧縮機（20）と２つの電動膨張弁（41,42）と１つの四方切換弁（50）とが設けられている。また、冷媒回路（10）には、１つの室外熱交換器（21）と２つの吸着熱交換器（31,32）とが設けられている。この冷媒回路（10）では、室外熱交換器（21）が熱源側熱交換器を、第１及び第２吸着熱交換器（31,32）が利用側熱交換器をそれぞれ構成している。つまり、本参考技術の冷媒回路（10）に利用側熱交換器として設けられているのは、２つの吸着熱交換器（31,32）だけである。尚、室外熱交換器（21）、及び各吸着熱交換器（31,32）は、それぞれ上記参考技術１のものと同様に構成されている。
【０１３７】
上記冷媒回路（10）の構成について説明する。圧縮機（20）は、その吐出側が四方切換弁（50）の第１のポートに、その吸入側が四方切換弁（50）の第２のポートにそれぞれ接続されている。この冷媒回路（10）では、四方切換弁（50）の第３のポートから第４のポートへ向かって順に、第１吸着熱交換器（31）と第１電動膨張弁（41）と室外熱交換器（21）と第２電動膨張弁（42）と第２吸着熱交換器（32）とが配置されている。
【０１３８】
上記四方切換弁（50）は、第１のポートと第３のポートが互いに連通して第２のポートと第４のポートが互いに連通する第１状態（図９(Ａ)及び図１０(Ａ)に示す状態）と、第１のポートと第４のポートが互いに連通して第２のポートと第３ポートが互いに連通する第２状態（図９(Ｂ)及び図１０(Ｂ)に示す状態）とに切り換わる。
【０１３９】
−運転動作−
本参考技術の空気調和装置では、除湿冷房運転と加湿暖房運転とが行われる。
【０１４０】
〈除湿冷房運転〉
除湿冷房運転中の動作について、図９を参照しながら説明する。
【０１４１】
除湿冷房運転中には、四方切換弁（50）が第１状態に設定され、室外熱交換器（21）が凝縮器となる。また、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０１４２】
更に、除湿冷房運転中には、室外熱交換器（21）へ室外空気が供給され、第１及び第２吸着熱交換器（31,32）へ室内空気が供給される。そして、第１吸着熱交換器（31）を通過した空気と第２吸着熱交換器（32）を通過した空気とが交互に室内へ供給される。
【０１４３】
第１動作では、第１吸着熱交換器（31）についての再生動作と、第２吸着熱交換器（32）についての吸着動作とが並行して行われる。第１動作中は、図９(Ａ)に示すように、四方切換弁（50）が第１状態に設定され、第１電動膨張弁（41）が全開状態に設定され、第２電動膨張弁（42）の開度が適宜調節される。この状態で、圧縮機（20）から吐出された冷媒は、第１吸着熱交換器（31）と室外熱交換器（21）を順に通過する間に凝縮し、その後、第２電動膨張弁（42）で減圧されてから第２吸着熱交換器（32）で蒸発し、圧縮機（20）へ吸入されて圧縮される。
【０１４４】
この第１動作中において、室外熱交換器（21）で冷媒から吸熱した室外空気が室外へ排出される。第１吸着熱交換器（31）では、冷媒で加熱された吸着材から水分が脱離し、この脱離した水分が空気に付与される。第１吸着熱交換器（31）から脱離した水分は、空気と共に室外へ排出される。第２吸着熱交換器（32）では、室内空気中の水分が吸着材に吸着されて室内空気が除湿され、その際に生じた吸着熱が冷媒に吸熱される。第２吸着熱交換器（32）で除湿された室内空気は、室内へ送り返される。
【０１４５】
また、この第１動作は、第１吸着熱交換器（31）の吸着材が飽和状態になった後も所定の時間に亘って継続される。その場合は、第１吸着熱交換器（31）で吸着熱が発生しないため、第１吸着熱交換器（31）で室内空気が冷却され、この冷却された室内空気が室内へ送り返される。
【０１４６】
第２動作では、第１吸着熱交換器（31）についての吸着動作と、第２吸着熱交換器（32）についての再生動作とが並行して行われる。第２動作中は、図９(Ｂ)に示すように、四方切換弁（50）が第２状態に設定され、第１電動膨張弁（41）の開度が適宜調節され、第２電動膨張弁（42）が全開状態に設定される。この状態で、圧縮機（20）から吐出された冷媒は、第２吸着熱交換器（32）と室外熱交換器（21）を順に通過する間に凝縮し、その後、第１電動膨張弁（41）で減圧されてから第１吸着熱交換器（31）で蒸発し、圧縮機（20）へ吸入されて圧縮される。
【０１４７】
この第２動作中において、室外熱交換器（21）で冷媒から吸熱した室外空気が室外へ排出される。第１吸着熱交換器（31）では、室内空気中の水分が吸着材に吸着されて室内空気が除湿され、その際に生じた吸着熱が冷媒に吸熱される。第１吸着熱交換器（31）で除湿された室内空気は、室内へ送り返される。第２吸着熱交換器（32）では、冷媒で加熱された吸着材から水分が脱離し、この脱離した水分が空気に付与される。第２吸着熱交換器（32）から脱離した水分は、空気と共に室外へ排出される。
【０１４８】
また、この第２動作は、第２吸着熱交換器（32）の吸着材が飽和状態になった後も所定の時間に亘って継続される。その場合は、第２吸着熱交換器（32）で吸着熱が発生しないため、第２吸着熱交換器（32）で室内空気が冷却され、この冷却された室内空気が室内へ送り返される。
【０１４９】
〈加湿暖房運転〉
加湿暖房運転中の動作について、図１０を参照しながら説明する。
【０１５０】
加湿暖房運転中には、四方切換弁（50）が第１状態に設定され、室外熱交換器（21）が蒸発器となる。また、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０１５１】
更に、加湿暖房運転中には、室外熱交換器（21）へ室外空気が供給され、第１及び第２吸着熱交換器（31,32）へ室内空気が供給される。そして、第１吸着熱交換器（31）を通過した空気と第２吸着熱交換器（32）を通過した空気とが交互に室内へ供給される。
【０１５２】
第１動作では、第１吸着熱交換器（31）についての再生動作と、第２吸着熱交換器（32）についての吸着動作とが並行して行われる。第１動作中は、図１０(Ａ)に示すように、四方切換弁（50）が第１状態に設定され、第１電動膨張弁（41）の開度が適宜調節され、第２電動膨張弁（42）が全開状態に設定される。この状態で、圧縮機（20）から吐出された冷媒は、第１吸着熱交換器（31）で凝縮した後に第１電動膨張弁（41）で減圧され、その後、室外熱交換器（21）と第２吸着熱交換器（32）を順に通過する間に蒸発し、圧縮機（20）へ吸入されて圧縮される。
【０１５３】
この第１動作中において、室外熱交換器（21）で冷媒へ放熱した室外空気が室外へ排出される。第１吸着熱交換器（31）では、冷媒で加熱された吸着材から水分が脱離し、この脱離した水分が空気に付与される。第１吸着熱交換器（31）で加湿された室内空気は、室内へ送り返される。第２吸着熱交換器（32）では、室内空気中の水分が吸着材に吸着されて室内空気が除湿され、その際に生じた吸着熱が冷媒に吸熱される。第２吸着熱交換器（32）で水分を奪われた室内空気は、室外へ排出される。
【０１５４】
また、この第１動作は、第１吸着熱交換器（31）の再生が完了した後も所定の時間に亘って継続される。その場合は、第１吸着熱交換器（31）からの水分の脱離は行われないため、第１吸着熱交換器（31）で室内空気が加熱され、この加熱された室内空気が室内へ送り返される。
【０１５５】
第２動作では、第１吸着熱交換器（31）についての吸着動作と、第２吸着熱交換器（32）についての再生動作とが並行して行われる。第２動作中は、図１０(Ｂ)に示すように、四方切換弁（50）が第２状態に設定され、第１電動膨張弁（41）が全開状態に設定され、第２電動膨張弁（42）の開度が適宜調節される。この状態で、圧縮機（20）から吐出された冷媒は、第２吸着熱交換器（32）で凝縮してから第２電動膨張弁（42）で減圧され、その後、室外熱交換器（21）と第１吸着熱交換器（31）を順に通過する間に蒸発し、圧縮機（20）へ吸入されて圧縮される。
【０１５６】
この第２動作中において、室外熱交換器（21）で冷媒へ放熱した室外空気が室外へ排出される。第１吸着熱交換器（31）では、室内空気中の水分が吸着材に吸着されて室内空気が除湿され、その際に生じた吸着熱が冷媒に吸熱される。第１吸着熱交換器（31）で水分を奪われた室内空気は、室外へ排出される。第２吸着熱交換器（32）では、冷媒で加熱された吸着材から水分が脱離し、この脱離した水分が空気に付与される。第２吸着熱交換器（32）で加湿された室内空気は、室内へ送り返される。
【０１５７】
また、この第２動作は、第２吸着熱交換器（32）の再生が完了した後も所定の時間に亘って継続される。その場合は、第２吸着熱交換器（32）からの水分の脱離は行われないため、第２吸着熱交換器（32）で室内空気が加熱され、この加熱された室内空気が室内へ送り返される。
【０１５８】
−参考技術２の効果−
本参考技術によれば、上記実施形態３で得られる効果と同様の効果が得られる。
【０１５９】
《発明の実施形態４》
本発明の実施形態４について説明する。本実施形態の空気調和装置は、上記参考技術１の空気調和装置において冷媒回路（10）の構成を変更したものである。
【０１６０】
図１１及び図１２に示すように、上記冷媒回路（10）には、圧縮機（20）と電動膨張弁（40）と四方切換弁（50）とが１つずつ設けられ、電磁弁（61,62）が２つ設けられている。また、冷媒回路（10）には、１つの室外熱交換器（21）と２つの吸着熱交換器（31,32）とが設けられている。この冷媒回路（10）では、室外熱交換器（21）が熱源側熱交換器を、第１及び第２吸着熱交換器（31,32）が利用側熱交換器をそれぞれ構成している。つまり、本実施形態の冷媒回路（10）に利用側熱交換器として設けられているのは、２つの吸着熱交換器（31,32）だけである。尚、室外熱交換器（21）、及び各吸着熱交換器（31,32）は、それぞれ上記参考技術１のものと同様に構成されている。
【０１６１】
上記冷媒回路（10）の構成について説明する。圧縮機（20）は、その吐出側が四方切換弁（50）の第１のポートに、その吸入側が四方切換弁（50）の第２のポートにそれぞれ接続されている。四方切換弁（50）の第３のポートは、室外熱交換器（21）の一端に接続されている。室外熱交換器（21）の他端は、電動膨張弁（40）を介して第１電磁弁（61）の一端と第２電磁弁（62）の一端とにそれぞれ接続されている。第１電磁弁（61）の他端は第１吸着熱交換器（31）の一端に、第２電磁弁（62）の他端は第２吸着熱交換器（32）の一端にそれぞれ接続されている。第１吸着熱交換器（31）の他端と第２吸着熱交換器（32）の他端とは、何れも四方切換弁（50）の第４のポートに接続されている。
【０１６２】
上記四方切換弁（50）は、第１のポートと第３のポートが互いに連通して第２のポートと第４のポートが互いに連通する第１状態（図１１に示す状態）と、第１のポートと第４のポートが互いに連通して第２のポートと第３ポートが互いに連通する第２状態（図１２に示す状態）とに切り換わる。
【０１６３】
−運転動作−
本実施形態の空気調和装置では、除湿冷房運転と加湿暖房運転とが行われる。
【０１６４】
〈除湿冷房運転〉
除湿冷房運転中の動作について、図１１を参照しながら説明する。
【０１６５】
除湿冷房運転中には、四方切換弁（50）が第１状態に設定され、電動膨張弁（40）の開度が適宜調節されて、室外熱交換器（21）が凝縮器となる。また、第１吸着熱交換器（31）が蒸発器となって第２吸着熱交換器（32）が休止する第１動作と、第２吸着熱交換器（32）が蒸発器となって第１吸着熱交換器（31）が休止する第２動作とが交互に繰り返される。
【０１６６】
更に、除湿冷房運転中には、室外熱交換器（21）へ室外空気が供給され、第１及び第２吸着熱交換器（31,32）へ室内空気が供給される。そして、第１吸着熱交換器（31）を通過した空気と第２吸着熱交換器（32）を通過した空気とが交互に室内へ供給される。
【０１６７】
第１動作では、第１吸着熱交換器（31）についての吸着動作と、第２吸着熱交換器（32）についての再生動作とが並行して行われる。第１動作中は、図１１(Ａ)に示すように、第１電磁弁（61）が開放され、第２電磁弁（62）が閉鎖される。この状態で、圧縮機（20）から吐出された冷媒は、室外熱交換器（21）で凝縮してから電動膨張弁（40）で減圧され、その後、第１吸着熱交換器（31）で蒸発してから圧縮機（20）へ吸入されて圧縮される。その際、第２吸着熱交換器（32）への冷媒の流入は、第２電磁弁（62）によって遮断される。
【０１６８】
この第１動作中において、室外熱交換器（21）で冷媒から吸熱した室外空気が室外へ排出される。第１吸着熱交換器（31）では、室内空気中の水分が吸着材に吸着されて室内空気が除湿され、その際に生じた吸着熱が冷媒に吸熱される。第１吸着熱交換器（31）で除湿された室内空気は、室内へ送り返される。第２吸着熱交換器（32）では、絶対湿度の比較的低い室内空気が吸着材と接触し、該吸着材から水分が脱離する。第２吸着熱交換器（32）から脱離した水分は、空気と共に室外へ排出される。
【０１６９】
また、この第１動作は、第１吸着熱交換器（31）の吸着材が飽和状態になった後も所定の時間に亘って継続される。その場合は、第１吸着熱交換器（31）で吸着熱が発生しないため、第１吸着熱交換器（31）で室内空気が冷却され、この冷却された室内空気が室内へ送り返される。
【０１７０】
第２動作では、第１吸着熱交換器（31）についての吸着動作と、第２吸着熱交換器（32）についての再生動作とが並行して行われる。第２動作中は、図１１(Ｂ)に示すように、第１電磁弁（61）が閉鎖され、第２電磁弁（62）が開放される。この状態で、圧縮機（20）から吐出された冷媒は、室外熱交換器（21）で凝縮してから電動膨張弁（40）で減圧され、その後、第２吸着熱交換器（32）で蒸発してから圧縮機（20）へ吸入されて圧縮される。その際、第１吸着熱交換器（31）への冷媒の流入は、第１電磁弁（61）によって遮断される。
【０１７１】
この第２動作中において、室外熱交換器（21）で冷媒から吸熱した室外空気が室外へ排出される。第１吸着熱交換器（31）では、絶対湿度の比較的低い室内空気が吸着材と接触し、該吸着材から水分が脱離する。第１吸着熱交換器（31）から脱離した水分は、空気と共に室外へ排出される。第２吸着熱交換器（32）では、室内空気中の水分が吸着材に吸着されて室内空気が除湿され、その際に生じた吸着熱が冷媒に吸熱される。第２吸着熱交換器（32）で除湿された室内空気は、室内へ送り返される。
【０１７２】
また、この第２動作は、第２吸着熱交換器（32）の吸着材が飽和状態になった後も所定の時間に亘って継続される。その場合は、第２吸着熱交換器（32）で吸着熱が発生しないため、第２吸着熱交換器（32）で室内空気が冷却され、この冷却された室内空気が室内へ送り返される。
【０１７３】
〈加湿暖房運転〉
加湿暖房運転中の動作について、図１２を参照しながら説明する。
【０１７４】
加湿暖房運転中には、四方切換弁（50）が第２状態に設定されて電動膨張弁（40）の開度が適宜調節され、室外熱交換器（21）が蒸発器となる。また、第１吸着熱交換器（31）が凝縮器となって第２吸着熱交換器（32）が休止する第１動作と、第２吸着熱交換器（32）が凝縮器となって第１吸着熱交換器（31）が休止する第２動作とが交互に繰り返される。
【０１７５】
更に、加湿暖房運転中には、室外熱交換器（21）へ室外空気が供給され、第１及び第２吸着熱交換器（31,32）へ室内空気が供給される。そして、第１吸着熱交換器（31）を通過した空気と第２吸着熱交換器（32）を通過した空気とが交互に室内へ供給される。
【０１７６】
第１動作では、第１吸着熱交換器（31）についての再生動作と、第２吸着熱交換器（32）についての吸着動作とが並行して行われる。第１動作中は、図１２(Ａ)に示すように、第１電磁弁（61）が開放され、第２電磁弁（62）が閉鎖される。この状態で、圧縮機（20）から吐出された冷媒は、第１吸着熱交換器（31）で凝縮してから電動膨張弁（40）で減圧され、その後、室外熱交換器（21）で蒸発してから圧縮機（20）へ吸入されて圧縮される。その際、第２吸着熱交換器（32）への冷媒の流入は、第２電磁弁（62）によって遮断される。
【０１７７】
この第１動作中において、室外熱交換器（21）で冷媒から吸熱した室外空気が室外へ排出される。第１吸着熱交換器（31）では、冷媒で加熱された吸着材から水分が脱離し、この脱離した水分が空気に付与される。第１吸着熱交換器（31）で加湿された室内空気は、室内へ送り返される。第２吸着熱交換器（32）では、室内空気が吸着材と接触し、この室内空気中の水分が吸着材に吸着される。第２吸着熱交換器（32）で水分を奪われた室内空気は、室外へ排出される。
【０１７８】
また、この第１動作は、第１吸着熱交換器（31）の再生が完了した後も所定の時間に亘って継続される。その場合は、第１吸着熱交換器（31）からの水分の脱離は行われないため、第１吸着熱交換器（31）で室内空気が加熱され、この加熱された室内空気が室内へ送り返される。
【０１７９】
第２動作では、第１吸着熱交換器（31）についての吸着動作と、第２吸着熱交換器（32）についての再生動作とが並行して行われる。第２動作中は、図１２(Ｂ)に示すように、第１電磁弁（61）が閉鎖され、第２電磁弁（62）が開放される。この状態で、圧縮機（20）から吐出された冷媒は、第２吸着熱交換器（32）で凝縮してから電動膨張弁（40）で減圧され、その後、室外熱交換器（21）で蒸発してから圧縮機（20）へ吸入されて圧縮される。その際、第１吸着熱交換器（31）への冷媒の流入は、第１電磁弁（61）によって遮断される。
【０１８０】
この第２動作中において、室外熱交換器（21）で冷媒から吸熱した室外空気が室外へ排出される。第１吸着熱交換器（31）では、室内空気が吸着材と接触し、この室内空気中の水分が吸着材に吸着される。第１吸着熱交換器（31）で水分を奪われた室内空気は、室外へ排出される。第２吸着熱交換器（32）では、冷媒で加熱された吸着材から水分が脱離し、この脱離した水分が空気に付与される。第２吸着熱交換器（32）で加湿された室内空気は、室内へ送り返される。
【０１８１】
また、この第２動作は、第２吸着熱交換器（32）の再生が完了した後も所定の時間に亘って継続される。その場合は、第２吸着熱交換器（32）からの水分の脱離は行われないため、第２吸着熱交換器（32）で室内空気が加熱され、この加熱された室内空気が室内へ送り返される。
【０１８２】
−実施形態４の効果−
本実施形態によれば、上記参考技術１で得られる効果に加え、次のような効果が得られる。つまり、本実施形態において、除湿冷房運転中や加湿暖房運転中における第１動作と第２動作の切り換えは、２つの電磁弁（61,62）を開閉することによって行われる。このような第１動作と第２動作の切り換えは、比較的短い時間間隔（例えば５〜１０分間隔）で頻繁に行われる。従って、本実施形態によれば、第１動作と第２動作の切り換えに比較的耐久性の高い電磁弁（61,62）を利用することができ、空気調和装置の信頼性を確保することができる。
【０１８３】
《発明の参考技術３》
参考技術３について説明する。本参考技術の空気調和装置は、上記参考技術１の空気調和装置において冷媒回路（10）の構成を変更したものである。
【０１８４】
図１３及び図１４に示すように、上記冷媒回路（10）には、圧縮機（20）と電動膨張弁（40）と四方切換弁（50）とが１つずつ設けられ、電磁弁（61,62）が２つ設けられている。また、冷媒回路（10）には、１つの室内熱交換器（22）と２つの吸着熱交換器（31,32）とが設けられている。
【０１８５】
この冷媒回路（10）では、室内熱交換器（22）と第１及び第２吸着熱交換器（31,32）とがそれぞれ利用側熱交換器を構成している。また、この冷媒回路（10）では、第１吸着熱交換器（31）が熱源側熱交換器を兼ねている。尚、室内熱交換器（22）及び各吸着熱交換器（31,32）は、それぞれ上記参考技術１のものと同様に構成されている。
【０１８６】
上記冷媒回路（10）の構成について説明する。圧縮機（20）は、その吐出側が四方切換弁（50）の第１のポートに、その吸入側が四方切換弁（50）の第２のポートにそれぞれ接続されている。この冷媒回路（10）では、四方切換弁（50）の第３のポートから第４のポートへ向かって順に、第１吸着熱交換器（31）と電動膨張弁（40）と第１電磁弁（61）と室内熱交換器（22）とが配置されている。第２吸着熱交換器（32）は、その一端が室内熱交換器（22）と四方切換弁（50）の間に、その他端が第２電磁弁（62）を介して電動膨張弁（40）と第１電磁弁（61）の間にそれぞれ接続されている。
【０１８７】
上記四方切換弁（50）は、第１のポートと第３のポートが互いに連通して第２のポートと第４のポートが互いに連通する第１状態（図１３(Ａ)(Ｂ)及び図１４(Ｃ)に示す状態）と、第１のポートと第４のポートが互いに連通して第２のポートと第３ポートが互いに連通する第２状態（図１３(Ｃ)及び図１４(Ａ)(Ｂ)に示す状態）とに切り換わる。
【０１８８】
−運転動作−
本参考技術の空気調和装置では、除湿冷房運転と加湿暖房運転とが行われる。
【０１８９】
〈除湿冷房運転〉
除湿冷房運転中の動作について、図１３を参照しながら説明する。
【０１９０】
除湿冷房運転中には、第１動作と第２動作と第３動作とが順に繰り返し行われる。第１動作では、第１吸着熱交換器（31）が凝縮器となって第２吸着熱交換器（32）が蒸発器となり、室内熱交換器（22）が休止する。第２動作では、第１吸着熱交換器（31）が凝縮器となって室内熱交換器（22）が蒸発器となり、第２吸着熱交換器（32）が休止する。第３動作では、第２吸着熱交換器（32）が凝縮器となって第１吸着熱交換器（31）が蒸発器となり、室内熱交換器（22）が休止する。
【０１９１】
更に、除湿冷房運転中には、第１吸着熱交換器（31）へ室外空気が供給される。また、除湿冷房運転において、第１動作中及び第３動作中には第２吸着熱交換器（32）だけに室内空気が供給され、第２動作中には室内熱交換器（22）だけに室内空気が供給される。
【０１９２】
第１動作では、第１吸着熱交換器（31）についての再生動作と第２吸着熱交換器（32）についての吸着動作とが並行して行われる。第１動作中は、図１３(Ａ)に示すように、四方切換弁（50）が第１状態に設定され、第１電磁弁（61）が閉鎖され、第２電磁弁（62）が開放される。この状態で、圧縮機（20）から吐出された冷媒は、第１吸着熱交換器（31）で凝縮してから電動膨張弁（40）で減圧され、その後、第２吸着熱交換器（32）で蒸発してから圧縮機（20）へ吸入されて圧縮される。その際、室内熱交換器（22）への冷媒の流入は、第１電磁弁（61）によって遮断される。
【０１９３】
この第１動作中において、第１吸着熱交換器（31）では、冷媒で加熱された吸着材から水分が脱離し、この脱離した水分が空気に付与される。第１吸着熱交換器（31）から脱離した水分は、空気と共に室外へ排出される。また、第２吸着熱交換器（32）では、室内空気中の水分が吸着材に吸着されて室内空気が除湿され、その際に生じた吸着熱が冷媒に吸熱される。第２吸着熱交換器（32）で除湿された室内空気は、室内へ送り返される。
【０１９４】
第２動作では、第１吸着熱交換器（31）が熱源側熱交換器として機能する。第２動作中は、図１３(Ｂ)に示すように、四方切換弁（50）が第１状態に設定され、第１電磁弁（61）が開放され、第２電磁弁（62）が閉鎖される。この状態で、圧縮機（20）から吐出された冷媒は、第１吸着熱交換器（31）で凝縮してから電動膨張弁（40）で減圧され、その後、室内熱交換器（22）で蒸発してから圧縮機（20）へ吸入されて圧縮される。その際、第２吸着熱交換器（32）への冷媒の流入は、第２電磁弁（62）によって遮断される。この第２動作中には、第１吸着熱交換器（31）で冷媒から吸熱した室外空気が室外へ排出され、室内熱交換器（22）で冷却された室内空気が室内へ送り返される。
【０１９５】
第３動作では、第２吸着熱交換器（32）についての再生動作と第１吸着熱交換器（31）についての吸着動作とが並行して行われる。第３動作中は、図１３(Ｃ)に示すように、四方切換弁（50）が第２状態に設定され、第１電磁弁（61）が閉鎖され、第２電磁弁（62）が開放される。この状態で、圧縮機（20）から吐出された冷媒は、第２吸着熱交換器（32）で凝縮してから電動膨張弁（40）で減圧され、その後、第１吸着熱交換器（31）で蒸発してから圧縮機（20）へ吸入されて圧縮される。その際、室内熱交換器（22）への冷媒の流入は、第１電磁弁（61）によって遮断される。
【０１９６】
この第３動作中において、第１吸着熱交換器（31）では、室内空気中の水分が吸着材に吸着されて室内空気が除湿され、その際に生じた吸着熱が冷媒に吸熱される。第１吸着熱交換器（31）で除湿された空気は、室内へ供給される。また、第２吸着熱交換器（32）では、冷媒で加熱された吸着材から水分が脱離し、この脱離した水分が空気に付与される。第２吸着熱交換器（32）から脱離した水分は、空気と共に室外へ排出される。
【０１９７】
〈加湿暖房運転〉
加湿暖房運転中の動作について、図１４を参照しながら説明する。
【０１９８】
加湿暖房運転中には、第１動作と第２動作と第３動作とが順に繰り返し行われる。第１動作では、第２吸着熱交換器（32）が凝縮器となって第１吸着熱交換器（31）が蒸発器となり、室内熱交換器（22）が休止する。第２動作では、室内熱交換器（22）が凝縮器となって第１吸着熱交換器（31）が蒸発器となり、第２吸着熱交換器（32）が休止する。第３動作では、第１吸着熱交換器（31）が凝縮器となって第２吸着熱交換器（32）が蒸発器となり、室内熱交換器（22）が休止する。
【０１９９】
更に、加湿暖房運転中には、第１吸着熱交換器（31）へ室外空気が供給される。また、除湿冷房運転において、第１動作中及び第３動作中には第２吸着熱交換器（32）だけに室内空気が供給され、第２動作中には室内熱交換器（22）だけに室内空気が供給される。
【０２００】
第１動作では、第１吸着熱交換器（31）についての吸着動作と第２吸着熱交換器（32）についての再生動作とが並行して行われる。第１動作中は、図１４(Ａ)に示すように、四方切換弁（50）が第２状態に設定され、第１電磁弁（61）が閉鎖され、第２電磁弁（62）が開放される。この状態で、圧縮機（20）から吐出された冷媒は、第２吸着熱交換器（32）で凝縮してから電動膨張弁（40）で減圧され、その後、第１吸着熱交換器（31）で蒸発してから圧縮機（20）へ吸入されて圧縮される。その際、室内熱交換器（22）への冷媒の流入は、第１電磁弁（61）によって遮断される。
【０２０１】
この第１動作中において、第２吸着熱交換器（32）では、冷媒で加熱された吸着材から水分が脱離し、この脱離した水分が空気に付与される。第２吸着熱交換器（32）で加湿された室内空気は、室内へ送り返される。また、第１吸着熱交換器（31）では、室外空気中の水分が吸着材に吸着され、その際に生じた吸着熱が冷媒に吸熱される。第１吸着熱交換器（31）で水分を奪われた室外空気は、室外へ排出される。
【０２０２】
第２動作では、第１吸着熱交換器（31）が熱源側熱交換器として機能する。第２動作中は、図１４(Ｂ)に示すように、四方切換弁（50）が第２状態に設定され、第１電磁弁（61）が開放され、第２電磁弁（62）が閉鎖される。この状態で、圧縮機（20）から吐出された冷媒は、室内熱交換器（22）で凝縮してから電動膨張弁（40）で減圧され、その後、第１吸着熱交換器（31）で蒸発してから圧縮機（20）へ吸入されて圧縮される。その際、第２吸着熱交換器（32）への冷媒の流入は、第２電磁弁（62）によって遮断される。そして、第２動作中には、第１吸着熱交換器（31）で冷媒へ放熱した室外空気が室外へ排出され、室内熱交換器（22）で加熱された室内空気が室内へ送り返される。
【０２０３】
第３動作では、第１吸着熱交換器（31）についての再生動作と第２吸着熱交換器（32）についての吸着動作とが並行して行われる。第３動作中は、図１４(Ｃ)に示すように、四方切換弁（50）が第１状態に設定され、第１電磁弁（61）が閉鎖され、第２電磁弁（62）が開放される。この状態で、圧縮機（20）から吐出された冷媒は、第１吸着熱交換器（31）で凝縮してから電動膨張弁（40）で減圧され、その後、第２吸着熱交換器（32）で蒸発してから圧縮機（20）へ吸入されて圧縮される。その際、室内熱交換器（22）への冷媒の流入は、第１電磁弁（61）によって遮断される。
【０２０４】
この第３動作中において、第１吸着熱交換器（31）では、冷媒で加熱された吸着材から水分が脱離し、この脱離した水分が空気に付与される。第１吸着熱交換器（31）で加湿された空気は、室内へ供給される。また、第２吸着熱交換器（32）では、室内空気中の水分が吸着材に吸着され、その際に生じた吸着熱が冷媒に吸熱される。第２吸着熱交換器（32）で水分を奪われた空気は、室外へ排出される。
【０２０５】
−参考技術３の効果−
本参考技術によれば、上記参考技術１で得られる効果と同様の効果が得られる。
【０２０６】
《発明の実施形態５》
本発明の実施形態５について説明する。本実施形態の空気調和装置は、上記参考技術１の空気調和装置において冷媒回路（10）の構成を変更したものである。
【０２０７】
図１５及び図１６に示すように、上記冷媒回路（10）には、圧縮機（20）と電動膨張弁（40）とが１つずつ設けられ、四方切換弁（51,52）が２つ設けられている。また、冷媒回路（10）には、室外熱交換器（21）と室内熱交換器（22）とが１つずつ設けられ、吸着熱交換器（31,32）が２つ設けられている。この冷媒回路（10）では、室外熱交換器（21）が熱源側熱交換器を、室内熱交換器（22）と第１及び第２吸着熱交換器（31,32）とが利用側熱交換器をそれぞれ構成している。尚、室外熱交換器（21）、室内熱交換器（22）、及び各吸着熱交換器（31,32）は、それぞれ上記参考技術１のものと同様に構成されている。
【０２０８】
上記冷媒回路（10）の構成について説明する。圧縮機（20）は、その吐出側が第１四方切換弁（51）の第１のポートに、その吸入側が第１四方切換弁（51）の第２のポートにそれぞれ接続されている。室外熱交換器（21）は、その一端が第１四方切換弁（51）の第３のポートに、他端が第２四方切換弁（52）の第１のポートにそれぞれ接続されている。室内熱交換器（22）は、その一端が第１四方切換弁（51）の第４のポートに、他端が第２四方切換弁（52）の第２のポートにそれぞれ接続されている。この冷媒回路（10）では、第２四方切換弁（52）の第３のポートから第４のポートへ向かって順に、第１吸着熱交換器（31）と電動膨張弁（40）と第２吸着熱交換器（32）とが配置されている。
【０２０９】
上記第１四方切換弁（51）は、第１のポートと第３のポートが互いに連通して第２のポートと第４のポートが互いに連通する第１状態（図１５に示す状態）と、第１のポートと第４のポートが互いに連通して第２のポートと第３ポートが互いに連通する第２状態（図１６に示す状態）とに切り換わる。一方、上記第２四方切換弁（52）は、第１のポートと第３のポートが互いに連通して第２のポートと第４のポートが互いに連通する第１状態（図１５(Ａ)及び図１６(Ｂ)に示す状態）と、第１のポートと第４のポートが互いに連通して第２のポートと第３ポートが互いに連通する第２状態（図１５(Ｂ)及び図１６(Ａ)に示す状態）とに切り換わる。
【０２１０】
−運転動作−
本実施形態の空気調和装置では、除湿冷房運転と加湿暖房運転とが行われる。
【０２１１】
〈除湿冷房運転〉
除湿冷房運転中の動作について、図１５を参照しながら説明する。
【０２１２】
除湿冷房運転中には、第１四方切換弁（51）が第１状態に設定されると共に電動膨張弁（40）の開度が適宜調節され、室外熱交換器（21）が凝縮器となって室内熱交換器（22）が蒸発器となる。また、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０２１３】
更に、除湿冷房運転中には、室外熱交換器（21）へ室外空気が供給され、室内熱交換器（22）と第１及び第２吸着熱交換器（31,32）へ室内空気が供給される。そして、室内熱交換器（22）を通過した空気が室内へ連続的に供給されると共に、第１吸着熱交換器（31）を通過した空気と第２吸着熱交換器（32）を通過した空気とが交互に室内へ供給される。
【０２１４】
第１動作では、第１吸着熱交換器（31）についての再生動作と、第２吸着熱交換器（32）についての吸着動作とが並行して行われる。第１動作中は、図１５(Ａ)に示すように、第２四方切換弁（52）が第１状態に設定される。この状態で、圧縮機（20）から吐出された冷媒は、室外熱交換器（21）と第１吸着熱交換器（31）を順に通過する間に凝縮し、電動膨張弁（40）で減圧され、その後、第２吸着熱交換器（32）と室内熱交換器（22）を順に通過する間に蒸発し、圧縮機（20）へ吸入されて圧縮される。
【０２１５】
この第１動作中において、室外熱交換器（21）で冷媒から吸熱した室外空気が室外へ排出され、室内熱交換器（22）で冷却された室内空気が室内へ送り返される。第１吸着熱交換器（31）では、冷媒で加熱された吸着材から水分が脱離し、この脱離した水分が空気に付与される。第１吸着熱交換器（31）から脱離した水分は、空気と共に室外へ排出される。第２吸着熱交換器（32）では、室内空気中の水分が吸着材に吸着されて室内空気が除湿され、その際に生じた吸着熱が冷媒に吸熱される。第２吸着熱交換器（32）で除湿された室内空気は、室内へ送り返される。
【０２１６】
第２動作では、第１吸着熱交換器（31）についての吸着動作と、第２吸着熱交換器（32）についての再生動作とが並行して行われる。第２動作中は、図１５(Ｂ)に示すように、第２四方切換弁（52）が第２状態に設定される。この状態で、圧縮機（20）から吐出された冷媒は、室外熱交換器（21）と第２吸着熱交換器（32）を順に通過する間に凝縮し、電動膨張弁（40）で減圧され、その後、第１吸着熱交換器（31）と室内熱交換器（22）を順に通過する間に蒸発し、圧縮機（20）へ吸入されて圧縮される。
【０２１７】
この第２動作中において、室外熱交換器（21）で冷媒から吸熱した室外空気が室外へ排出され、室内熱交換器（22）で冷却された室内空気が室内へ送り返される。第１吸着熱交換器（31）では、室内空気中の水分が吸着材に吸着されて室内空気が除湿され、その際に生じた吸着熱が冷媒に吸熱される。第１吸着熱交換器（31）で除湿された室内空気は、室内へ送り返される。第２吸着熱交換器（32）では、冷媒で加熱された吸着材から水分が脱離し、この脱離した水分が空気に付与される。第２吸着熱交換器（32）から脱離した水分は、空気と共に室外へ排出される。
【０２１８】
〈加湿暖房運転〉
加湿暖房運転中の動作について、図１６を参照しながら説明する。
【０２１９】
加湿暖房運転中には、第１四方切換弁（51）が第２状態に設定されると共に電動膨張弁（40）の開度が適宜調節され、室内熱交換器（22）が凝縮器となって室外熱交換器（21）が蒸発器となる。また、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０２２０】
更に、加湿暖房運転中には、室外熱交換器（21）へ室外空気が供給され、室内熱交換器（22）と第１及び第２吸着熱交換器（31,32）へ室内空気が供給される。そして、室内熱交換器（22）を通過した空気が室内へ連続的に供給されると共に、第１吸着熱交換器（31）を通過した空気と第２吸着熱交換器（32）を通過した空気とが交互に室内へ供給される。
【０２２１】
第１動作では、第１吸着熱交換器（31）についての再生動作と、第２吸着熱交換器（32）についての吸着動作とが並行して行われる。第１動作中は、図１６(Ａ)に示すように、第２四方切換弁（52）が第２状態に設定される。この状態で、圧縮機（20）から吐出された冷媒は、室内熱交換器（22）と第１吸着熱交換器（31）を順に通過する間に凝縮し、電動膨張弁（40）で減圧され、その後、第２吸着熱交換器（32）と室外熱交換器（21）を順に通過する間に蒸発し、圧縮機（20）へ吸入されて圧縮される。
【０２２２】
この第１動作中において、室外熱交換器（21）で冷媒へ放熱した室外空気が室外へ排出され、室内熱交換器（22）で加熱された室内空気が室内へ送り返される。第１吸着熱交換器（31）では、冷媒で加熱された吸着材から水分が脱離し、この脱離した水分が空気に付与される。第１吸着熱交換器（31）で加湿された室内空気は、室内へ送り返される。第２吸着熱交換器（32）では、室内空気中の水分が吸着材に吸着されて室内空気が除湿され、その際に生じた吸着熱が冷媒に吸熱される。第２吸着熱交換器（32）で水分を奪われた室内空気は、室外へ排出される。
【０２２３】
第２動作では、第１吸着熱交換器（31）についての吸着動作と、第２吸着熱交換器（32）についての再生動作とが並行して行われる。第２動作中は、図１６(Ｂ)に示すように、第２四方切換弁（52）が第１状態に設定される。この状態で、圧縮機（20）から吐出された冷媒は、室内熱交換器（22）と第２吸着熱交換器（32）を順に通過する間に凝縮し、続いて電動膨張弁（40）で減圧され、その後、第１吸着熱交換器（31）と室外熱交換器（21）を順に通過する間に蒸発し、圧縮機（20）へ吸入されて圧縮される。
【０２２４】
この第２動作中において、室外熱交換器（21）で冷媒へ放熱した室外空気が室外へ排出され、室内熱交換器（22）で加熱された室内空気が室内へ送り返される。第１吸着熱交換器（31）では、室内空気中の水分が吸着材に吸着されて室内空気が除湿され、その際に生じた吸着熱が冷媒に吸熱される。第１吸着熱交換器（31）で水分を奪われた室内空気は、室外へ排出される。第２吸着熱交換器（32）では、冷媒で加熱された吸着材から水分が脱離し、この脱離した水分が室内空気に付与される。第２吸着熱交換器（32）で加湿された室内空気は、室内へ送り返される。
【０２２５】
−実施形態５の効果−
本実施形態によれば、上記参考技術１で得られる効果に加え、次のような効果が得られる。
【０２２６】
本実施形態の空気調和装置をいわゆるセパレート型に構成した場合でも、その設置作業の工数が増大するのを回避できる。つまり、圧縮機（20）と第１四方切換弁（51）と室外熱交換器（21）を室外側のユニットに収納し、第１及び第２吸着熱交換器（32）と室内熱交換器（22）と第２四方切換弁（52）と電動膨張弁（40）とを室内側のユニットに収納する構成を採用すれば、室外側のユニットと室内側のユニットを２本の連絡配管で接続するだけでよいことになる。従って、本実施形態によれば、室外側のユニットと室内側のユニットを接続するための連絡配管が増加するのを回避でき、設置作業の工数を一般的な空調機と同じにすることができる。
【０２２７】
−実施形態５の変形例−
本実施形態の空気調和装置では、冷媒回路（10）にブリッジ回路（70）を設けてもよい。
【０２２８】
図１７及び図１８に示すように、上記ブリッジ回路（70）は、４つの逆止弁（71〜74）をブリッジ状に接続したものである。ブリッジ回路（70）では、第１逆止弁（71）の流入側が第２逆止弁（72）の流出側に、第２逆止弁（72）の流入側が第３逆止弁（73）の流入側に、第３逆止弁（73）の流出側が第４逆止弁（74）の流入側に、第４逆止弁（74）の流出側が第１逆止弁（71）の流出側にそれぞれ接続されている。
【０２２９】
本変形例の冷媒回路（10）では、室外熱交換器（21）が第２四方切換弁（52）の第１のポートにブリッジ回路（70）を介して接続され、室内熱交換器（22）が第２四方切換弁（52）の第２のポートにブリッジ回路（70）を介して接続されている。具体的に、ブリッジ回路（70）では、第１逆止弁（71）と第２逆止弁（72）の間に室外熱交換器（21）が、第１逆止弁（71）と第４逆止弁（74）の間に接続され第２四方切換弁（52）の第１のポートがそれぞれ接続されている。また、ブリッジ回路（70）では、第２逆止弁（72）と第３逆止弁（73）の間に第２四方切換弁（52）の第２のポートが接続され、第３逆止弁（73）と第４逆止弁（74）の間に室内熱交換器（22）がそれぞれ接続されている。
【０２３０】
上記冷媒回路（10）では、除湿冷房運転の第１動作と第２動作、及び加湿暖房運転の第１動作と第２動作のそれぞれにおいて、ブリッジ回路（70）の設けられない場合と同様に冷媒が循環する。
【０２３１】
除湿冷房運転の第１動作では、図１７(Ａ)に示すように、第１四方切換弁（51）及び第２四方切換弁（52）がそれぞれ第１状態に設定される。そして、室外熱交換器（21）から流出した冷媒が第１逆止弁（71）を通って第１吸着熱交換器（31）へ流入し、第２吸着熱交換器（32）から流出した冷媒が第３逆止弁（73）を通って室内熱交換器（22）へ流入する。一方、除湿冷房運転の第２動作では、図１７(Ｂ)に示すように、第１四方切換弁（51）が第１状態に、第２四方切換弁（52）が第２状態にそれぞれ設定される。そして、室外熱交換器（21）から流出した冷媒が第１逆止弁（71）を通って第２吸着熱交換器（32）へ流入し、第１吸着熱交換器（31）から流出した冷媒が第３逆止弁（73）を通って室内熱交換器（22）へ流入する。
【０２３２】
加湿暖房運転の第１動作では、図１８(Ａ)に示すように、第１四方切換弁（51）が第２状態に、第２四方切換弁（52）が第１状態にそれぞれ設定される。そして、室内熱交換器（22）から流出した冷媒が第４逆止弁（74）を通って第１吸着熱交換器（31）へ流入し、第２吸着熱交換器（32）から流出した冷媒が第２逆止弁（72）を通って室外熱交換器（21）へ流入する。一方、加湿暖房運転の第２動作では、図１８(Ｂ)に示すように、第１四方切換弁（51）及び第２四方切換弁（52）がそれぞれ第２状態に設定される。そして、室内熱交換器（22）から流出した冷媒が第４逆止弁（74）を通って第２吸着熱交換器（32）へ流入し、第１吸着熱交換器（31）から流出した冷媒が第２逆止弁（72）を通って室外熱交換器（21）へ流入する。
【０２３３】
上述のように、本変形例の冷媒回路（10）には、ブリッジ回路（70）が設けられている。このため、第１四方切換弁（51）及び第２四方切換弁（52）では、それぞれの第１のポートが常に高圧側となり、それぞれの第２のポートが常に低圧側となる。従って、本変形例によれば、常に高圧側となるべきポートと常に低圧側となるべきポートとを１つずつ備えるパイロット型の四方切換弁を用いることが可能となる。
【０２３４】
《発明の実施形態６》
本発明の実施形態６について説明する。本実施形態の空気調和装置は、上記実施形態５の空気調和装置において冷媒回路（10）の構成を変更したものである。
【０２３５】
図１９及び図２０に示すように、上記冷媒回路（10）には、圧縮機（20）が１つ設けられ、電動膨張弁（41,42）と四方切換弁（51,52）が２つずつ設けられている。また、冷媒回路（10）には、室外熱交換器（21）と室内熱交換器（22）とが１つずつ設けられ、吸着熱交換器（31,32）が２つ設けられている。この冷媒回路（10）では、室外熱交換器（21）が熱源側熱交換器を、室内熱交換器（22）と第１及び第２吸着熱交換器（31,32）とが利用側熱交換器をそれぞれ構成している。尚、室外熱交換器（21）、室内熱交換器（22）、及び各吸着熱交換器（31,32）は、それぞれ上記実施形態５のものと同様に構成されている。
【０２３６】
上記冷媒回路（10）の構成について説明する。圧縮機（20）は、その吐出側が第１四方切換弁（51）の第１のポートに、その吸入側が第１四方切換弁（51）の第２のポートにそれぞれ接続されている。室外熱交換器（21）は、その一端が第１四方切換弁（51）の第３のポートに、その他端が第２四方切換弁（52）の第１のポートにそれぞれ接続されている。第２四方切換弁（52）の第２のポートは、第１四方切換弁（51）の第４のポートに接続されている。この冷媒回路（10）では、第２四方切換弁（52）の第３のポートから第４のポートへ向かって順に、第１吸着熱交換器（31）と第１電動膨張弁（41）と室内熱交換器（22）と第２電動膨張弁（42）と第２吸着熱交換器（32）とが配置されている。
【０２３７】
上記第１四方切換弁（51）は、第１のポートと第３のポートが互いに連通して第２のポートと第４のポートが互いに連通する第１状態（図１９に示す状態）と、第１のポートと第４のポートが互いに連通して第２のポートと第３ポートが互いに連通する第２状態（図２０に示す状態）とに切り換わる。一方、上記第２四方切換弁（52）は、第１のポートと第３のポートが互いに連通して第２のポートと第４のポートが互いに連通する第１状態（図１９(Ａ)及び図２０(Ｂ)に示す状態）と、第１のポートと第４のポートが互いに連通して第２のポートと第３ポートが互いに連通する第２状態（図１９(Ｂ)及び図２０(Ａ)に示す状態）とに切り換わる。
【０２３８】
−運転動作−
本実施形態の空気調和装置では、除湿冷房運転と加湿暖房運転とが行われる。
【０２３９】
〈除湿冷房運転〉
除湿冷房運転中の動作について、図１９を参照しながら説明する。
【０２４０】
除湿冷房運転中には、第１四方切換弁（51）が第１状態に設定されると共に第１及び第２電動膨張弁（41,42）の開度がそれぞれ適宜調節され、室外熱交換器（21）が凝縮器となって室内熱交換器（22）が蒸発器となる。また、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０２４１】
尚、第１動作中の空気の流れは、上記実施形態５における除湿冷房運転の第１動作中の流れと同じである。また、第２動作中の空気の流れは、上記実施形態５における除湿冷房運転の第２動作中の流れと同じである。
【０２４２】
第１動作では、第１吸着熱交換器（31）についての再生動作と、第２吸着熱交換器（32）についての吸着動作とが並行して行われる。第１動作中は、図１９(Ａ)に示すように、第２四方切換弁（52）が第１状態に設定される。この状態で、圧縮機（20）から吐出された冷媒は、室外熱交換器（21）と第１吸着熱交換器（31）を順に通過する間に凝縮し、続いて第１電動膨張弁（41）で減圧されてから室内熱交換器（22）で蒸発し、更に第２電動膨張弁（42）で減圧されてから第２吸着熱交換器（32）で蒸発し、その後、圧縮機（20）へ吸入されて圧縮される。
【０２４３】
第２動作では、第１吸着熱交換器（31）についての吸着動作と、第２吸着熱交換器（32）についての再生動作とが並行して行われる。第２動作中は、図１９(Ｂ)に示すように、第２四方切換弁（52）が第２状態に設定される。この状態で、圧縮機（20）から吐出された冷媒は、室外熱交換器（21）と第２吸着熱交換器（32）を順に通過する間に凝縮し、続いて第２電動膨張弁（42）で減圧されてから室内熱交換器（22）で蒸発し、更に第１電動膨張弁（41）で減圧されてから第１吸着熱交換器（31）で蒸発し、その後、圧縮機（20）へ吸入されて圧縮される。
【０２４４】
そして、除湿冷房運転中には、室内熱交換器（22）で冷却された室内空気が室内へ供給されると共に、第１動作中の第２吸着熱交換器（32）で除湿された室内空気と第２動作中の第１吸着熱交換器（31）で除湿された室内空気とが交互に室内へ供給される。
【０２４５】
〈加湿暖房運転〉
加湿暖房運転中の動作について、図２０を参照しながら説明する。
【０２４６】
加湿暖房運転中には、第１四方切換弁（51）が第２状態に設定されると共に第１及び第２電動膨張弁（41,42）の開度がそれぞれ適宜調節され、室内熱交換器（22）が凝縮器となって室外熱交換器（21）が蒸発器となる。また、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０２４７】
尚、第１動作中の空気の流れは、上記実施形態５における加湿暖房運転の第１動作中の流れと同じである。また、第２動作中の空気の流れは、上記実施形態５における加湿暖房運転の第２動作中の流れと同じである。
【０２４８】
第１動作では、第１吸着熱交換器（31）についての再生動作と、第２吸着熱交換器（32）についての吸着動作とが並行して行われる。第１動作中は、図２０(Ａ)に示すように、第２四方切換弁（52）が第２状態に設定される。この状態で、圧縮機（20）から吐出された冷媒は、第１吸着熱交換器（31）で凝縮してから第１電動膨張弁（41）で減圧され、続いて室内熱交換器（22）で凝縮してから第２電動膨張弁（42）で減圧され、更に第２吸着熱交換器（32）と室外熱交換器（21）を順に通過する間に蒸発し、その後、圧縮機（20）へ吸入されて圧縮される。
【０２４９】
第２動作では、第１吸着熱交換器（31）についての吸着動作と、第２吸着熱交換器（32）についての再生動作とが並行して行われる。第２動作中は、図２０(Ｂ)に示すように、第２四方切換弁（52）が第１状態に設定される。この状態で、圧縮機（20）から吐出された冷媒は、第２吸着熱交換器（32）で凝縮してから第２電動膨張弁（42）で減圧され、続いて室内熱交換器（22）で凝縮してから第１電動膨張弁（41）で減圧され、更に第１吸着熱交換器（31）と室外熱交換器（21）を順に通過する間に蒸発し、その後、圧縮機（20）へ吸入されて圧縮される。
【０２５０】
そして、加湿暖房運転中には、室内熱交換器（22）で加熱された室内空気が室内へ供給されると共に、第１動作中の第１吸着熱交換器（31）で加湿された室内空気と第２動作中の第２吸着熱交換器（32）で加湿された室内空気とが交互に室内へ供給される。
【０２５１】
−実施形態６の効果−
本実施形態によれば、上記参考技術１で得られる効果に加え、次のような効果が得られる。つまり、本実施形態において、除湿冷房運転中には、蒸発器となっている吸着熱交換器（31,32）での冷媒蒸発温度を室内熱交換器（22）での冷媒蒸発温度よりも低く設定できる。このため、吸着熱交換器（31,32）で生じた吸着熱を冷媒によって確実に奪うことができ、吸着熱交換器（31,32）に吸着される水分量を増大させることができる。また、本実施形態において、加湿暖房運転中には、凝縮器となっている吸着熱交換器（31,32）での冷媒凝縮温度を室内熱交換器（22）での冷媒凝縮温度よりも高く設定できる。このため、吸着熱交換器（31,32）に設けられた吸着材の温度を充分に上昇させることができ、吸着材の再生を確実に行うことができる。
【０２５２】
《発明の実施形態７》
本発明の実施形態７について説明する。本実施形態の空気調和装置は、上記実施形態５の空気調和装置において冷媒回路（10）の構成を変更したものである。
【０２５３】
図２１及び図２２に示すように、上記冷媒回路（10）には、圧縮機（20）と電動膨張弁（40）が１つずつ設けられ、四方切換弁（51,52）が２つ設けられている。また、冷媒回路（10）には、室外熱交換器（21）と室内熱交換器（22）とが１つずつ設けられ、吸着熱交換器（31,32）が２つ設けられている。この冷媒回路（10）では、室外熱交換器（21）が熱源側熱交換器を、室内熱交換器（22）と第１及び第２吸着熱交換器（31,32）とが利用側熱交換器をそれぞれ構成している。尚、室外熱交換器（21）、室内熱交換器（22）、及び各吸着熱交換器（31,32）は、それぞれ上記実施形態５のものと同様に構成されている。
【０２５４】
上記冷媒回路（10）の構成について説明する。圧縮機（20）は、その吐出側が第１四方切換弁（51）の第１のポートに、その吸入側が第１四方切換弁（51）の第２のポートにそれぞれ接続されている。第１吸着熱交換器（31）は、その一端が第１四方切換弁（51）の第３のポートに、その他端が第２四方切換弁（52）の第１のポートにそれぞれ接続されている。第２吸着熱交換器（32）は、その一端が第１四方切換弁（51）の第４のポートに、その他端が第２四方切換弁（52）の第２のポートにそれぞれ接続されている。この冷媒回路（10）では、第２四方切換弁（52）の第３のポートから第４のポートへ向かって順に、室外熱交換器（21）と電動膨張弁（40）と室内熱交換器（22）とが配置されている。
【０２５５】
上記第１四方切換弁（51）は、第１のポートと第３のポートが互いに連通して第２のポートと第４のポートが互いに連通する第１状態（図２１(Ａ)及び図２２(Ａ)に示す状態）と、第１のポートと第４のポートが互いに連通して第２のポートと第３ポートが互いに連通する第２状態（図２１(Ｂ)及び図２２(Ｂ)に示す状態）とに切り換わる。一方、上記第２四方切換弁（52）は、第１のポートと第３のポートが互いに連通して第２のポートと第４のポートが互いに連通する第１状態（図２１(Ａ)及び図２２(Ｂ)に示す状態）と、第１のポートと第４のポートが互いに連通して第２のポートと第３ポートが互いに連通する第２状態（図２１(Ｂ)及び図２２(Ａ)に示す状態）とに切り換わる。
【０２５６】
−運転動作−
本実施形態の空気調和装置では、除湿冷房運転と加湿暖房運転とが行われる。
【０２５７】
〈除湿冷房運転〉
除湿冷房運転中の動作について、図２１を参照しながら説明する。
【０２５８】
除湿冷房運転中には、室外熱交換器（21）が凝縮器となって室内熱交換器（22）が蒸発器となる。また、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０２５９】
尚、第１動作中の空気の流れは、上記実施形態５における除湿冷房運転の第１動作中の流れと同じである。また、第２動作中の空気の流れは、上記実施形態５における除湿冷房運転の第２動作中の流れと同じである。
【０２６０】
第１動作では、第１吸着熱交換器（31）についての再生動作と、第２吸着熱交換器（32）についての吸着動作とが並行して行われる。第１動作中は、図２１(Ａ)に示すように、第１四方切換弁（51）及び第２四方切換弁（52）がそれぞれ第１状態に設定され、電動膨張弁（40）の開度が適宜調節される。この状態で、圧縮機（20）から吐出された冷媒は、第１吸着熱交換器（31）と室外熱交換器（21）を順に通過する間に凝縮し、続いて電動膨張弁（40）で減圧され、その後、室内熱交換器（22）と第２吸着熱交換器（32）を順に通過する間に蒸発し、圧縮機（20）へ吸入されて圧縮される。
【０２６１】
第２動作では、第１吸着熱交換器（31）についての吸着動作と、第２吸着熱交換器（32）についての再生動作とが並行して行われる。第２動作中は、図２１(Ｂ)に示すように、第１四方切換弁（51）及び第２四方切換弁（52）がそれぞれ第２状態に設定され、電動膨張弁（40）の開度が適宜調節される。この状態で、圧縮機（20）から吐出された冷媒は、第２吸着熱交換器（32）と室外熱交換器（21）を順に通過する間に凝縮し、続いて電動膨張弁（40）で減圧され、その後、室内熱交換器（22）と第１吸着熱交換器（31）を順に通過する間に蒸発し、圧縮機（20）へ吸入されて圧縮される。
【０２６２】
そして、除湿冷房運転中には、室内熱交換器（22）で冷却された室内空気が室内へ供給されると共に、第１動作中の第２吸着熱交換器（32）で除湿された室内空気と第２動作中の第１吸着熱交換器（31）で除湿された室内空気とが交互に室内へ供給される。
【０２６３】
〈加湿暖房運転〉
加湿暖房運転中の動作について、図２２を参照しながら説明する。
【０２６４】
加湿暖房運転中には、室内熱交換器（22）が凝縮器となって室外熱交換器（21）が蒸発器となる。また、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０２６５】
尚、第１動作中の空気の流れは、上記実施形態５における加湿暖房運転の第１動作中の流れと同じである。また、第２動作中の空気の流れは、上記実施形態５における加湿暖房運転の第２動作中の流れと同じである。
【０２６６】
第１動作では、第１吸着熱交換器（31）についての再生動作と、第２吸着熱交換器（32）についての吸着動作とが並行して行われる。第１動作中は、図２２(Ａ)に示すように、第１四方切換弁（51）が第１状態に、第２四方切換弁（52）が第２状態にそれぞれ設定され、電動膨張弁（40）の開度が適宜調節される。この状態で、圧縮機（20）から吐出された冷媒は、第１吸着熱交換器（31）と室内熱交換器（22）を順に通過する間に凝縮し、続いて電動膨張弁（40）で減圧され、その後、室外熱交換器（21）と第２吸着熱交換器（32）を順に通過する間に蒸発し、圧縮機（20）へ吸入されて圧縮される。
【０２６７】
第２動作では、第１吸着熱交換器（31）についての吸着動作と、第２吸着熱交換器（32）についての再生動作とが並行して行われる。第２動作中は、図２２(Ｂ)に示すように、第１四方切換弁（51）が第２状態に、第２四方切換弁（52）が第１状態にそれぞれ設定され、電動膨張弁（40）の開度が適宜調節される。この状態で、圧縮機（20）から吐出された冷媒は、第２吸着熱交換器（32）と室内熱交換器（22）を順に通過する間に凝縮し、続いて電動膨張弁（40）で減圧され、その後、室外熱交換器（21）と第１吸着熱交換器（31）を順に通過する間に蒸発し、圧縮機（20）へ吸入されて圧縮される。
【０２６８】
そして、加湿暖房運転中には、室内熱交換器（22）で加熱された室内空気が室内へ供給されると共に、第１動作中の第１吸着熱交換器（31）で加湿された室内空気と第２動作中の第２吸着熱交換器（32）で加湿された室内空気とが交互に室内へ供給される。
【０２６９】
−実施形態７の効果−
本実施形態によれば、上記参考技術１で得られる効果に加え、次のような効果が得られる。つまり、本実施形態において、凝縮器となっている吸着熱交換器（31,32）へ圧縮機（20）から吐出された冷媒が最初に導入される。このため、最も高温の冷媒を吸着熱交換器へ導入して吸着材の加熱に利用でき、吸着材の温度を充分に上昇させて吸着材の再生を確実に行うことができる。
【０２７０】
《発明の実施形態８》
本発明の実施形態８について説明する。本実施形態の空気調和装置は、上記実施形態５の空気調和装置において冷媒回路（10）の構成を変更したものである。
【０２７１】
図２３及び図２４に示すように、上記冷媒回路（10）には、圧縮機（20）が１つ設けられ、電動膨張弁（41,42）と四方切換弁（51,52）が２つずつ設けられている。また、冷媒回路（10）には、室外熱交換器（21）と室内熱交換器（22）とが１つずつ設けられ、吸着熱交換器（31,32）が２つ設けられている。この冷媒回路（10）では、室外熱交換器（21）が熱源側熱交換器を、室内熱交換器（22）と第１及び第２吸着熱交換器（31,32）とが利用側熱交換器をそれぞれ構成している。尚、室外熱交換器（21）、室内熱交換器（22）、及び各吸着熱交換器（31,32）は、それぞれ上記実施形態５のものと同様に構成されている。
【０２７２】
上記冷媒回路（10）の構成について説明する。圧縮機（20）は、その吐出側が第１四方切換弁（51）の第１のポートに、その吸入側が第１四方切換弁（51）の第２のポートにそれぞれ接続されている。第２四方切換弁（52）は、その第１のポートが第１四方切換弁（51）の第３のポートに、その第２のポートが第１四方切換弁（51）の第４のポートにそれぞれ接続されている。冷媒回路（10）では、第１四方切換弁（51）の第３のポートから第４のポートへ向かって順に、室外熱交換器（21）と第１電動膨張弁（41）と室内熱交換器（22）とが配置されている。また、冷媒回路（10）では、第２四方切換弁（52）の第３のポートから第４のポートへ向かって順に、第１吸着熱交換器（31）と第２電動膨張弁（42）と第２吸着熱交換器（32）とが配置されている。
【０２７３】
上記冷媒回路（10）では、第１四方切換弁（51）の第３のポートから第４のポートへ至る部分が第１回路（11）を、第２四方切換弁（52）の第３のポートから第４のポートへ至る部分が第２回路（12）をそれぞれ構成している。そして、冷媒回路（10）では、第１回路（11）に対して第２回路（12）が第２四方切換弁（52）を介して接続され、第１回路（11）と第２回路（12）とが互いに並列に配置されている。
【０２７４】
上記第１四方切換弁（51）は、第１のポートと第３のポートが互いに連通して第２のポートと第４のポートが互いに連通する第１状態（図２３に示す状態）と、第１のポートと第４のポートが互いに連通して第２のポートと第３ポートが互いに連通する第２状態（図２４に示す状態）とに切り換わる。一方、上記第２四方切換弁（52）は、第１のポートと第３のポートが互いに連通して第２のポートと第４のポートが互いに連通する第１状態（図２３(Ａ)及び図２４(Ｂ)に示す状態）と、第１のポートと第４のポートが互いに連通して第２のポートと第３ポートが互いに連通する第２状態（図２３(Ｂ)及び図２４(Ａ)に示す状態）とに切り換わる。
【０２７５】
−運転動作−
本実施形態の空気調和装置では、除湿冷房運転と加湿暖房運転とが行われる。
【０２７６】
〈除湿冷房運転〉
除湿冷房運転中の動作について、図２３を参照しながら説明する。
【０２７７】
除湿冷房運転中には、第１四方切換弁（51）が第１状態に設定されると共に第１電動膨張弁（41）の開度が適宜調節され、第１回路（11）では室外熱交換器（21）が凝縮器となって室内熱交換器（22）が蒸発器となる。つまり、圧縮機（20）から吐出されて第１回路（11）へ流入した冷媒は、室外熱交換器（21）で凝縮してから第１電動膨張弁（41）で減圧され、室内熱交換器（22）で蒸発した後に圧縮機（20）へ吸入されて圧縮される。
【０２７８】
また、除湿冷房運転中には、第２回路（12）で第１吸着熱交換器（31）が凝縮器となって第２吸着熱交換器（32）が蒸発器となる第１動作と、第２回路（12）で第２吸着熱交換器（32）が凝縮器となって第１吸着熱交換器（31）が蒸発器となる第２動作とが交互に繰り返される。
【０２７９】
尚、第１動作中の空気の流れは、上記実施形態５における除湿冷房運転の第１動作中の流れと同じである。また、第２動作中の空気の流れは、上記実施形態５における除湿冷房運転の第２動作中の流れと同じである。
【０２８０】
第１動作では、第１吸着熱交換器（31）についての再生動作と、第２吸着熱交換器（32）についての吸着動作とが並行して行われる。第１動作中は、図２３(Ａ)に示すように、第２四方切換弁（52）が第１状態に設定され、第２電動膨張弁（42）の開度が適宜調節される。この状態で、圧縮機（20）から吐出されて第２回路（12）へ流入した冷媒は、第１吸着熱交換器（31）で凝縮してから第２電動膨張弁（42）で減圧され、第２吸着熱交換器（32）で蒸発した後に圧縮機（20）へ吸入されて圧縮される。
【０２８１】
第２動作では、第１吸着熱交換器（31）についての吸着動作と、第２吸着熱交換器（32）についての再生動作とが並行して行われる。第２動作中は、図２３(Ｂ)に示すように、第２四方切換弁（52）が第２状態に設定され、第２電動膨張弁（42）の開度が適宜調節される。この状態で、圧縮機（20）から吐出されて第２回路（12）へ流入した冷媒は、第２吸着熱交換器（32）で凝縮してから第２電動膨張弁（42）で減圧され、第１吸着熱交換器（31）で蒸発した後に圧縮機（20）へ吸入されて圧縮される。
【０２８２】
そして、除湿冷房運転中には、室内熱交換器（22）で冷却された室内空気が室内へ供給されると共に、第１動作中の第２吸着熱交換器（32）で除湿された室内空気と第２動作中の第１吸着熱交換器（31）で除湿された室内空気とが交互に室内へ供給される。
【０２８３】
〈加湿暖房運転〉
加湿暖房運転中の動作について、図２４を参照しながら説明する。
【０２８４】
加湿暖房運転中には、第１四方切換弁（51）が第２状態に設定されると共に第１電動膨張弁（41）の開度が適宜調節され、第１回路（11）では室内熱交換器（22）が凝縮器となって室外熱交換器（21）が蒸発器となる。つまり、圧縮機（20）から吐出されて第１回路（11）へ流入した冷媒は、室内熱交換器（22）で凝縮してから第１電動膨張弁（41）で減圧され、室外熱交換器（21）で蒸発した後に圧縮機（20）へ吸入されて圧縮される。
【０２８５】
また、加湿暖房運転中には、第２回路（12）で第１吸着熱交換器（31）が凝縮器となって第２吸着熱交換器（32）が蒸発器となる第１動作と、第２回路（12）で第２吸着熱交換器（32）が凝縮器となって第１吸着熱交換器（31）が蒸発器となる第２動作とが交互に繰り返される。
【０２８６】
尚、第１動作中の空気の流れは、上記実施形態５における加湿暖房運転の第１動作中の流れと同じである。また、第２動作中の空気の流れは、上記実施形態５における加湿暖房運転の第２動作中の流れと同じである。
【０２８７】
第１動作では、第１吸着熱交換器（31）についての再生動作と、第２吸着熱交換器（32）についての吸着動作とが並行して行われる。第１動作中は、図２４(Ａ)に示すように、第２四方切換弁（52）が第２状態に設定され、第２電動膨張弁（42）の開度が適宜調節される。この状態で、圧縮機（20）から吐出されて第２回路（12）へ流入した冷媒は、第１吸着熱交換器（31）で凝縮してから第２電動膨張弁（42）で減圧され、第２吸着熱交換器（32）で蒸発した後に圧縮機（20）へ吸入されて圧縮される。
【０２８８】
第２動作では、第１吸着熱交換器（31）についての吸着動作と、第２吸着熱交換器（32）についての再生動作とが並行して行われる。第２動作中は、図２４(Ｂ)に示すように、第２四方切換弁（52）が第１状態に設定され、第２電動膨張弁（42）の開度が適宜調節される。この状態で、圧縮機（20）から吐出されて第２回路（12）へ流入した冷媒は、第２吸着熱交換器（32）で凝縮してから第２電動膨張弁（42）で減圧され、第１吸着熱交換器（31）で蒸発した後に圧縮機（20）へ吸入されて圧縮される。
【０２８９】
そして、加湿暖房運転中には、室内熱交換器（22）で加熱された室内空気が室内へ供給されると共に、第１動作中の第１吸着熱交換器（31）で加湿された室内空気と第２動作中の第２吸着熱交換器（32）で加湿された室内空気とが交互に室内へ供給される。
【０２９０】
−実施形態８の効果−
本実施形態によれば、上記参考技術１で得られる効果に加え、次のような効果が得られる。
【０２９１】
先ず、本実施形態の冷媒回路（10）では、第１回路（11）と第２回路（12）が互いに並列接続されている。このため、第１回路（11）に設けられた第１電動膨張弁（41）の開度制御は、第１回路（11）の出口側における冷媒の過熱度が一定となるように行えばよい。また、第２回路（12）に設けられた第２電動膨張弁（42）の開度制御は、第２回路（12）の出口側における冷媒の過熱度が一定となるように行えばよい。つまり、第１電動膨張弁（41）の制御は第１回路（11）における冷媒の状態だけを考慮して行えばよく、第２電動膨張弁（42）の制御は第２回路（12）における冷媒の状態だけを考慮して行えばよいこととなる。従って、本実施形態によれば、空気調和装置の運転制御を簡素化することができる。
【０２９２】
次に、本実施形態の冷媒回路（10）において、第１四方切換弁（51）及び第２四方切換弁（52）では、それぞれの第１のポートが常に高圧側となり、それぞれの第２のポートが常に低圧側となる。従って、本変形例によれば、常に高圧側となるべきポートと常に低圧側となるべきポートとを１つずつ備えるパイロット型の四方切換弁を用いることが可能となる。
【０２９３】
《発明の実施形態９》
本発明の実施形態９について説明する。本実施形態の空気調和装置は、上記実施形態５の空気調和装置において冷媒回路（10）の構成を変更したものである。
【０２９４】
図２５及び図２６に示すように、上記冷媒回路（10）には、圧縮機（20）が１つ設けられ、電動膨張弁（41,42）と四方切換弁（51,52）が２つずつ設けられている。また、冷媒回路（10）には、室外熱交換器（21）と室内熱交換器（22）とが１つずつ設けられ、吸着熱交換器（31,32）が２つ設けられている。この冷媒回路（10）では、室外熱交換器（21）が熱源側熱交換器を、室内熱交換器（22）と第１及び第２吸着熱交換器（31,32）とが利用側熱交換器をそれぞれ構成している。尚、室外熱交換器（21）、室内熱交換器（22）、及び各吸着熱交換器（31,32）は、それぞれ上記実施形態５のものと同様に構成されている。
【０２９５】
上記冷媒回路（10）の構成について説明する。圧縮機（20）は、その吐出側が第１四方切換弁（51）の第１のポートと第２四方切換弁（52）の第２のポートの両方に接続され、その吸入側が第１四方切換弁（51）の第２のポートと第２四方切換弁（52）の第２のポートの両方に接続されている。冷媒回路（10）では、第１四方切換弁（51）の第３のポートから第４のポートへ向かって順に、室外熱交換器（21）と第１電動膨張弁（41）と室内熱交換器（22）とが配置されている。また、冷媒回路（10）では、第２四方切換弁（52）の第３のポートから第４のポートへ向かって順に、第１吸着熱交換器（31）と第２電動膨張弁（42）と第２吸着熱交換器（32）とが配置されている。
【０２９６】
上記冷媒回路（10）では、第１四方切換弁（51）の第３のポートから第４のポートへ至る部分が第１回路（11）を、第２四方切換弁（52）の第３のポートから第４のポートへ至る部分が第２回路（12）をそれぞれ構成している。そして、冷媒回路（10）では、第１回路（11）が第１四方切換弁（51）を介して圧縮機（20）に、第２回路（12）が第２四方切換弁（52）を介して圧縮機（20）にそれぞれ接続され、第１回路（11）と第２回路（12）とが互いに並列に配置されている。
【０２９７】
上記第１四方切換弁（51）は、第１のポートと第３のポートが互いに連通して第２のポートと第４のポートが互いに連通する第１状態（図２５に示す状態）と、第１のポートと第４のポートが互いに連通して第２のポートと第３ポートが互いに連通する第２状態（図２６に示す状態）とに切り換わる。一方、上記第２四方切換弁（52）は、第１のポートと第３のポートが互いに連通して第２のポートと第４のポートが互いに連通する第１状態（図２５(Ａ)及び図２６(Ａ)に示す状態）と、第１のポートと第４のポートが互いに連通して第２のポートと第３ポートが互いに連通する第２状態（図２５(Ｂ)及び図２６(Ｂ)に示す状態）とに切り換わる。
【０２９８】
−運転動作−
本実施形態の空気調和装置では、除湿冷房運転と加湿暖房運転とが行われる。
【０２９９】
〈除湿冷房運転〉
除湿冷房運転中の動作について、図２５を参照しながら説明する。
【０３００】
除湿冷房運転中には、第１四方切換弁（51）が第１状態に設定されると共に第１電動膨張弁（41）の開度が適宜調節され、第１回路（11）では室外熱交換器（21）が凝縮器となって室内熱交換器（22）が蒸発器となる。つまり、圧縮機（20）から吐出されて第１回路（11）へ流入した冷媒は、室外熱交換器（21）で凝縮してから第１電動膨張弁（41）で減圧され、室内熱交換器（22）で蒸発した後に圧縮機（20）へ吸入されて圧縮される。
【０３０１】
また、除湿冷房運転中には、第２回路（12）で第１吸着熱交換器（31）が凝縮器となって第２吸着熱交換器（32）が蒸発器となる第１動作と、第２回路（12）で第２吸着熱交換器（32）が凝縮器となって第１吸着熱交換器（31）が蒸発器となる第２動作とが交互に繰り返される。
【０３０２】
尚、第１動作中の空気の流れは、上記実施形態５における除湿冷房運転の第１動作中の流れと同じである。また、第２動作中の空気の流れは、上記実施形態５における除湿冷房運転の第２動作中の流れと同じである。
【０３０３】
第１動作では、第１吸着熱交換器（31）についての再生動作と、第２吸着熱交換器（32）についての吸着動作とが並行して行われる。第１動作中は、図２５(Ａ)に示すように、第２四方切換弁（52）が第１状態に設定され、第２電動膨張弁（42）の開度が適宜調節される。この状態で、圧縮機（20）から吐出されて第２回路（12）へ流入した冷媒は、第１吸着熱交換器（31）で凝縮してから第２電動膨張弁（42）で減圧され、第２吸着熱交換器（32）で蒸発した後に圧縮機（20）へ吸入されて圧縮される。
【０３０４】
第２動作では、第１吸着熱交換器（31）についての吸着動作と、第２吸着熱交換器（32）についての再生動作とが並行して行われる。第２動作中は、図２５(Ｂ)に示すように、第２四方切換弁（52）が第２状態に設定され、第２電動膨張弁（42）の開度が適宜調節される。この状態で、圧縮機（20）から吐出されて第２回路（12）へ流入した冷媒は、第２吸着熱交換器（32）で凝縮してから第２電動膨張弁（42）で減圧され、第１吸着熱交換器（31）で蒸発した後に圧縮機（20）へ吸入されて圧縮される。
【０３０５】
そして、除湿冷房運転中には、室内熱交換器（22）で冷却された室内空気が室内へ供給されると共に、第１動作中の第２吸着熱交換器（32）で除湿された室内空気と第２動作中の第１吸着熱交換器（31）で除湿された室内空気とが交互に室内へ供給される。
【０３０６】
〈加湿暖房運転〉
加湿暖房運転中の動作について、図２６を参照しながら説明する。
【０３０７】
加湿暖房運転中には、第１四方切換弁（51）が第２状態に設定されると共に第１電動膨張弁（41）の開度が適宜調節され、第１回路（11）では室内熱交換器（22）が凝縮器となって室外熱交換器（21）が蒸発器となる。つまり、圧縮機（20）から吐出されて第１回路（11）へ流入した冷媒は、室内熱交換器（22）で凝縮してから第１電動膨張弁（41）で減圧され、室外熱交換器（21）で蒸発した後に圧縮機（20）へ吸入されて圧縮される。
【０３０８】
また、加湿暖房運転中には、第２回路（12）で第１吸着熱交換器（31）が凝縮器となって第２吸着熱交換器（32）が蒸発器となる第１動作と、第２回路（12）で第２吸着熱交換器（32）が凝縮器となって第１吸着熱交換器（31）が蒸発器となる第２動作とが交互に繰り返される。
【０３０９】
尚、第１動作中の空気の流れは、上記実施形態５における加湿暖房運転の第１動作中の流れと同じである。また、第２動作中の空気の流れは、上記実施形態５における加湿暖房運転の第２動作中の流れと同じである。
【０３１０】
第１動作では、第１吸着熱交換器（31）についての再生動作と、第２吸着熱交換器（32）についての吸着動作とが並行して行われる。第１動作中は、図２６(Ａ)に示すように、第２四方切換弁（52）が第１状態に設定され、第２電動膨張弁（42）の開度が適宜調節される。この状態で、圧縮機（20）から吐出されて第２回路（12）へ流入した冷媒は、第１吸着熱交換器（31）で凝縮してから第２電動膨張弁（42）で減圧され、第２吸着熱交換器（32）で蒸発した後に圧縮機（20）へ吸入されて圧縮される。
【０３１１】
第２動作では、第１吸着熱交換器（31）についての吸着動作と、第２吸着熱交換器（32）についての再生動作とが並行して行われる。第２動作中は、図２６(Ｂ)に示すように、第２四方切換弁（52）が第２状態に設定され、第２電動膨張弁（42）の開度が適宜調節される。この状態で、圧縮機（20）から吐出されて第２回路（12）へ流入した冷媒は、第２吸着熱交換器（32）で凝縮してから第２電動膨張弁（42）で減圧され、第１吸着熱交換器（31）で蒸発した後に圧縮機（20）へ吸入されて圧縮される。
【０３１２】
そして、加湿暖房運転中には、室内熱交換器（22）で加熱された室内空気が室内へ供給されると共に、第１動作中の第１吸着熱交換器（31）で加湿された室内空気と第２動作中の第２吸着熱交換器（32）で加湿された室内空気とが交互に室内へ供給される。
【０３１３】
−実施形態９の効果−
本実施形態によれば、上記実施形態８で得られる効果と同様の効果が得られる。
【０３１４】
《発明の実施形態１０》
本発明の実施形態１０について説明する。本実施形態の空気調和装置は、上記実施形態５の空気調和装置において冷媒回路（10）の構成を変更したものである。
【０３１５】
図２７及び図２８に示すように、上記冷媒回路（10）には、圧縮機（20）と気液分離器（23）が１つずつ設けられ、電動膨張弁（41,42）と四方切換弁（51,52）が２つずつ設けられている。また、冷媒回路（10）には、室外熱交換器（21）と室内熱交換器（22）とが１つずつ設けられ、吸着熱交換器（31,32）が２つ設けられている。この冷媒回路（10）では、室外熱交換器（21）が熱源側熱交換器を、室内熱交換器（22）と第１及び第２吸着熱交換器（31,32）とが利用側熱交換器をそれぞれ構成している。尚、室外熱交換器（21）、室内熱交換器（22）、及び各吸着熱交換器（31,32）は、それぞれ上記実施形態５のものと同様に構成されている。
【０３１６】
上記冷媒回路（10）の構成について説明する。圧縮機（20）は、その吐出側が第１四方切換弁（51）の第１のポートに、その吸入側が第１四方切換弁（51）の第２のポートにそれぞれ接続されている。冷媒回路（10）では、第１四方切換弁（51）の第３のポートから第４のポートへ向かって順に、室外熱交換器（21）と気液分離器（23）と第１電動膨張弁（41）と室内熱交換器（22）とが配置されている。第２四方切換弁（52）は、その第１のポートが気液分離器（23）のガス側の出口に、その第２のポートが第１四方切換弁（51）の第４のポートにそれぞれ接続されている。冷媒回路（10）では、第２四方切換弁（52）の第３のポートから第４のポートへ向かって順に、第１吸着熱交換器（31）と第２電動膨張弁（42）と第２吸着熱交換器（32）とが配置されている。
【０３１７】
上記第１四方切換弁（51）は、第１のポートと第３のポートが互いに連通して第２のポートと第４のポートが互いに連通する第１状態（図２７に示す状態）と、第１のポートと第４のポートが互いに連通して第２のポートと第３ポートが互いに連通する第２状態（図２８に示す状態）とに切り換わる。一方、上記第２四方切換弁（52）は、第１のポートと第３のポートが互いに連通して第２のポートと第４のポートが互いに連通する第１状態（図２７(Ａ)及び図２８(Ｂ)に示す状態）と、第１のポートと第４のポートが互いに連通して第２のポートと第３ポートが互いに連通する第２状態（図２７(Ｂ)及び図２８(Ａ)に示す状態）とに切り換わる。
【０３１８】
−運転動作−
本実施形態の空気調和装置では、除湿冷房運転と加湿暖房運転とが行われる。
【０３１９】
〈除湿冷房運転〉
除湿冷房運転中の動作について、図２７を参照しながら説明する。
【０３２０】
除湿冷房運転中には、第１四方切換弁（51）が第１状態に設定されると共に第１電動膨張弁（41）の開度が適宜調節され、室外熱交換器（21）が凝縮器となって室内熱交換器（22）が蒸発器となる。この状態で、圧縮機（20）から吐出された冷媒は、その一部が室外熱交換器（21）で凝縮した後に気液分離器（23）へ流入し、液冷媒とガス冷媒に分離される。そして、気液分離器（23）から流出した液冷媒は、第１電動膨張弁（41）で減圧されてから室内熱交換器（22）で蒸発し、その後に圧縮機（20）へ吸入されて圧縮される。
【０３２１】
また、除湿冷房運転中には、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０３２２】
尚、第１動作中の空気の流れは、上記実施形態５における除湿冷房運転の第１動作中の流れと同じである。また、第２動作中の空気の流れは、上記実施形態５における除湿冷房運転の第２動作中の流れと同じである。
【０３２３】
第１動作では、第１吸着熱交換器（31）についての再生動作と、第２吸着熱交換器（32）についての吸着動作とが並行して行われる。第１動作中は、図２７(Ａ)に示すように、第２四方切換弁（52）が第１状態に設定され、第２電動膨張弁（42）の開度が適宜調節される。この状態で、気液分離器（23）から流出したガス冷媒は、第１吸着熱交換器（31）で凝縮してから第２電動膨張弁（42）で減圧され、第２吸着熱交換器（32）で蒸発した後に圧縮機（20）へ吸入されて圧縮される。
【０３２４】
第２動作では、第１吸着熱交換器（31）についての吸着動作と、第２吸着熱交換器（32）についての再生動作とが並行して行われる。第２動作中は、図２７(Ｂ)に示すように、第２四方切換弁（52）が第２状態に設定され、第２電動膨張弁（42）の開度が適宜調節される。この状態で、気液分離器（23）から流出したガス冷媒は、第２吸着熱交換器（32）で凝縮してから第２電動膨張弁（42）で減圧され、第１吸着熱交換器（31）で蒸発した後に圧縮機（20）へ吸入されて圧縮される。
【０３２５】
そして、除湿冷房運転中には、室内熱交換器（22）で冷却された室内空気が室内へ供給されると共に、第１動作中の第２吸着熱交換器（32）で除湿された室内空気と第２動作中の第１吸着熱交換器（31）で除湿された室内空気とが交互に室内へ供給される。
【０３２６】
〈加湿暖房運転〉
加湿暖房運転中の動作について、図２８を参照しながら説明する。
【０３２７】
加湿暖房運転中には、第１四方切換弁（51）が第２状態に設定されると共に第１電動膨張弁（41）の開度が適宜調節され、室内熱交換器（22）が凝縮器となって室外熱交換器（21）が蒸発器となる。この状態で、圧縮機（20）から吐出された冷媒は、室内熱交換器（22）側と第２四方切換弁（52）側の二手に分流される。そして、室内熱交換器（22）側へ流入した冷媒は、室内熱交換器（22）で凝縮してから第１電動膨張弁（41）で減圧され、その後に気液分離器（23）へ流入する。
【０３２８】
また、加湿暖房運転中には、第２回路（12）で第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０３２９】
尚、第１動作中の空気の流れは、上記実施形態５における加湿暖房運転の第１動作中の流れと同じである。また、第２動作中の空気の流れは、上記実施形態５における加湿暖房運転の第２動作中の流れと同じである。
【０３３０】
第１動作では、第１吸着熱交換器（31）についての再生動作と、第２吸着熱交換器（32）についての吸着動作とが並行して行われる。第１動作中は、図２８(Ａ)に示すように、第２四方切換弁（52）が第２状態に設定され、第２電動膨張弁（42）の開度が適宜調節される。この状態で、第２四方切換弁（52）側へ流入した冷媒は、第１吸着熱交換器（31）で凝縮してから第２電動膨張弁（42）で減圧され、その後、第２吸着熱交換器（32）で蒸発してから気液分離器（23）へ流入し、室内熱交換器（22）からの冷媒と合流する。気液分離器（23）から流出した冷媒は、室外熱交換器（21）で蒸発した後に圧縮機（20）へ吸入されて圧縮される。
【０３３１】
第２動作では、第１吸着熱交換器（31）についての吸着動作と、第２吸着熱交換器（32）についての再生動作とが並行して行われる。第２動作中は、図２８(Ｂ)に示すように、第２四方切換弁（52）が第１状態に設定され、第２電動膨張弁（42）の開度が適宜調節される。この状態で、第２四方切換弁（52）側へ流入した冷媒は、第２吸着熱交換器（32）で凝縮してから第２電動膨張弁（42）で減圧され、その後、第１吸着熱交換器（31）で蒸発してから気液分離器（23）へ流入し、室内熱交換器（22）からの冷媒と合流する。気液分離器（23）から流出した冷媒は、室外熱交換器（21）で蒸発した後に圧縮機（20）へ吸入されて圧縮される。
【０３３２】
そして、加湿暖房運転中には、室内熱交換器（22）で加熱された室内空気が室内へ供給されると共に、第１動作中の第１吸着熱交換器（31）で加湿された室内空気と第２動作中の第２吸着熱交換器（32）で加湿された室内空気とが交互に室内へ供給される。
【０３３３】
−実施形態１０の効果−
本実施形態によれば、上記参考技術１で得られる効果に加え、次のような効果が得られる。
【０３３４】
先ず、本実施形態の空気調和装置をいわゆるセパレート型に構成した場合には、その設置作業の工数が増大するのを回避できる。つまり、圧縮機（20）と第１四方切換弁（51）と室外熱交換器（21）を室外側のユニットに収納し、第１及び第２吸着熱交換器（32）と室内熱交換器（22）と第２四方切換弁（52）と第１及び第２電動膨張弁（41,42）と気液分離器（23）とを室内側のユニットに収納する構成を採用すれば、室外側のユニットと室内側のユニットを２本の連絡配管で接続するだけでよいことになる。従って、本実施形態によれば、室外側のユニットと室内側のユニットを接続するための連絡配管が増加するのを回避でき、設置作業の工数を一般的な空調機と同じにすることができる。
【０３３５】
次に、本実施形態の除湿冷房運転時には、室外熱交換器（21）から流出した冷媒を気液分離器（23）で液冷媒とガス冷媒に分離し、分離されたガス冷媒だけを凝縮器となる吸着熱交換器（31,32）へ供給している。従って、本実施形態によれば、凝縮器となる吸着熱交換器（31,32）での吸着材に対する加熱量を充分に確保でき、吸着材の再生を確実に行うことができる。
【０３３６】
−実施形態１０の変形例−
本実施形態の冷媒回路（10）では、図２９及び図３０に示すように、室外熱交換器（21）と第１吸着熱交換器（31）の位置を入れ替えると共に、室内熱交換器（22）と第２吸着熱交換器（32）の位置を入れ替えてもよい。
【０３３７】
具体的に、本変形例の冷媒回路（10）では、第１四方切換弁（51）の第３のポートから第４のポートへ向かって順に、第１吸着熱交換器（31）と気液分離器（23）と第１電動膨張弁（41）と第２吸着熱交換器（32）とが配置される。また、この冷媒回路（10）では、第２四方切換弁（52）の第３のポートから第４のポートへ向かって順に、室外熱交換器（21）と第２電動膨張弁（42）と室内熱交換器（22）とが配置されている。
【０３３８】
除湿冷房運転の第１動作では、図２９(Ａ)に示すように、第１四方切換弁（51）及び第２四方切換弁（52）がそれぞれ第１状態に設定され、第１電動膨張弁（41）及び第２電動膨張弁（42）の開度がそれぞれ適宜調節される。この状態で、圧縮機（20）から吐出された冷媒は、第１吸着熱交換器（31）で凝縮してから気液分離器（23）へ流入する。気液分離器（23）から流出した液冷媒は、第１電動膨張弁（41）で減圧されてから第２吸着熱交換器（32）で蒸発し、その後、圧縮機（20）へ吸入されて圧縮される。一方、気液分離器（23）から流出したガス冷媒は、室外熱交換器（21）で凝縮してから第２電動膨張弁（42）で減圧され、室内熱交換器（22）で蒸発した後に圧縮機（20）へ吸入されて圧縮される。
【０３３９】
除湿冷房運転の第２動作では、図２９(Ｂ)に示すように、第１四方切換弁（51）及び第２四方切換弁（52）がそれぞれ第２状態に設定され、第１電動膨張弁（41）及び第２電動膨張弁（42）の開度がそれぞれ適宜調節される。この状態で、圧縮機（20）から吐出された冷媒は、その一部が第２吸着熱交換器（32）へ流入し、残りが室外熱交換器（21）へ流入する。第２吸着熱交換器（32）へ流入した冷媒は、その第２吸着熱交換器（32）で凝縮してから第１電動膨張弁（41）で減圧され、その後に気液分離器（23）へ流入する。室外熱交換器（21）へ流入した冷媒は、その室外熱交換器（21）で凝縮してから第２電動膨張弁（42）で減圧され、その後に室内熱交換器（22）で蒸発してから気液分離器（23）へ流入する。気液分離器（23）から流出した冷媒は、第１吸着熱交換器（31）で蒸発した後に圧縮機（20）へ吸入されて圧縮される。
【０３４０】
加湿暖房運転の第１動作では、図３０(Ａ)に示すように、第１四方切換弁（51）が第１状態に、第２四方切換弁（52）が第２状態にそれぞれ設定され、第１電動膨張弁（41）及び第２電動膨張弁（42）の開度がそれぞれ適宜調節される。この状態で、圧縮機（20）から吐出された冷媒は、第１吸着熱交換器（31）で凝縮してから気液分離器（23）へ流入する。気液分離器（23）から流出した液冷媒は、第１電動膨張弁（41）で減圧されてから第２吸着熱交換器（32）で蒸発し、その後、圧縮機（20）へ吸入されて圧縮される。一方、気液分離器（23）から流出したガス冷媒は、室内熱交換器（22）で凝縮してから第２電動膨張弁（42）で減圧され、室外熱交換器（21）で蒸発した後に圧縮機（20）へ吸入されて圧縮される。
【０３４１】
加湿暖房運転の第２動作では、図３０(Ｂ)に示すように、第１四方切換弁（51）が第２状態に、第２四方切換弁（52）が第１状態にそれぞれ設定され、第１電動膨張弁（41）及び第２電動膨張弁（42）の開度がそれぞれ適宜調節される。この状態で、圧縮機（20）から吐出された冷媒は、その一部が第２吸着熱交換器（32）へ流入し、残りが室内熱交換器（22）へ流入する。第２吸着熱交換器（32）へ流入した冷媒は、その第２吸着熱交換器（32）で凝縮してから第１電動膨張弁（41）で減圧され、その後に気液分離器（23）へ流入する。室内熱交換器（22）へ流入した冷媒は、その室内熱交換器（22）で凝縮してから第２電動膨張弁（42）で減圧され、その後に室外熱交換器（21）で蒸発してから気液分離器（23）へ流入する。気液分離器（23）から流出した冷媒は、第１吸着熱交換器（31）で蒸発した後に圧縮機（20）へ吸入されて圧縮される。
【０３４２】
《発明の実施形態１１》
本発明の実施形態１１について説明する。本実施形態の空気調和装置は、上記実施形態５の空気調和装置において冷媒回路（10）の構成を変更したものである。
【０３４３】
図３１及び図３２に示すように、上記冷媒回路（10）には、圧縮機（20）と電動膨張弁（40）と四方切換弁（50）とが１つずつ設けられ、電磁弁（61,62）が２つ設けられている。また、冷媒回路（10）には、室外熱交換器（21）と室内熱交換器（22）とが１つずつ設けられ、吸着熱交換器（31,32）が２つ設けられている。この冷媒回路（10）では、室外熱交換器（21）が熱源側熱交換器を、室内熱交換器（22）と第１及び第２吸着熱交換器（31,32）とが利用側熱交換器をそれぞれ構成している。尚、室外熱交換器（21）、室内熱交換器（22）、及び各吸着熱交換器（31,32）は、それぞれ上記実施形態５のものと同様に構成されている。
【０３４４】
上記冷媒回路（10）の構成について説明する。圧縮機（20）は、その吐出側が第１吸着熱交換器（31）の一端と第２吸着熱交換器（32）の一端とに、その吸入側が四方切換弁（50）の第２のポートにそれぞれ接続されている。第１吸着熱交換器（31）の他端は第１電磁弁（61）を介して、第２吸着熱交換器（32）の他端は第２電磁弁（62）を介して、それぞれ四方切換弁（50）の第１のポートに接続されている。冷媒回路（10）では、四方切換弁（50）の第３のポートから第４のポートへ向かって順に、室外熱交換器（21）と電動膨張弁（40）と室内熱交換器（22）とが配置されている。
【０３４５】
上記四方切換弁（50）は、第１のポートと第３のポートが互いに連通して第２のポートと第４のポートが互いに連通する第１状態（図３１に示す状態）と、第１のポートと第４のポートが互いに連通して第２のポートと第３ポートが互いに連通する第２状態（図３２に示す状態）とに切り換わる。
【０３４６】
−運転動作−
本実施形態の空気調和装置では、除湿冷房運転と加湿暖房運転とが行われる。
【０３４７】
〈除湿冷房運転〉
除湿冷房運転中の動作について、図３１を参照しながら説明する。
【０３４８】
除湿冷房運転中には、四方切換弁（50）が第１状態に設定されると共に電動膨張弁（40）の開度が適宜調節され、室外熱交換器（21）が凝縮器となって室内熱交換器（22）が蒸発器となる。また、第１吸着熱交換器（31）が凝縮器となって第２吸着熱交換器（32）が休止する第１動作と、第２吸着熱交換器（32）が凝縮器となって第１吸着熱交換器（31）が休止する第２動作とが交互に繰り返される。
【０３４９】
更に、除湿冷房運転中には、室外熱交換器（21）へ室外空気が供給され、第１及び第２吸着熱交換器（31,32）へ室内空気が供給される。そして、室内熱交換器（22）を通過した空気が室内へ連続的に供給されると共に、第１吸着熱交換器（31）を通過した空気と第２吸着熱交換器（32）を通過した空気とが交互に室内へ供給される。
【０３５０】
第１動作では、第１吸着熱交換器（31）についての再生動作と、第２吸着熱交換器（32）についての吸着動作とが並行して行われる。第１動作中は、図３１(Ａ)に示すように、第１電磁弁（61）が開放され、第２電磁弁（62）が閉鎖される。この状態で、圧縮機（20）から吐出された冷媒は、第１吸着熱交換器（31）と室外熱交換器（21）を順に通過する間に凝縮し、その後、電動膨張弁（40）で減圧されてから室内熱交換器（22）で蒸発し、圧縮機（20）へ吸入されて圧縮される。その際、第２吸着熱交換器（32）への冷媒の流入は、第２電磁弁（62）によって遮断される。
【０３５１】
この第１動作中において、室外熱交換器（21）で冷媒から吸熱した室外空気が室外へ排出され、室内熱交換器（22）で冷却された室内空気が室内へ送り返される。第１吸着熱交換器（31）では、冷媒で加熱された吸着材から水分が脱離し、この脱離した水分が空気に付与される。第１吸着熱交換器（31）から脱離した水分は、空気と共に室外へ排出される。第２吸着熱交換器（32）では、室内空気中の水分が吸着材に吸着されて室内空気が除湿される。第２吸着熱交換器（32）で除湿された室内空気は、室内へ送り返される。
【０３５２】
第２動作では、第１吸着熱交換器（31）についての吸着動作と、第２吸着熱交換器（32）についての再生動作とが並行して行われる。第２動作中は、図３１(Ｂ)に示すように、第１電磁弁（61）が閉鎖され、第２電磁弁（62）が開放される。この状態で、圧縮機（20）から吐出された冷媒は、第２吸着熱交換器（32）と室外熱交換器（21）を順に通過する間に凝縮し、その後、電動膨張弁（40）で減圧されてから室内熱交換器（22）で蒸発し、圧縮機（20）へ吸入されて圧縮される。その際、第１吸着熱交換器（31）への冷媒の流入は、第１電磁弁（61）によって遮断される。
【０３５３】
この第２動作中において、室外熱交換器（21）で冷媒から吸熱した室外空気が室外へ排出され、室内熱交換器（22）で冷却された室内空気が室内へ送り返される。第１吸着熱交換器（31）では、室内空気中の水分が吸着材に吸着されて室内空気が除湿される。第１吸着熱交換器（31）で除湿された室内空気は、室内へ送り返される。第２吸着熱交換器（32）では、冷媒で加熱された吸着材から水分が脱離し、この脱離した水分が空気に付与される。第２吸着熱交換器（32）から脱離した水分は、空気と共に室外へ排出される。
【０３５４】
〈加湿暖房運転〉
加湿暖房運転中の動作について、図３１を参照しながら説明する。
【０３５５】
加湿暖房運転中には、四方切換弁（50）が第２状態に設定されると共に電動膨張弁（40）の開度が適宜調節され、室内熱交換器（22）が凝縮器となって室外熱交換器（21）が蒸発器となる。また、第１吸着熱交換器（31）が凝縮器となって第２吸着熱交換器（32）が休止する第１動作と、第２吸着熱交換器（32）が凝縮器となって第１吸着熱交換器（31）が休止する第２動作とが交互に繰り返される。
【０３５６】
更に、加湿暖房運転中には、室外熱交換器（21）へ室外空気が供給され、室内熱交換器（22）と第１及び第２吸着熱交換器（31,32）へ室内空気が供給される。そして、室内熱交換器（22）を通過した空気が室内へ連続的に供給されると共に、第１吸着熱交換器（31）を通過した空気と第２吸着熱交換器（32）を通過した空気とが交互に室内へ供給される。
【０３５７】
第１動作では、第１吸着熱交換器（31）についての再生動作と、第２吸着熱交換器（32）についての吸着動作とが並行して行われる。第１動作中は、図３２(Ａ)に示すように、第１電磁弁（61）が開放され、第２電磁弁（62）が閉鎖される。この状態で、圧縮機（20）から吐出された冷媒は、第１吸着熱交換器（31）と室内熱交換器（22）を順に通過する間に凝縮し、その後、電動膨張弁（40）で減圧されてから室外熱交換器（21）で蒸発し、圧縮機（20）へ吸入されて圧縮される。その際、第２吸着熱交換器（32）への冷媒の流入は、第２電磁弁（62）によって遮断される。
【０３５８】
この第１動作中において、室外熱交換器（21）で冷媒へ放熱した室外空気が室外へ排出され、室内熱交換器（22）で加熱された室内空気が室内へ送り返される。第１吸着熱交換器（31）では、冷媒で加熱された吸着材から水分が脱離し、この脱離した水分が空気に付与される。第１吸着熱交換器（31）で水分を奪われた室内空気は、室外へ排出される。第２吸着熱交換器（32）では、室内空気中の水分が吸着材に吸着されて室内空気が除湿される。第２吸着熱交換器（32）で加湿された室内空気は、室内へ送り返される。
【０３５９】
第２動作では、第１吸着熱交換器（31）についての吸着動作と、第２吸着熱交換器（32）についての再生動作とが並行して行われる。第２動作中は、図３２(Ｂ)に示すように、第１電磁弁（61）が閉鎖され、第２電磁弁（62）が開放される。この状態で、圧縮機（20）から吐出された冷媒は、第２吸着熱交換器（32）と室内熱交換器（22）を順に通過する間に凝縮し、その後、電動膨張弁（40）で減圧されてから室外熱交換器（21）で蒸発し、圧縮機（20）へ吸入されて圧縮される。その際、第１吸着熱交換器（31）への冷媒の流入は、第１電磁弁（61）によって遮断される。
【０３６０】
この第２動作中において、室外熱交換器（21）で冷媒へ放熱した室外空気が室外へ排出され、室内熱交換器（22）で加熱された室内空気が室内へ送り返される。第１吸着熱交換器（31）では、室内空気中の水分が吸着材に吸着されて室内空気が除湿される。第１吸着熱交換器（31）で加湿された室内空気は、室内へ送り返される。第２吸着熱交換器（32）では、冷媒で加熱された吸着材から水分が脱離し、この脱離した水分が空気に付与される。第２吸着熱交換器（32）で水分を奪われた室内空気は、室外へ排出される。
【０３６１】
−実施形態１１の効果−
本実施形態によれば、上記参考技術１で得られる効果に加え、次のような効果が得られる。つまり、本実施形態において、除湿冷房運転中や加湿暖房運転中における第１動作と第２動作の切り換えは、２つの電磁弁（61,62）を開閉することによって行われる。このような第１動作と第２動作の切り換えは、比較的短い時間間隔（例えば５〜１０分間隔）で頻繁に行われる。従って、本実施形態によれば、第１動作と第２動作の切り換えに比較的耐久性の高い電磁弁（61,62）を利用することができ、空気調和装置の信頼性を容易に確保することができる。
【０３６２】
《発明の実施形態１２》
本発明の実施形態１２について説明する。本実施形態の空気調和装置は、上記実施形態５の空気調和装置において冷媒回路（10）の構成を変更したものである。
【０３６３】
図３３及び図３４に示すように、上記冷媒回路（10）には、圧縮機（20）と電動膨張弁（40）と四方切換弁（50）とが１つずつ設けられ、電磁弁（61,62）が２つ設けられている。また、冷媒回路（10）には、室外熱交換器（21）と室内熱交換器（22）とが１つずつ設けられ、吸着熱交換器（31,32）が２つ設けられている。この冷媒回路（10）では、室外熱交換器（21）が熱源側熱交換器を、室内熱交換器（22）と第１及び第２吸着熱交換器（31,32）とが利用側熱交換器をそれぞれ構成している。尚、室外熱交換器（21）、室内熱交換器（22）、及び各吸着熱交換器（31,32）は、それぞれ上記実施形態５のものと同様に構成されている。
【０３６４】
上記冷媒回路（10）の構成について説明する。圧縮機（20）は、その吐出側が四方切換弁（50）の第１のポートに、その吸入側が四方切換弁（50）の第２のポートにそれぞれ接続されている。第１吸着熱交換器（31）の一端と第２吸着熱交換器（32）の一端とは、それぞれ四方切換弁（50）の第４のポートに接続されている。第１吸着熱交換器（31）の他端は第１電磁弁（61）を介して、第２吸着熱交換器（32）の他端は第２電磁弁（62）を介して、それぞれ室内熱交換器（22）の一端に接続されている。室内熱交換器（22）の他端は電動膨張弁（40）を介して室外熱交換器（21）の一端に接続され、室外熱交換器（21）の他端は四方切換弁（50）の第３のポートに接続されている。
【０３６５】
上記四方切換弁（50）は、第１のポートと第３のポートが互いに連通して第２のポートと第４のポートが互いに連通する第１状態（図３３に示す状態）と、第１のポートと第４のポートが互いに連通して第２のポートと第３ポートが互いに連通する第２状態（図３４に示す状態）とに切り換わる。
【０３６６】
−運転動作−
本実施形態の空気調和装置では、除湿冷房運転と加湿暖房運転とが行われる。
【０３６７】
〈除湿冷房運転〉
除湿冷房運転中の動作について、図３３を参照しながら説明する。
【０３６８】
除湿冷房運転中には、四方切換弁（50）が第１状態に設定されると共に電動膨張弁（40）の開度が適宜調節され、室外熱交換器（21）が凝縮器となって室内熱交換器（22）が蒸発器となる。また、第１吸着熱交換器（31）が蒸発器となって第２吸着熱交換器（32）が休止する第１動作と、第２吸着熱交換器（32）が蒸発器となって第１吸着熱交換器（31）が休止する第２動作とが交互に繰り返される。
【０３６９】
更に、除湿冷房運転中には、室外熱交換器（21）へ室外空気が供給され、室内熱交換器（22）と第１及び第２吸着熱交換器（31,32）とへ室内空気が供給される。そして、室内熱交換器（22）を通過した空気が室内へ連続的に供給されると共に、第１吸着熱交換器（31）を通過した空気と第２吸着熱交換器（32）を通過した空気とが交互に室内へ供給される。
【０３７０】
第１動作では、第１吸着熱交換器（31）についての吸着動作と、第２吸着熱交換器（32）についての再生動作とが並行して行われる。第１動作中は、図３３(Ａ)に示すように、第１電磁弁（61）が開放され、第２電磁弁（62）が閉鎖される。この状態で、圧縮機（20）から吐出された冷媒は、室外熱交換器（21）で凝縮してから電動膨張弁（40）で減圧され、その後、室内熱交換器（22）と第１吸着熱交換器（31）を順に通過する間に蒸発し、圧縮機（20）へ吸入されて圧縮される。その際、第２吸着熱交換器（32）への冷媒の流入は、第２電磁弁（62）によって遮断される。
【０３７１】
この第１動作中において、室外熱交換器（21）で冷媒から吸熱した室外空気が室外へ排出され、室内熱交換器（22）で冷却された室内空気が室内へ送り返される。第１吸着熱交換器（31）では、室内空気中の水分が吸着材に吸着されて室内空気が除湿され、その際に生じた吸着熱が冷媒に吸熱される。第１吸着熱交換器（31）で除湿された室内空気は、室内へ送り返される。第２吸着熱交換器（32）では、絶対湿度の比較的低い室内空気が吸着材と接触し、該吸着材から水分が脱離する。第２吸着熱交換器（32）から脱離した水分は、空気と共に室外へ排出される。
【０３７２】
第２動作では、第１吸着熱交換器（31）についての再生動作と、第２吸着熱交換器（32）についての吸着動作とが並行して行われる。第２動作中は、図３３(Ｂ)に示すように、第１電磁弁（61）が閉鎖され、第２電磁弁（62）が開放される。この状態で、圧縮機（20）から吐出された冷媒は、室外熱交換器（21）で凝縮してから電動膨張弁（40）で減圧され、その後、室内熱交換器（22）と第２吸着熱交換器（32）を順に通過する間に蒸発し、圧縮機（20）へ吸入されて圧縮される。その際、第１吸着熱交換器（31）への冷媒の流入は、第１電磁弁（61）によって遮断される。
【０３７３】
この第２動作中において、室外熱交換器（21）で冷媒から吸熱した室外空気が室外へ排出され、室内熱交換器（22）で冷却された室内空気が室内へ送り返される。第２吸着熱交換器（32）では、室内空気中の水分が吸着材に吸着されて室内空気が除湿され、その際に生じた吸着熱が冷媒に吸熱される。第２吸着熱交換器（32）で除湿された室内空気は、室内へ送り返される。第１吸着熱交換器（31）では、絶対湿度の比較的低い室内空気が吸着材と接触し、該吸着材から水分が脱離する。第１吸着熱交換器（31）から脱離した水分は、空気と共に室外へ排出される。
【０３７４】
〈加湿暖房運転〉
加湿暖房運転中の動作について、図３４を参照しながら説明する。
【０３７５】
加湿暖房運転中には、四方切換弁（50）が第２状態に設定されると共に電動膨張弁（40）の開度が適宜調節され、室内熱交換器（22）が凝縮器となって室外熱交換器（21）が蒸発器となる。また、第１吸着熱交換器（31）が凝縮器となって第２吸着熱交換器（32）が休止する第１動作と、第２吸着熱交換器（32）が凝縮器となって第１吸着熱交換器（31）が休止する第２動作とが交互に繰り返される。
【０３７６】
更に、加湿暖房運転中には、室外熱交換器（21）へ室外空気が供給され、室内熱交換器（22）と第１及び第２吸着熱交換器（31,32）とへ室内空気が供給される。そして、室内熱交換器（22）を通過した空気が室内へ連続的に供給されると共に、第１吸着熱交換器（31）を通過した空気と第２吸着熱交換器（32）を通過した空気とが交互に室内へ供給される。
【０３７７】
第１動作では、第１吸着熱交換器（31）についての再生動作と、第２吸着熱交換器（32）についての吸着動作とが並行して行われる。第１動作中は、図３４(Ａ)に示すように、第１電磁弁（61）が開放され、第２電磁弁（62）が閉鎖される。この状態で、圧縮機（20）から吐出された冷媒は、第１吸着熱交換器（31）と室内熱交換器（22）を順に通過する間に凝縮し、その後、電動膨張弁（40）で減圧されてから室外熱交換器（21）で蒸発し、圧縮機（20）へ吸入されて圧縮される。その際、第２吸着熱交換器（32）への冷媒の流入は、第２電磁弁（62）によって遮断される。
【０３７８】
この第１動作中において、室外熱交換器（21）で冷媒へ放熱した室外空気が室外へ排出され、室内熱交換器（22）で加熱された室内空気が室内へ送り返される。第１吸着熱交換器（31）では、冷媒で加熱された吸着材から水分が脱離し、この脱離した水分が空気に付与される。第１吸着熱交換器（31）で加湿された室内空気は、室内へ送り返される。第２吸着熱交換器（32）では、室内空気が吸着材と接触し、この室内空気中の水分が吸着材に吸着される。第２吸着熱交換器（32）で水分を奪われた室内空気は、室外へ排出される。
【０３７９】
第２動作では、第１吸着熱交換器（31）についての吸着動作と、第２吸着熱交換器（32）についての再生動作とが並行して行われる。第２動作中は、図３４(Ｂ)に示すように、第１電磁弁（61）が閉鎖され、第２電磁弁（62）が開放される。圧縮機（20）から吐出された冷媒は、第２吸着熱交換器（32）と室内熱交換器（22）を順に通過する間に凝縮し、その後、電動膨張弁（40）で減圧されてから室外熱交換器（21）で蒸発し、圧縮機（20）へ吸入されて圧縮される。その際、第１吸着熱交換器（31）への冷媒の流入は、第１電磁弁（61）によって遮断される。
【０３８０】
この第２動作中において、室外熱交換器（21）で冷媒へ放熱した室外空気が室外へ排出され、室内熱交換器（22）で加熱された室内空気が室内へ送り返される。第１吸着熱交換器（31）では、室内空気が吸着材と接触し、この室内空気中の水分が吸着材に吸着される。第１吸着熱交換器（31）で水分を奪われた室内空気は、室外へ排出される。第２吸着熱交換器（32）では、冷媒で加熱された吸着材から水分が脱離し、この脱離した水分が空気に付与される。第２吸着熱交換器（32）で加湿された室内空気は、室内へ送り返される。
【０３８１】
−実施形態１２の効果−
本実施形態によれば、上記実施形態１１で得られる効果と同様の効果が得られる。
【０３８２】
−実施形態１２の変形例１−
本実施形態の空気調和装置では、図３５に示すように、冷媒回路（10）にバイパス通路（13）を設けてもよい。このバイパス通路（13）は、その一端が室内熱交換器（22）に、その他端が四方切換弁（50）の第４のポートにそれぞれ接続される。また、バイパス通路（13）には、第３電磁弁（63）が設けられる。室内の除湿や加湿が不要な場合は、第１電磁弁（61）及び第２電磁弁（62）を閉鎖して第３電磁弁（63）を開放し、第１吸着熱交換器（31）と第２吸着熱交換器（32）の両方を休止させる。そして、冷房運転中には室内熱交換器（22）で冷却された空気だけを室内へ供給し、暖房運転中には室内熱交換器（22）で加熱された空気だけを室内へ供給する。
【０３８３】
−実施形態１２の変形例２−
本実施形態の空気調和装置では、図３６及び図３７に示すように、冷媒回路（10）における室外熱交換器（21）と室内熱交換器（22）の位置を入れ替えてもよい。つまり、本変形例の冷媒回路（10）において、室内熱交換器（22）は、その一端が四方切換弁（50）の第３のポートに、その他端が電動膨張弁（40）を介して室外熱交換器（21）の一端にそれぞれ接続される。また、室外熱交換器（21）の他端は、第１電磁弁（61）と第２電磁弁（62）の両方に接続される。
【０３８４】
〈除湿冷房運転〉
除湿冷房運転中の動作について、図３６を参照しながら説明する。
【０３８５】
除湿冷房運転中には、四方切換弁（50）が第２状態に設定されると共に電動膨張弁（40）の開度が適宜調節され、室外熱交換器（21）が凝縮器となって室内熱交換器（22）が蒸発器となる。また、第１吸着熱交換器（31）が凝縮器となって第２吸着熱交換器（32）が休止する第１動作と、第２吸着熱交換器（32）が凝縮器となって第１吸着熱交換器（31）が休止する第２動作とが交互に繰り返される。
【０３８６】
更に、除湿冷房運転中には、室外熱交換器（21）へ室外空気が供給され、室内熱交換器（22）と第１及び第２吸着熱交換器（31,32）とへ室内空気が供給される。そして、室内熱交換器（22）を通過した空気が室内へ連続的に供給されると共に、第１吸着熱交換器（31）を通過した空気と第２吸着熱交換器（32）を通過した空気とが交互に室内へ供給される。
【０３８７】
第１動作では、第１吸着熱交換器（31）についての再生動作と、第２吸着熱交換器（32）についての吸着動作とが並行して行われる。第１動作中は、図３６(Ａ)に示すように、第１電磁弁（61）が開放され、第２電磁弁（62）が閉鎖される。この状態で、圧縮機（20）から吐出された冷媒は、第１吸着熱交換器（31）と室外熱交換器（21）を順に通過する間に凝縮し、その後、電動膨張弁（40）で減圧されてから室内熱交換器（22）で蒸発し、圧縮機（20）へ吸入されて圧縮される。その際、第２吸着熱交換器（32）への冷媒の流入は、第２電磁弁（62）によって遮断される。
【０３８８】
この第１動作中において、室外熱交換器（21）で冷媒から吸熱した室外空気が室外へ排出され、室内熱交換器（22）で冷却された室内空気が室内へ送り返される。第１吸着熱交換器（31）では、冷媒で加熱された吸着材から水分が脱離し、この脱離した水分が空気と共に室外へ排出される。第２吸着熱交換器（32）では、室内空気が吸着材と接触し、この室内空気中の水分が吸着材に吸着される。第２吸着熱交換器（32）で除湿された室内空気は、室内へ送り返される。
【０３８９】
第２動作では、第１吸着熱交換器（31）についての吸着動作と、第２吸着熱交換器（32）についての再生動作とが並行して行われる。第２動作中は、図３６(Ｂ)に示すように、第１電磁弁（61）が閉鎖され、第２電磁弁（62）が開放される。圧縮機（20）から吐出された冷媒は、第２吸着熱交換器（32）と室外熱交換器（21）を順に通過する間に凝縮し、その後、電動膨張弁（40）で減圧されてから室内熱交換器（22）で蒸発し、圧縮機（20）へ吸入されて圧縮される。その際、第１吸着熱交換器（31）への冷媒の流入は、第１電磁弁（61）によって遮断される。
【０３９０】
この第２動作中において、室外熱交換器（21）で冷媒から吸熱した室外空気が室外へ排出され、室内熱交換器（22）で冷却された室内空気が室内へ送り返される。第１吸着熱交換器（31）では、室内空気が吸着材と接触し、この室内空気中の水分が吸着材に吸着される。第１吸着熱交換器（31）で除湿された室内空気は、室内へ送り返される。第２吸着熱交換器（32）では、冷媒で加熱された吸着材から水分が脱離し、この脱離した水分が空気と共に室外へ排出される。
【０３９１】
〈加湿暖房運転〉
加湿暖房運転中の動作について、図３７を参照しながら説明する。
【０３９２】
加湿暖房運転中には、四方切換弁（50）が第１状態に設定されると共に電動膨張弁（40）の開度が適宜調節され、室内熱交換器（22）が凝縮器となって室外熱交換器（21）が蒸発器となる。また、第１吸着熱交換器（31）が蒸発器となって第２吸着熱交換器（32）が休止する第１動作と、第２吸着熱交換器（32）が蒸発器となって第１吸着熱交換器（31）が休止する第２動作とが交互に繰り返される。
【０３９３】
更に、加湿暖房運転中には、室外熱交換器（21）へ室外空気が供給され、室内熱交換器（22）と第１及び第２吸着熱交換器（31,32）とへ室内空気が供給される。そして、室内熱交換器（22）を通過した空気が室内へ連続的に供給されると共に、第１吸着熱交換器（31）を通過した空気と第２吸着熱交換器（32）を通過した空気とが交互に室内へ供給される。
【０３９４】
第１動作では、第１吸着熱交換器（31）についての吸着動作と、第２吸着熱交換器（32）についての再生動作とが並行して行われる。第１動作中は、図３７(Ａ)に示すように、第１電磁弁（61）が開放され、第２電磁弁（62）が閉鎖される。この状態で、圧縮機（20）から吐出された冷媒は、室内熱交換器（22）で凝縮してから電動膨張弁（40）で減圧され、その後、室外熱交換器（21）と第１吸着熱交換器（31）を順に通過する間に蒸発し、圧縮機（20）へ吸入されて圧縮される。その際、第２吸着熱交換器（32）への冷媒の流入は、第２電磁弁（62）によって遮断される。
【０３９５】
この第１動作中において、室外熱交換器（21）で冷媒へ放熱した室外空気が室外へ排出され、室内熱交換器（22）で加熱された室内空気が室内へ送り返される。第１吸着熱交換器（31）では、室内空気中の水分が吸着材に吸着され、その際に生じた吸着熱が冷媒に吸熱される。第１吸着熱交換器（31）で水分を奪われた室内空気は、室外へ排出される。第２吸着熱交換器（32）では、絶対湿度の比較的低い室内空気が吸着材と接触し、該吸着材から脱離した水分が室内空気に付与される。第２吸着熱交換器（32）で加湿された室内空気は、室内へ送り返される。
【０３９６】
第２動作では、第１吸着熱交換器（31）についての再生動作と、第２吸着熱交換器（32）についての吸着動作とが並行して行われる。第２動作中は、図３７(Ｂ)に示すように、第１電磁弁（61）が閉鎖され、第２電磁弁（62）が開放される。この状態で、圧縮機（20）から吐出された冷媒は、室内熱交換器（22）で凝縮してから電動膨張弁（40）で減圧され、その後、室外熱交換器（21）と第２吸着熱交換器（32）を順に通過する間に蒸発し、圧縮機（20）へ吸入されて圧縮される。その際、第１吸着熱交換器（31）への冷媒の流入は、第１電磁弁（61）によって遮断される。
【０３９７】
この第２動作中において、室外熱交換器（21）で冷媒へ放熱した室外空気が室外へ排出され、室内熱交換器（22）で加熱された室内空気が室内へ送り返される。第２吸着熱交換器（32）では、室内空気中の水分が吸着材に吸着され、その際に生じた吸着熱が冷媒に吸熱される。第２吸着熱交換器（32）で水分を奪われた室内空気は、室外へ排出される。第１吸着熱交換器（31）では、絶対湿度の比較的低い室内空気が吸着材と接触し、該吸着材から脱離した水分が室内空気に付与される。第１吸着熱交換器（31）で加湿された室内空気は、室内へ送り返される。
【０３９８】
《発明の実施形態１３》
本発明の実施形態１３について説明する。本実施形態の空気調和装置は、上記実施形態１２の空気調和装置において冷媒回路（10）の構成を変更したものである。
【０３９９】
図３８及び図３９に示すように、上記冷媒回路（10）には、圧縮機（20）と電動膨張弁（40）と四方切換弁（50）とが１つずつ設けられ、電磁弁（61,62）が２つ設けられている。また、冷媒回路（10）には、室外熱交換器（21）と室内熱交換器（22）とが１つずつ設けられ、吸着熱交換器（31,32）が２つ設けられている。この冷媒回路（10）では、室外熱交換器（21）が熱源側熱交換器を、室内熱交換器（22）と第１及び第２吸着熱交換器（31,32）とが利用側熱交換器をそれぞれ構成している。尚、室外熱交換器（21）、室内熱交換器（22）、及び各吸着熱交換器（31,32）は、それぞれ上記実施形態１２のものと同様に構成されている。
【０４００】
上記冷媒回路（10）の構成について説明する。圧縮機（20）は、その吐出側が四方切換弁（50）の第１のポートに、その吸入側が四方切換弁（50）の第２のポートにそれぞれ接続されている。四方切換弁（50）の第３のポートは、室外熱交換器（21）の一端に接続されている。室外熱交換器（21）の他端は、電動膨張弁（40）を介して第１吸着熱交換器（31）の一端と第２吸着熱交換器（32）の一端とに接続されている。第１吸着熱交換器（31）の他端は第１電磁弁（61）を介して、第２吸着熱交換器（32）の他端は第２電磁弁（62）を介して、それぞれ室内熱交換器（22）の一端に接続されている。室内熱交換器（22）の他端は、四方切換弁（50）の第４のポートに接続されている。
【０４０１】
上記四方切換弁（50）は、第１のポートと第３のポートが互いに連通して第２のポートと第４のポートが互いに連通する第１状態（図３８に示す状態）と、第１のポートと第４のポートが互いに連通して第２のポートと第３ポートが互いに連通する第２状態（図３９に示す状態）とに切り換わる。
【０４０２】
−運転動作−
本実施形態の空気調和装置では、除湿冷房運転と加湿暖房運転とが行われる。
【０４０３】
〈除湿冷房運転〉
除湿冷房運転中の動作について、図３８を参照しながら説明する。
【０４０４】
除湿冷房運転中には、四方切換弁（50）が第１状態に設定されると共に電動膨張弁（40）の開度が適宜調節され、室外熱交換器（21）が凝縮器となって室内熱交換器（22）が蒸発器となる。また、第１吸着熱交換器（31）が蒸発器となって第２吸着熱交換器（32）が休止する第１動作と、第２回路（12）で第２吸着熱交換器（32）が蒸発器となって第１吸着熱交換器（31）が休止する第２動作とが交互に繰り返される。
【０４０５】
尚、第１動作中の空気の流れは、上記実施形態１２における除湿冷房運転の第１動作中の流れと同じである。また、第２動作中の空気の流れは、上記実施形態１２における除湿冷房運転の第２動作中の流れと同じである。
【０４０６】
第１動作では、第１吸着熱交換器（31）についての吸着動作と、第２吸着熱交換器（32）についての再生動作とが並行して行われる。第１動作中は、図３８(Ａ)に示すように、第１電磁弁（61）が開放され、第２電磁弁（62）が閉鎖される。この状態で、圧縮機（20）から吐出された冷媒は、室外熱交換器（21）で凝縮してから電動膨張弁（40）で減圧され、その後、第１吸着熱交換器（31）と室内熱交換器（22）を順に通過する間に蒸発し、圧縮機（20）へ吸入されて圧縮される。その際、第２吸着熱交換器（32）への冷媒の流入は、第２電磁弁（62）によって遮断される。
【０４０７】
第２動作では、第１吸着熱交換器（31）についての再生動作と、第２吸着熱交換器（32）についての吸着動作とが並行して行われる。第２動作中は、図３８(Ｂ)に示すように、第１電磁弁（61）が閉鎖され、第２電磁弁（62）が開放される。この状態で、圧縮機（20）から吐出された冷媒は、室外熱交換器（21）で凝縮してから電動膨張弁（40）で減圧され、その後、第２吸着熱交換器（32）と室内熱交換器（22）を順に通過する間に蒸発し、圧縮機（20）へ吸入されて圧縮される。その際、第１吸着熱交換器（31）への冷媒の流入は、第１電磁弁（61）によって遮断される。
【０４０８】
そして、除湿冷房運転中には、室内熱交換器（22）で冷却された室内空気が室内へ供給されると共に、第１動作中の第１吸着熱交換器（31）で除湿された室内空気と第２動作中の第２吸着熱交換器（32）で除湿された室内空気とが交互に室内へ供給される。
【０４０９】
〈加湿暖房運転〉
加湿暖房運転中の動作について、図３９を参照しながら説明する。
【０４１０】
加湿暖房運転中には、四方切換弁（50）が第２状態に設定されると共に電動膨張弁（40）の開度が適宜調節され、室内熱交換器（22）が凝縮器となって室外熱交換器（21）が蒸発器となる。また、第１吸着熱交換器（31）が凝縮器となって第２吸着熱交換器（32）が休止する第１動作と、第２回路（12）で第２吸着熱交換器（32）が凝縮器となって第１吸着熱交換器（31）が休止する第２動作とが交互に繰り返される。
【０４１１】
尚、第１動作中の空気の流れは、上記実施形態１２における加湿暖房運転の第１動作中の流れと同じである。また、第２動作中の空気の流れは、上記実施形態１２における加湿暖房運転の第２動作中の流れと同じである。
【０４１２】
第１動作では、第１吸着熱交換器（31）についての再生動作と、第２吸着熱交換器（32）についての吸着動作とが並行して行われる。第１動作中は、図３９(Ａ)に示すように、第１電磁弁（61）が開放され、第２電磁弁（62）が閉鎖される。この状態で、圧縮機（20）から吐出された冷媒は、室内熱交換器（22）と第１吸着熱交換器（31）を順に通過する間に凝縮し、その後、電動膨張弁（40）で減圧されてから室外熱交換器（21）で蒸発し、圧縮機（20）へ吸入されて圧縮される。その際、第２吸着熱交換器（32）への冷媒の流入は、第２電磁弁（62）によって遮断される。
【０４１３】
第２動作では、第１吸着熱交換器（31）についての吸着動作と、第２吸着熱交換器（32）についての再生動作とが並行して行われる。第２動作中は、図３９(Ｂ)に示すように、第１電磁弁（61）が閉鎖され、第２電磁弁（62）が開放される。圧縮機（20）から吐出された冷媒は、室内熱交換器（22）と第２吸着熱交換器（32）を順に通過する間に凝縮し、その後、電動膨張弁（40）で減圧されてから室外熱交換器（21）で蒸発し、圧縮機（20）へ吸入されて圧縮される。その際、第１吸着熱交換器（31）への冷媒の流入は、第１電磁弁（61）によって遮断される。
【０４１４】
そして、加湿暖房運転中には、室内熱交換器（22）で加熱された室内空気が室内へ供給されると共に、第１動作中の第１吸着熱交換器（31）で加湿された室内空気と第２動作中の第２吸着熱交換器（32）で加湿された室内空気とが交互に室内へ供給される。
【０４１５】
−実施形態１３の効果−
本実施形態によれば、上記実施形態１１で得られる効果と同様の効果が得られる。
【０４１６】
《その他の参考技術と実施形態》
上記参考技術又は実施形態の空気調和装置は、次のような構成のものであってもよい。
【０４１７】
−参考技術の変形例−
上記参考技術１の空気調和装置では、図４０，図４１に示すように、キャピラリチューブ（43）及び電磁弁（60）に代えて電動膨張弁（80）を設けてもよい。冷媒回路（10）において、この電動膨張弁（80）は、室内熱交換器（22）と吸着熱交換器（30）の間に配置される。
【０４１８】
図４０に示すように、除湿冷房運転中には、室外熱交換器（21）が凝縮器となって室内熱交換器（22）が蒸発器となる。また、吸着熱交換器（30）は、２つの電動膨張弁（40,80）の開度を調節することによって、蒸発器になる状態と凝縮器になる状態とに切り換わる。
【０４１９】
吸着熱交換器（30）と室内熱交換器（22）が蒸発器になっている状態において、電動膨張弁（80）で冷媒をやや減圧すれば、吸着熱交換器（30）での冷媒蒸発温度に比べて室内熱交換器（22）での冷媒蒸発温度が低く設定される。そして、室内熱交換器（22）における冷媒の吸熱量と、吸着熱交換器（30）における冷媒の吸熱量とのバランスが調節される。一方、室外熱交換器（21）と吸着熱交換器（30）が凝縮器になっている状態において、電動膨張弁（40）で冷媒をやや減圧すれば、室外熱交換器（21）での冷媒凝縮温度に比べて吸着熱交換器（30）での冷媒凝縮温度が低く設定される。そして、室外熱交換器（21）における冷媒の放熱量と、吸着熱交換器（30）における冷媒の放熱量とのバランスが調節される。
【０４２０】
このように、除湿冷房運転中には、蒸発器となっている吸着熱交換器（30）と室内熱交換器（22）における冷媒の吸熱量をそれぞれ調節でき、凝縮器となっている吸着熱交換器（30）と室外熱交換器（21）における冷媒の放熱量をそれぞれ調節できる。従って、本変形例の空気調和装置では、冷房能力と除湿能力のバランスを変更することができる。
【０４２１】
図４１に示すように、加湿暖房運転中には、室内熱交換器（22）が凝縮器となって室外熱交換器（21）が蒸発器となる。また、吸着熱交換器（30）は、２つの電動膨張弁（40,80）の開度を調節することによって、蒸発器になる状態と凝縮器になる状態とに切り換わる。
【０４２２】
吸着熱交換器（30）と室外熱交換器（21）が蒸発器になっている状態において、電動膨張弁（40）で冷媒をやや減圧すれば、吸着熱交換器（30）での冷媒蒸発温度に比べて室外熱交換器（21）での冷媒蒸発温度が低く設定される。そして、室外熱交換器（21）における冷媒の吸熱量と、吸着熱交換器（30）における冷媒の吸熱量とのバランスが調節される。一方、室内熱交換器（22）と吸着熱交換器（30）が凝縮器になっている状態において、電動膨張弁（80）で冷媒をやや減圧すれば、室内熱交換器（22）での冷媒凝縮温度に比べて吸着熱交換器（30）での冷媒凝縮温度が低く設定される。そして、室内熱交換器（22）における冷媒の放熱量と、吸着熱交換器（30）における冷媒の放熱量とのバランスが調節される。
【０４２３】
このように、加湿暖房運転中には、凝縮器となっている吸着熱交換器（30）と室内熱交換器（22）における冷媒の放熱量をそれぞれ調節でき、蒸発器となっている吸着熱交換器（30）と室外熱交換器（21）における冷媒の吸熱量をそれぞれ調節できる。従って、本変形例の空気調和装置では、暖房能力と加湿能力のバランスを変更することができる。
【０４２４】
−実施形態の第１変形例−
上記実施形態５の空気調和装置では、図４２，図４３に示すように、２つの補助電動膨張弁（81,82）を冷媒回路（10）に追加してもよい。冷媒回路（10）において、第１補助電動膨張弁（81）は、第２四方切換弁（52）の第１のポートと室外熱交換器（21）の間に配置される。また、第２補助電動膨張弁（82）は、第２四方切換弁（52）の第２のポートと室内熱交換器（22）の間に配置される。
【０４２５】
図４２に示すように、除湿冷房運転中には、室外熱交換器（21）が凝縮器となって室内熱交換器（22）が蒸発器となる。また、冷媒回路（10）では、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。同図は、第１動作中の状態を示している。
【０４２６】
例えば、第２吸着熱交換器（32）と室内熱交換器（22）が蒸発器になっている状態において、第２補助電動膨張弁（82）で冷媒をやや減圧すれば、第２吸着熱交換器（32）での冷媒蒸発温度に比べて室内熱交換器（22）での冷媒蒸発温度が低く設定される。第２吸着熱交換器（32）に代わって第１吸着熱交換器（31）が蒸発器となる状態でも、第２補助電動膨張弁（82）で冷媒をやや減圧することにより、第２吸着熱交換器（32）での冷媒蒸発温度に比べて室内熱交換器（22）での冷媒蒸発温度が低く設定される。
【０４２７】
また、室外熱交換器（21）と第１吸着熱交換器（31）が凝縮器になっている状態において、第１補助電動膨張弁（81）で冷媒をやや減圧すれば、室外熱交換器（21）での冷媒凝縮温度に比べて第１吸着熱交換器（31）での冷媒凝縮温度が低く設定される。第１吸着熱交換器（31）に代わって第２吸着熱交換器（32）が凝縮器となる状態でも、第１補助電動膨張弁（81）で冷媒をやや減圧することにより、室外熱交換器（21）での冷媒凝縮温度に比べて第２吸着熱交換器（32）での冷媒凝縮温度が低く設定される。
【０４２８】
このように、除湿冷房運転中には、蒸発器となっている吸着熱交換器（31,32）と室内熱交換器（22）について、それぞれにおける冷媒蒸発温度を異なる値に設定することで、それぞれにおける冷媒の吸熱量が調節可能となる。また、凝縮器となっている吸着熱交換器（30）と室外熱交換器（21）について、それぞれにおける冷媒凝縮温度を異なる値に設定することで、それぞれにおける冷媒の放熱量が調節可能となる。従って、本変形例の空気調和装置では、冷房能力と除湿能力のバランスを変更することができる。
【０４２９】
図４３に示すように、加湿暖房運転中には、室内熱交換器（22）が凝縮器となって室外熱交換器（21）が蒸発器となる。また、冷媒回路（10）では、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。同図は、第１動作中の状態を示している。
【０４３０】
例えば、第２吸着熱交換器（32）と室外熱交換器（21）が蒸発器になっている状態において、第１補助電動膨張弁（81）で冷媒をやや減圧すれば、第２吸着熱交換器（32）での冷媒蒸発温度に比べて室外熱交換器（21）での冷媒蒸発温度が低く設定される。第２吸着熱交換器（32）に代わって第１吸着熱交換器（31）が蒸発器となる状態でも、第１補助電動膨張弁（81）で冷媒をやや減圧することにより、第１吸着熱交換器（31）での冷媒蒸発温度に比べて室外熱交換器（21）での冷媒蒸発温度が低く設定される。
【０４３１】
また、室内熱交換器（22）と第１吸着熱交換器（31）が凝縮器になっている状態において、第２補助電動膨張弁（82）で冷媒をやや減圧すれば、室内熱交換器（22）での冷媒凝縮温度に比べて第１吸着熱交換器（31）での冷媒凝縮温度が低く設定される。第１吸着熱交換器（31）に代わって第２吸着熱交換器（32）が凝縮器となる状態でも、第２補助電動膨張弁（82）で冷媒をやや減圧することにより、室内熱交換器（22）での冷媒凝縮温度に比べて第２吸着熱交換器（32）での冷媒凝縮温度が低く設定される。
【０４３２】
このように、加湿暖房運転中には、凝縮器となっている吸着熱交換器（31,32）と室内熱交換器（22）について、それぞれにおける冷媒凝縮温度を異なる値に設定することで、それぞれにおける冷媒の放熱量が調節可能となる。また、蒸発器となっている吸着熱交換器（30）と室外熱交換器（21）について、それぞれにおける冷媒蒸発温度を異なる値に設定することで、それぞれにおける冷媒の吸熱量が調節可能となる。従って、本変形例の空気調和装置では、暖房能力と加湿能力のバランスを変更することができる。
【０４３３】
−実施形態の第２変形例−
上記実施形態７の空気調和装置では、図４４，図４５に示すように、２つの補助電動膨張弁（81,82）を冷媒回路（10）に追加してもよい。冷媒回路（10）において、第１補助電動膨張弁（81）は、第２四方切換弁（52）の第１のポートと第１吸着熱交換器（31）の間に配置されている。また、第２補助電動膨張弁（82）は、第２四方切換弁（52）の第２のポートと第２吸着熱交換器（32）の間に配置されている。
【０４３４】
図４４に示すように、除湿冷房運転中には、室外熱交換器（21）が凝縮器となって室内熱交換器（22）が蒸発器となる。また、冷媒回路（10）では、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。同図は、第１動作中の状態を示している。
【０４３５】
例えば、室内熱交換器（22）と第２吸着熱交換器（32）が蒸発器になっている状態において、第２補助電動膨張弁（82）で冷媒をやや減圧すれば、室内熱交換器（22）での冷媒蒸発温度に比べて第２吸着熱交換器（32）での冷媒蒸発温度が低く設定される。第２吸着熱交換器（32）に代わって第１吸着熱交換器（31）が蒸発器となる状態では、第１補助電動膨張弁（81）で冷媒をやや減圧することにより、室内熱交換器（22）での冷媒蒸発温度に比べて第１吸着熱交換器（31）での冷媒蒸発温度が低く設定される。
【０４３６】
また、第１吸着熱交換器（31）と室外熱交換器（21）が凝縮器になっている状態において、第１補助電動膨張弁（81）で冷媒をやや減圧すれば、第１吸着熱交換器（31）での冷媒凝縮温度に比べて室外熱交換器（21）での冷媒凝縮温度が低く設定される。第１吸着熱交換器（31）に代わって第２吸着熱交換器（32）が凝縮器となる状態では、第２補助電動膨張弁（82）で冷媒をやや減圧することにより、第２吸着熱交換器（32）での冷媒凝縮温度に比べて室外熱交換器（21）での冷媒凝縮温度が低く設定される。
【０４３７】
このように、除湿冷房運転中には、蒸発器となっている吸着熱交換器（31,32）と室内熱交換器（22）について、それぞれにおける冷媒蒸発温度を異なる値に設定することで、それぞれにおける冷媒の吸熱量が調節可能となる。また、凝縮器となっている吸着熱交換器（30）と室外熱交換器（21）について、それぞれにおける冷媒凝縮温度を異なる値に設定することで、それぞれにおける冷媒の放熱量が調節可能となる。従って、本変形例の空気調和装置では、冷房能力と除湿能力のバランスを変更することができる。
【０４３８】
図４５に示すように、加湿暖房運転中には、室内熱交換器（22）が凝縮器となって室外熱交換器（21）が蒸発器となる。また、冷媒回路（10）では、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。同図は、第１動作中の状態を示している。
【０４３９】
例えば、室外熱交換器（21）と第２吸着熱交換器（32）が蒸発器になっている状態において、第２補助電動膨張弁（82）で冷媒をやや減圧すれば、室外熱交換器（21）での冷媒蒸発温度に比べて第２吸着熱交換器（32）での冷媒蒸発温度が低く設定される。第２吸着熱交換器（32）に代わって第１吸着熱交換器（31）が蒸発器となる状態では、第１補助電動膨張弁（81）で冷媒をやや減圧することにより、室外熱交換器（21）での冷媒蒸発温度に比べて第１吸着熱交換器（31）での冷媒蒸発温度が低く設定される。
【０４４０】
また、第１吸着熱交換器（31）と室内熱交換器（22）が凝縮器になっている状態において、第１補助電動膨張弁（81）で冷媒をやや減圧すれば、第１吸着熱交換器（31）での冷媒凝縮温度に比べて室内熱交換器（22）での冷媒凝縮温度が低く設定される。第１吸着熱交換器（31）に代わって第２吸着熱交換器（32）が凝縮器となる状態では、第２補助電動膨張弁（82）で冷媒をやや減圧することにより、第２吸着熱交換器（32）での冷媒凝縮温度に比べて室内熱交換器（22）での冷媒凝縮温度が低く設定される。
【０４４１】
このように、加湿暖房運転中には、凝縮器となっている吸着熱交換器（31,32）と室内熱交換器（22）について、それぞれにおける冷媒凝縮温度を異なる値に設定することで、それぞれにおける冷媒の放熱量が調節可能となる。また、蒸発器となっている吸着熱交換器（30）と室外熱交換器（21）について、それぞれにおける冷媒蒸発温度を異なる値に設定することで、それぞれにおける冷媒の吸熱量が調節可能となる。従って、本変形例の空気調和装置では、暖房能力と加湿能力のバランスを変更することができる。
【０４４２】
−実施形態の第３変形例−
上記実施形態９の空気調和装置では、冷媒回路（10）に一つの補助電動膨張弁を追加してもよい。
【０４４３】
例えば、図４６，図４７に示すように、冷媒回路（10）における圧縮機（20）の吸入側と第１四方切換弁（51）の間に補助電動膨張弁（82）を配置してもよい。
【０４４４】
図４６に示すように、除湿冷房運転中には、室外熱交換器（21）が凝縮器となって室内熱交換器（22）が蒸発器となる。また、冷媒回路（10）では、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。同図は、第１動作中の状態を示している。
【０４４５】
第２吸着熱交換器（32）と室内熱交換器（22）が蒸発器になっている状態において、補助電動膨張弁（82）で冷媒をやや減圧すれば、第２吸着熱交換器（32）での冷媒蒸発温度に比べて室内熱交換器（22）での冷媒蒸発温度が高く設定される。第２吸着熱交換器（32）に代わって第１吸着熱交換器（31）が蒸発器となる状態でも、補助電動膨張弁（82）で冷媒をやや減圧することにより、第１吸着熱交換器（31）での冷媒蒸発温度に比べて室内熱交換器（22）での冷媒蒸発温度が高く設定される。
【０４４６】
このように、除湿冷房運転中には、蒸発器となっている吸着熱交換器（31,32）と室内熱交換器（22）について、それぞれにおける冷媒蒸発温度を異なる値に設定することで、それぞれにおける冷媒の吸熱量が調節可能となる。従って、本変形例の空気調和装置では、冷房能力と除湿能力のバランスを変更することができる。
【０４４７】
図４７に示すように、加湿暖房運転中には、室内熱交換器（22）が凝縮器となって室外熱交換器（21）が蒸発器となる。また、冷媒回路（10）では、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。同図は、第１動作中の状態を示している。
【０４４８】
室外熱交換器（21）と第２吸着熱交換器（32）が蒸発器になっている状態において、補助電動膨張弁（82）で冷媒をやや減圧すれば、第２吸着熱交換器（32）での冷媒蒸発温度に比べて室外熱交換器（21）での冷媒蒸発温度が高く設定される。第２吸着熱交換器（32）に代わって第１吸着熱交換器（31）が蒸発器となる状態でも、補助電動膨張弁（82）で冷媒をやや減圧することにより、第１吸着熱交換器（31）での冷媒蒸発温度に比べて室外熱交換器（21）での冷媒蒸発温度が高く設定される。
【０４４９】
このように、加湿暖房運転中には、蒸発器となっている吸着熱交換器（31,32）と室内熱交換器（22）について、それぞれにおける冷媒蒸発温度を異なる値に設定することで、それぞれにおける冷媒の吸熱量が調節可能となる。従って、本変形例の空気調和装置では、冷凍サイクルにおける冷媒の吸熱量と吸着熱交換器（30）の水分吸着量とを調節でき、結果的に暖房能力と加湿能力のバランスを変更することができる。
【０４５０】
また、図４８に示すように、冷媒回路（10）における圧縮機（20）の吸入側と第２四方切換弁（52）の間に補助電動膨張弁（81）を配置してもよい。室内熱交換器（22）が蒸発器になっている状態で補助電動膨張弁（81）により冷媒をやや減圧すると、室内熱交換器（22）での冷媒蒸発温度に比べて、蒸発器となっている方の吸着熱交換器（31,32）における冷媒蒸発温度が高く設定される。また、室外熱交換器（21）が蒸発器になっている状態で補助電動膨張弁（81）により冷媒をやや減圧すると、室外熱交換器（21）での冷媒蒸発温度に比べて、蒸発器となっている方の吸着熱交換器（31,32）における冷媒蒸発温度が高く設定される。
【０４５１】
−実施形態の第４変形例−
上記実施形態９の空気調和装置では、冷媒回路（10）に二つの補助電動膨張弁（81,82）を追加してもよい。
【０４５２】
図４９に示すように、冷媒回路（10）では、圧縮機（20）の吸入側と第２四方切換弁（52）の間に第１補助電動膨張弁（81）が配置され、圧縮機（20）の吸入側と第１四方切換弁（51）の間に第２補助電動膨張弁（82）が配置されている。このように冷媒回路（10）に二つの補助電動膨張弁（81,82）を追加すると、吸着熱交換器（31,32）での冷媒蒸発温度を、室外熱交換器（21）又は室内熱交換器（22）での冷媒蒸発温度に比べて高く設定することと低く設定することの両方が可能となる。
【０４５３】
例えば、室内熱交換器（22）が蒸発器になっているとする。この状態で第１補助電動膨張弁（81）の開度を第２補助電動膨張弁（82）の開度に比べて大きく設定した場合、蒸発器となっている方の吸着熱交換器（31,32）における冷媒蒸発温度は、室内熱交換器（22）での冷媒蒸発温度に比べて低く設定される。逆に、この状態で第１補助電動膨張弁（81）の開度を第２補助電動膨張弁（82）の開度に比べて小さく設定した場合は、蒸発器となっている方の吸着熱交換器（31,32）における冷媒蒸発温度は、室内熱交換器（22）での冷媒蒸発温度に比べて高く設定される。
【０４５４】
また、室外熱交換器（21）が蒸発器になっているとする。この状態で第１補助電動膨張弁（81）の開度を第２補助電動膨張弁（82）の開度に比べて大きく設定した場合、蒸発器となっている方の吸着熱交換器（31,32）における冷媒蒸発温度は、室外熱交換器（21）での冷媒蒸発温度に比べて低く設定される。逆に、この状態で第１補助電動膨張弁（81）の開度を第２補助電動膨張弁（82）の開度に比べて小さく設定した場合は、蒸発器となっている方の吸着熱交換器（31,32）における冷媒蒸発温度は、室外熱交換器（21）での冷媒蒸発温度に比べて高く設定される。
【０４５５】
−実施形態の第５変形例−
上記第４変形例の空気調和装置では、図５０に示すように、更に第３補助電動膨張弁（83）及び第４補助電動膨張弁（84）を冷媒回路（10）に追加してもよい。冷媒回路（10）において、第３補助電動膨張弁（83）は、圧縮機（20）の吐出側と第２四方切換弁（52）の間に配置される。一方、第４補助電動膨張弁（84）は、圧縮機（20）の吐出側と第１四方切換弁（51）の間に配置される。
【０４５６】
本変形例のように冷媒回路（10）に第３補助電動膨張弁（83）及び第４補助電動膨張弁（84）を追加すると、吸着熱交換器（31,32）での冷媒凝縮温度を、室外熱交換器（21）又は室内熱交換器（22）での冷媒凝縮温度に比べて高く設定することと低く設定することの両方が可能となる。つまり、第３補助電動膨張弁（83）の開度を第４補助電動膨張弁（84）の開度に比べて大きく設定した場合は、吸着熱交換器（31,32）での冷媒凝縮温度が、室外熱交換器（21）又は室内熱交換器（22）での冷媒凝縮温度に比べて高く設定される。逆に、第３補助電動膨張弁（83）の開度を第４補助電動膨張弁（84）の開度に比べて小さく設定した場合は、吸着熱交換器（31,32）での冷媒凝縮温度が、室外熱交換器（21）又は室内熱交換器（22）での冷媒凝縮温度に比べて低く設定される。
【０４５７】
本変形例の空気調和装置において、除湿冷房運転中には、凝縮器となっている吸着熱交換器（30）と室外熱交換器（21）について、それぞれにおける冷媒凝縮温度を異なる値に設定することで、それぞれにおける冷媒の放熱量が調節可能となる。従って、本変形例の空気調和装置では、冷凍サイクルにおける冷媒の放熱量と吸着熱交換器（30）の再生量とを調節でき、結果的に冷房能力と除湿能力のバランスを変更することができる。
【０４５８】
また、本変形例の空気調和装置において、加湿暖房運転中には、凝縮器となっている吸着熱交換器（31,32）と室内熱交換器（22）について、それぞれにおける冷媒凝縮温度を異なる値に設定することで、それぞれにおける冷媒の放熱量が調節可能となる。従って、本変形例の空気調和装置では、暖房能力と加湿能力のバランスを変更することができる。
【０４５９】
−実施形態の第６変形例−
上記実施形態１３の空気調和装置では、図５１，図５２に示すように、電動膨張弁（80）を冷媒回路（10）に追加してもよい。冷媒回路（10）において、電動膨張弁（80）は、第１電磁弁（61）及び第２電磁弁（62）と室内熱交換器（22）の間に配置されている。
【０４６０】
図５１に示すように、除湿冷房運転中には、室外熱交換器（21）が凝縮器となって室内熱交換器（22）が蒸発器となる。また、冷媒回路（10）では、第１吸着熱交換器（31）が蒸発器となって第２吸着熱交換器（32）が休止する第１動作と、第２吸着熱交換器（32）が蒸発器となって第１吸着熱交換器（31）が休止する第２動作とが交互に繰り返される。同図は、第１動作中の状態を示している。
【０４６１】
例えば、第１吸着熱交換器（31）と室内熱交換器（22）が蒸発器になっている状態において、電動膨張弁（80）で冷媒をやや減圧すれば、第１吸着熱交換器（31）での冷媒蒸発温度に比べて室内熱交換器（22）での冷媒蒸発温度が低く設定される。第１吸着熱交換器（31）に代わって第２吸着熱交換器（32）が蒸発器となる状態でも、電動膨張弁（80）で冷媒をやや減圧することにより、第２吸着熱交換器（32）での冷媒蒸発温度に比べて室内熱交換器（22）での冷媒蒸発温度が低く設定される。
【０４６２】
このように、除湿冷房運転中には、蒸発器となっている吸着熱交換器（31,32）と室内熱交換器（22）について、それぞれにおける冷媒蒸発温度を異なる値に設定することで、それぞれにおける冷媒の吸熱量が調節可能となる。従って、本変形例の空気調和装置では、冷房能力と除湿能力のバランスを変更することができる。
【０４６３】
図５２に示すように、加湿暖房運転中には、室内熱交換器（22）が凝縮器となって室外熱交換器（21）が蒸発器となる。また、冷媒回路（10）では、第１吸着熱交換器（31）が凝縮器となって第２吸着熱交換器（32）が休止する第１動作と、第２回路（12）で第２吸着熱交換器（32）が凝縮器となって第１吸着熱交換器（31）が休止する第２動作とが交互に繰り返される。同図は、第１動作中の状態を示している。
【０４６４】
例えば、室内熱交換器（22）と第１吸着熱交換器（31）が凝縮器になっている状態において、電動膨張弁（80）で冷媒をやや減圧すれば、室内熱交換器（22）での冷媒凝縮温度に比べて第１吸着熱交換器（31）での冷媒凝縮温度が低く設定される。第１吸着熱交換器（31）に代わって第２吸着熱交換器（32）が凝縮器となる状態でも、電動膨張弁（80）で冷媒をやや減圧することにより、室内熱交換器（22）での冷媒凝縮温度に比べて第２吸着熱交換器（32）での冷媒凝縮温度が低く設定される。
【０４６５】
このように、加湿暖房運転中には、凝縮器となっている吸着熱交換器（31,32）と室内熱交換器（22）について、それぞれにおける冷媒凝縮温度を異なる値に設定することで、それぞれにおける冷媒の放熱量が調節可能となる。従って、本変形例の空気調和装置では、暖房能力と加湿能力のバランスを変更することができる。
【産業上の利用可能性】
【０４６６】
以上説明したように、本発明は、冷凍サイクルを行って室内の顕熱負荷及び潜熱負荷を処理する空気調和装置について有用である。
【図面の簡単な説明】
【０４６７】
【図１】参考技術１における冷媒回路の構成と除湿冷却運転時の動作を示す概略構成図である。
【図２】参考技術１における冷媒回路の構成と加湿暖房運転時の動作を示す概略構成図である。
【図３】実施形態１における冷媒回路の構成と除湿冷却運転時の動作を示す概略構成図である。
【図４】実施形態１における冷媒回路の構成と加湿暖房運転時の動作を示す概略構成図である。
【図５】実施形態２における冷媒回路の構成と除湿冷却運転時の動作を示す概略構成図である。
【図６】実施形態２における冷媒回路の構成と加湿暖房運転時の動作を示す概略構成図である。
【図７】実施形態３における冷媒回路の構成と除湿冷却運転時の動作を示す概略構成図である。
【図８】実施形態３における冷媒回路の構成と加湿暖房運転時の動作を示す概略構成図である。
【図９】参考技術２における冷媒回路の構成と除湿冷却運転時の動作を示す概略構成図である。
【図１０】参考技術２における冷媒回路の構成と加湿暖房運転時の動作を示す概略構成図である。
【図１１】実施形態４における冷媒回路の構成と除湿冷却運転時の動作を示す概略構成図である。
【図１２】実施形態４における冷媒回路の構成と加湿暖房運転時の動作を示す概略構成図である。
【図１３】参考技術３における冷媒回路の構成と除湿冷却運転時の動作を示す概略構成図である。
【図１４】参考技術３における冷媒回路の構成と加湿暖房運転時の動作を示す概略構成図である。
【図１５】実施形態５における冷媒回路の構成と除湿冷却運転時の動作を示す概略構成図である。
【図１６】実施形態５における冷媒回路の構成と加湿暖房運転時の動作を示す概略構成図である。
【図１７】実施形態５の変形例における冷媒回路の構成と除湿冷却運転時の動作を示す概略構成図である。
【図１８】実施形態５の変形例における冷媒回路の構成と加湿暖房運転時の動作を示す概略構成図である。
【図１９】実施形態６における冷媒回路の構成と除湿冷却運転時の動作を示す概略構成図である。
【図２０】実施形態６における冷媒回路の構成と加湿暖房運転時の動作を示す概略構成図である。
【図２１】実施形態７における冷媒回路の構成と除湿冷却運転時の動作を示す概略構成図である。
【図２２】実施形態７における冷媒回路の構成と加湿暖房運転時の動作を示す概略構成図である。
【図２３】実施形態８における冷媒回路の構成と除湿冷却運転時の動作を示す概略構成図である。
【図２４】実施形態８における冷媒回路の構成と加湿暖房運転時の動作を示す概略構成図である。
【図２５】実施形態９における冷媒回路の構成と除湿冷却運転時の動作を示す概略構成図である。
【図２６】実施形態９における冷媒回路の構成と加湿暖房運転時の動作を示す概略構成図である。
【図２７】実施形態１０における冷媒回路の構成と除湿冷却運転時の動作を示す概略構成図である。
【図２８】実施形態１０における冷媒回路の構成と加湿暖房運転時の動作を示す概略構成図である。
【図２９】実施形態１０の変形例における冷媒回路の構成と除湿冷却運転時の動作を示す概略構成図である。
【図３０】実施形態１０の変形例における冷媒回路の構成と加湿暖房運転時の動作を示す概略構成図である。
【図３１】実施形態１１における冷媒回路の構成と除湿冷却運転時の動作を示す概略構成図である。
【図３２】実施形態１１における冷媒回路の構成と加湿暖房運転時の動作を示す概略構成図である。
【図３３】実施形態１２における冷媒回路の構成と除湿冷却運転時の動作を示す概略構成図である。
【図３４】実施形態１２における冷媒回路の構成と加湿暖房運転時の動作を示す概略構成図である。
【図３５】実施形態１２の変形例１における冷媒回路の構成と冷房運転時及び暖房運転時の動作を示す概略構成図である。
【図３６】実施形態１２の変形例２における冷媒回路の構成と除湿冷却運転時の動作を示す概略構成図である。
【図３７】実施形態１２の変形例２における冷媒回路の構成と加湿暖房運転時の動作を示す概略構成図である。
【図３８】実施形態１３における冷媒回路の構成と除湿冷却運転時の動作を示す概略構成図である。
【図３９】実施形態１３における冷媒回路の構成と加湿暖房運転時の動作を示す概略構成図である。
【図４０】参考技術の変形例における冷媒回路の構成と除湿冷却運転時の動作を示す概略構成図である。
【図４１】参考技術の変形例における冷媒回路の構成と加湿暖房運転時の動作を示す概略構成図である。
【図４２】実施形態の第１変形例における冷媒回路の構成と除湿冷却運転時の動作を示す概略構成図である。
【図４３】実施形態の第１変形例における冷媒回路の構成と加湿暖房運転時の動作を示す概略構成図である。
【図４４】実施形態の第２変形例における冷媒回路の構成と除湿冷却運転時の動作を示す概略構成図である。
【図４５】実施形態の第２変形例における冷媒回路の構成と加湿暖房運転時の動作を示す概略構成図である。
【図４６】実施形態の第３変形例における冷媒回路の構成と除湿冷却運転時の動作を示す概略構成図である。
【図４７】実施形態の第３変形例における冷媒回路の構成と加湿暖房運転時の動作を示す概略構成図である。
【図４８】実施形態の第３変形例における冷媒回路の構成を示す概略構成図である。
【図４９】実施形態の第４変形例における冷媒回路の構成を示す概略構成図である。
【図５０】実施形態の第５変形例における冷媒回路の構成を示す概略構成図である。
【図５１】実施形態の第６変形例における冷媒回路の構成と除湿冷却運転時の動作を示す概略構成図である。
【図５２】実施形態の第６変形例における冷媒回路の構成と加湿暖房運転時の動作を示す概略構成図である。
【符号の説明】
【０４６８】
（10）  冷媒回路
（11）  第１回路
（12）  第２回路
（21）  室外熱交換器（熱源側熱交換器）
（22）  室内熱交換器（空気熱交換器）
（30）  吸着熱交換器
（31）  第１吸着熱交換器（吸着熱交換器）
（32）  第２吸着熱交換器（吸着熱交換器）
（41）  第１電動膨張弁（膨張弁）
（42）  第２電動膨張弁（膨張弁）
【図１】
0003668763.tif 000002
【図２】
0003668763.tif 000003
【図３】
0003668763.tif 000004
【図４】
0003668763.tif 000005
【図５】
0003668763.tif 000006
【図６】
0003668763.tif 000007
【図７】
0003668763.tif 000008
【図８】
0003668763.tif 000009
【図９】
0003668763.tif 000010
【図１０】
0003668763.tif 000011
【図１１】
0003668763.tif 000012
【図１２】
0003668763.tif 000013
【図１３】
0003668763.tif 000014
【図１４】
0003668763.tif 000015
【図１５】
0003668763.tif 000016
【図１６】
0003668763.tif 000017
【図１７】
0003668763.tif 000018
【図１８】
0003668763.tif 000019
【図１９】
0003668763.tif 000020
【図２０】
0003668763.tif 000021
【図２１】
0003668763.tif 000022
【図２２】
0003668763.tif 000023
【図２３】
0003668763.tif 000024
【図２４】
0003668763.tif 000025
【図２５】
0003668763.tif 000026
【図２６】
0003668763.tif 000027
【図２７】
0003668763.tif 000028
【図２８】
0003668763.tif 000029
【図２９】
0003668763.tif 000030
【図３０】
0003668763.tif 000031
【図３１】
0003668763.tif 000032
【図３２】
0003668763.tif 000033
【図３３】
0003668763.tif 000034
【図３４】
0003668763.tif 000035
【図３５】
0003668763.tif 000036
【図３６】
0003668763.tif 000037
【図３７】
0003668763.tif 000038
【図３８】
0003668763.tif 000039
【図３９】
0003668763.tif 000040
【図４０】
0003668763.tif 000041
【図４１】
0003668763.tif 000042
【図４２】
0003668763.tif 000043
【図４３】
0003668763.tif 000044
【図４４】
0003668763.tif 000045
【図４５】
0003668763.tif 000046
【図４６】
0003668763.tif 000047
【図４７】
0003668763.tif 000048
【図４８】
0003668763.tif 000049
【図４９】
0003668763.tif 000050
【図５０】
0003668763.tif 000051
【図５１】
0003668763.tif 000052
【図５２】
0003668763.tif 000053